(57)【特許請求の範囲】
【請求項１】
基地局であって、前記基地局は、
ユーザ機器に割り当てられたミリ波帯の初期ビームの初期ビームインデックス情報を前記ユーザ機器へ送信する送信モジュールと、
前記送信モジュールにより送信された前記初期ビームインデックス情報により示される前記初期ビームに対して前記ユーザ機器がＲＲＭ測定を実行した後に取得される無線リソース管理ＲＲＭ測定報告を、前記ユーザ機器から受信する受信モジュールと、
前記ユーザ機器との通信に用いられる前記初期ビームインデックス情報を、前記受信モジュールにより受信された前記ＲＲＭ測定報告に従って決定する決定モジュールと
を備え、
前記送信モジュールはさらに、前記ユーザ機器に割り当てられたミリ波帯の代替ビームの代替ビームインデックス情報を前記ユーザ機器へ送信し、
前記受信モジュールはさらに、前記送信モジュールにより送信された各代替ビームインデックス情報から選択され、前記ユーザ機器により送信された第１代替ビームインデックス情報であって、前記初期ビームの参照信号情報が第２閾値より小さく、各代替ビームインデックス情報により示される代替ビームに対してＲＲＭ測定が実行された後に決定される参照信号情報が第３閾値より大きく、前記参照信号情報がＲＳＲＰおよびＲＳＲＱのうち少なくとも１つを含む代替ビームインデックス情報である第１代替ビームインデックス情報を受信し、
前記基地局はさらに、前記受信モジュールにより受信された前記第１代替ビームインデックス情報に対応する代替ビームに従って前記ユーザ機器と通信する通信モジュールを備える、基地局。
【請求項２】
前記決定モジュールは具体的に、前記ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、前記参照信号情報が第１閾値より大きい第１初期ビームインデックス情報を決定し、
前記送信モジュールはさらに、前記決定モジュールにより決定された前記第１初期ビームインデックス情報に対応する初期ビームを用いることにより、制御情報を制御チャネル上で前記ユーザ機器へ送信し、
前記ユーザ機器は、休止状態からアクティブ状態に切り替わった後に、決定された前記第１初期ビームインデックス情報に対応する前記初期ビームを用いることにより前記制御情報をリッスンする、請求項１に記載の基地局。
【請求項３】
前記決定モジュールは具体的に、無線リソース制御ＲＲＣシグナリングおよび媒体アクセス制御の制御要素ＭＡＣ  ＣＥのうち少なくとも１つを用いることにより、前記ＲＲＭ測定報告に含まれる各初期ビームインデックス情報から第２初期ビームインデックス情報を指定し、指定された前記第２初期ビームインデックス情報に対応する初期ビームは、前記制御情報を制御チャネル上で前記ユーザ機器へ送信するのに用いられる、請求項２に記載の基地局。
【請求項４】
前記受信モジュールはさらに、前記ユーザ機器により送信された第１ランダムアクセス要求を受信し、
前記基地局はさらに、前記第１ランダムアクセス要求に従ってアップリンクタイミングアドバンスＴＡを生成する生成モジュールを備え、
前記通信モジュールはさらに、前記生成モジュールにより生成された前記アップリンクＴＡと、受信された前記第１代替ビームインデックス情報に対応する前記代替ビームとに従って前記ユーザ機器と通信する、請求項１に記載の基地局。
【請求項５】
前記決定モジュールはさらに、前記ユーザ機器に割り当てられた前記代替ビームを用いて前記ユーザ機器と通信することを、ビームトラッキングを用いることにより決定し、
前記送信モジュールはさらに、ランダムアクセス命令を制御チャネル上で前記ユーザ機器へ送信し、
前記受信モジュールはさらに、前記送信モジュールにより送信された前記ランダムアクセス命令に従って前記ユーザ機器により送信された第２ランダムアクセス要求を受信し、
前記基地局はさらに、前記第２ランダムアクセス要求に従ってアップリンクＴＡを生成する生成モジュールを備え、
前記通信モジュールはさらに、前記生成モジュールにより生成された前記アップリンクＴＡと、割り当てられた第２代替ビームインデックス情報に対応する代替ビームとに従って前記ユーザ機器と通信する、請求項１に記載の基地局。
【請求項６】
基地局であって、前記基地局は、
ユーザ機器に割り当てられたミリ波帯の初期ビームの初期ビームインデックス情報を前記ユーザ機器へ送信する送信モジュールと、
前記送信モジュールにより送信された前記初期ビームインデックス情報により示される前記初期ビームに対して前記ユーザ機器がＲＲＭ測定を実行した後に取得される無線リソース管理ＲＲＭ測定報告を、前記ユーザ機器から受信する受信モジュールと、
前記ユーザ機器との通信に用いられる前記初期ビームインデックス情報を、前記受信モジュールにより受信された前記ＲＲＭ測定報告に従って決定する決定モジュールと
を備え、
前記決定モジュールは具体的に、前記ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、前記参照信号情報が第１閾値より大きい第１初期ビームインデックス情報を決定し、
前記送信モジュールはさらに、前記決定モジュールにより決定された前記第１初期ビームインデックス情報に対応する初期ビームを用いることにより、制御情報を制御チャネル上で前記ユーザ機器へ送信し、
前記ユーザ機器は、休止状態からアクティブ状態に切り替わった後に、決定された前記第１初期ビームインデックス情報に対応する前記初期ビームを用いることにより前記制御情報をリッスンする、基地局。
【請求項７】
ユーザ機器であって、前記ユーザ機器は、
基地局により前記ユーザ機器に割り当てられたミリ波帯の初期ビームを示すのに用いられる、前記基地局により送信された初期ビームインデックス情報を受信する受信モジュールと、
前記初期ビームインデックス情報により示される前記初期ビームに対して前記ユーザ機器がＲＲＭ測定を実行した後に取得される無線リソース管理ＲＲＭ測定報告であって、前記ユーザ機器との通信に用いられる前記初期ビームインデックス情報を決定するよう前記基地局に命令するのに用いられるＲＲＭ測定報告を送信する送信モジュールと
を備え、
前記ＲＲＭ測定報告が、各初期ビームインデックス情報に対応する参照信号情報を含み、前記参照信号情報が、参照信号受信電力ＲＳＲＰおよび参照信号受信品質ＲＳＲＱのうち少なくとも１つを含む場合、前記ユーザ機器はさらに、
前記送信モジュールが前記無線リソース管理ＲＲＭ測定報告を送信した後に、前記ユーザ機器が休止状態からアクティブ状態に切り替わった後の前記参照信号情報が第１閾値より大きい第１初期ビームインデックス情報を決定する決定モジュールと、
前記決定モジュールにより決定された前記第１初期ビームインデックス情報に対応する初期ビームを用いることにより、制御チャネル上で制御情報をリッスンするリッスンモジュールと
を備える、ユーザ機器。
【請求項８】
前記リッスンモジュールは具体的に、無指向性方式で前記制御情報を受信する、もしくは、前記第１初期ビームインデックス情報に対応する前記初期ビームのビーム範囲より大きいまたはそれと等しいビーム範囲を用いることにより前記制御情報を受信する、もしくは、前記第１初期ビームインデックス情報に対応する前記初期ビームのビーム範囲より小さいビーム範囲を用いることにより前記制御情報を受信する、請求項７に記載のユーザ機器。
【請求項９】
前記受信モジュールはさらに、無線リソース制御ＲＲＣシグナリングおよび媒体アクセス制御の制御要素ＭＡＣ  ＣＥのうち少なくとも１つを用いることにより、前記ＲＲＭ測定報告に含まれる各初期ビームインデックス情報から前記基地局により指定された第２初期ビームインデックス情報を受信し、
前記リッスンモジュールはさらに、前記受信モジュールにより受信された前記第２初期ビームインデックス情報に対応する初期ビームを用いることにより、制御チャネル上で制御情報をリッスンする、請求項７に記載のユーザ機器。
【請求項１０】
前記リッスンモジュールは具体的に、無指向性方式で前記制御情報を受信する、もしくは、前記第２初期ビームインデックス情報に対応する前記初期ビームのビーム範囲より大きいまたはそれと等しいビーム範囲を用いることにより前記制御情報を受信する、もしくは、前記第２初期ビームインデックス情報に対応する前記初期ビームのビーム範囲より小さいビーム範囲を用いることにより前記制御情報を受信する、請求項９に記載のユーザ機器。
【請求項１１】
ユーザ機器であって、前記ユーザ機器は、
基地局により前記ユーザ機器に割り当てられたミリ波帯の初期ビームを示すのに用いられる、前記基地局により送信された初期ビームインデックス情報を受信する受信モジュールと、
前記初期ビームインデックス情報により示される前記初期ビームに対して前記ユーザ機器がＲＲＭ測定を実行した後に取得される無線リソース管理ＲＲＭ測定報告であって、前記ユーザ機器との通信に用いられる前記初期ビームインデックス情報を決定するよう前記基地局に命令するのに用いられるＲＲＭ測定報告を送信する送信モジュールと
を備え、
前記受信モジュールはさらに、前記基地局により前記ユーザ機器に割り当てられたミリ波帯の代替ビームを示すのに用いられる、前記基地局により送信された代替ビームインデックス情報を受信し、
前記ユーザ機器はさらに、
ＲＳＲＰおよびＲＳＲＱのうち少なくとも１つを含む、前記初期ビームの参照信号情報が第２閾値より小さいとき、各代替ビームインデックス情報により示される代替ビームに対してＲＲＭ測定を実行する測定モジュールと、
前記測定モジュールにより実行された前記ＲＲＭ測定に従って、参照信号情報が第３閾値より大きい第１代替ビームインデックス情報を決定する決定モジュールと
を備え、
前記送信モジュールはさらに、前記決定モジュールにより決定された前記第１代替ビームインデックス情報を、前記第１代替ビームインデックス情報に対応する代替ビームに従って前記ユーザ機器と通信する前記基地局へ送信する、ユーザ機器。
【請求項１２】
前記送信モジュールはさらに、アップリンクタイミングアドバンスＴＡを生成するよう、および前記アップリンクＴＡと、割り当てられた第２代替ビームインデックス情報に対応する代替ビームとに従って前記ユーザ機器と通信するよう前記基地局に命令するのに用いられる第１ランダムアクセス要求を、前記基地局へ自動的に送信する、または、
前記受信モジュールはさらに、前記ユーザ機器に割り当てられた前記代替ビームを用いて前記ユーザ機器と通信することを、ビームトラッキングを用いることにより前記基地局が決定した後に送信される、前記基地局により送信されたランダムアクセス命令を制御チャネル上で受信し、アップリンクＴＡを生成するよう、および前記アップリンクＴＡと、受信された前記第１代替ビームインデックス情報に対応する前記代替ビームとに従って前記ユーザ機器と通信するよう前記基地局に命令するのに用いられる第２ランダムアクセス要求を、前記ランダムアクセス命令に従って前記基地局へ送信する、請求項１１に記載のユーザ機器。
【請求項１３】
ビーム構成方法であって、前記方法は、
ユーザ機器に割り当てられたミリ波帯の初期ビームの初期ビームインデックス情報を基地局が前記ユーザ機器へ送信する段階と、
前記初期ビームインデックス情報により示される前記初期ビームに対して前記ユーザ機器がＲＲＭ測定を実行した後に取得される無線リソース管理ＲＲＭ測定報告を、前記基地局が前記ユーザ機器から受信する段階と、
前記ユーザ機器との通信に用いられる前記初期ビームインデックス情報を前記基地局が前記ＲＲＭ測定報告に従って決定する段階と
を備え、
前記方法はさらに、
前記ユーザ機器に割り当てられたミリ波帯の代替ビームの代替ビームインデックス情報を前記基地局が前記ユーザ機器へ送信する段階と、
各代替ビームインデックス情報から選択され、前記ユーザ機器により送信された第１代替ビームインデックス情報であって、前記初期ビームの参照信号情報が第２閾値より小さく、各代替ビームインデックス情報により示される代替ビームに対してＲＲＭ測定が実行された後に決定される参照信号情報が第３閾値より大きく、前記参照信号情報がＲＳＲＰおよびＲＳＲＱのうち少なくとも１つを含む代替ビームインデックス情報である第１代替ビームインデックス情報を前記基地局が受信する段階と、
受信された前記第１代替ビームインデックス情報に対応する代替ビームに従って前記基地局が前記ユーザ機器と通信する段階と
を備える、方法。
【請求項１４】
前記ユーザ機器との通信に用いられる前記初期ビームインデックス情報を前記基地局が前記ＲＲＭ測定報告に従って決定する前記段階は、前記ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、前記参照信号情報が第１閾値より大きい第１初期ビームインデックス情報を前記基地局が決定する段階を有し、
前記基地局は、決定された前記第１初期ビームインデックス情報に対応する初期ビームを用いることにより、制御情報を制御チャネル上で前記ユーザ機器へ送信し、
前記ユーザ機器は、休止状態からアクティブ状態に切り替わった後に、決定された前記第１初期ビームインデックス情報に対応する前記初期ビームを用いることにより前記制御情報をリッスンする、請求項１３に記載の方法。
【請求項１５】
前記方法はさらに、無線リソース制御ＲＲＣシグナリングおよび媒体アクセス制御の制御要素ＭＡＣ  ＣＥのうち少なくとも１つを用いることにより、前記ＲＲＭ測定報告に含まれる各初期ビームインデックス情報から第２初期ビームインデックス情報を前記基地局が指定する段階であって、指定された前記第２初期ビームインデックス情報に対応する初期ビームは、前記制御情報を制御チャネル上で前記ユーザ機器へ送信するのに用いられる、段階を備える、請求項１４に記載の方法。
【請求項１６】
受信された前記第１代替ビームインデックス情報に対応する代替ビームに従って前記基地局が前記ユーザ機器と通信する前記段階は、
前記基地局が、前記ユーザ機器により送信された第１ランダムアクセス要求を受信し、前記第１ランダムアクセス要求に従ってアップリンクタイミングアドバンスＴＡを生成する段階と、
前記アップリンクＴＡと、受信された前記第１代替ビームインデックス情報に対応する前記代替ビームとに従って前記基地局が前記ユーザ機器と通信する段階と
を有する、請求項１３に記載の方法。
【請求項１７】
前記方法はさらに、
前記ユーザ機器に割り当てられた前記代替ビームを用いて前記ユーザ機器と通信することを、ビームトラッキングを用いることにより前記基地局が決定する段階と、
前記基地局がランダムアクセス命令を制御チャネル上で前記ユーザ機器へ送信する段階と、
前記基地局が、前記ランダムアクセス命令に従って前記ユーザ機器により送信された第２ランダムアクセス要求を受信し、前記第２ランダムアクセス要求に従ってアップリンクＴＡを生成する段階と、
前記アップリンクＴＡと、割り当てられた第２代替ビームインデックス情報に対応する代替ビームとに従って前記基地局が前記ユーザ機器と通信する段階と
を備える、請求項１３に記載の方法。
【請求項１８】
ビーム構成方法であって、前記方法は、
ユーザ機器に割り当てられたミリ波帯の初期ビームの初期ビームインデックス情報を基地局が前記ユーザ機器へ送信する段階と、
前記初期ビームインデックス情報により示される前記初期ビームに対して前記ユーザ機器がＲＲＭ測定を実行した後に取得される無線リソース管理ＲＲＭ測定報告を、前記基地局が前記ユーザ機器から受信する段階と、
前記ユーザ機器との通信に用いられる前記初期ビームインデックス情報を前記基地局が前記ＲＲＭ測定報告に従って決定する段階と
を備え、
前記ユーザ機器との通信に用いられる前記初期ビームインデックス情報を前記基地局が前記ＲＲＭ測定報告に従って決定する前記段階は、前記ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、前記参照信号情報が第１閾値より大きい第１初期ビームインデックス情報を前記基地局が決定する段階を有し、
前記基地局は、決定された前記第１初期ビームインデックス情報に対応する初期ビームを用いることにより、制御情報を制御チャネル上で前記ユーザ機器へ送信し、
前記ユーザ機器は、休止状態からアクティブ状態に切り替わった後に、決定された前記第１初期ビームインデックス情報に対応する前記初期ビームを用いることにより前記制御情報をリッスンする、方法。
【請求項１９】
基地局に、請求項１３から１８のいずれか一項に記載の方法を実行させるためのプログラム。
【請求項２０】
ビーム構成方法であって、前記方法は、
基地局によりユーザ機器に割り当てられたミリ波帯の初期ビームを示すのに用いられる、前記基地局により送信された初期ビームインデックス情報を前記ユーザ機器が受信する段階と、
前記初期ビームインデックス情報により示される前記初期ビームに対して前記ユーザ機器がＲＲＭ測定を実行した後に取得される無線リソース管理ＲＲＭ測定報告であって、前記ユーザ機器との通信に用いられる前記初期ビームインデックス情報を決定するよう前記基地局に命令するのに用いられるＲＲＭ測定報告を前記ユーザ機器が送信する段階と
を備え、
前記ＲＲＭ測定報告が、各初期ビームインデックス情報に対応する参照信号情報を含み、前記参照信号情報が、参照信号受信電力ＲＳＲＰおよび参照信号受信品質ＲＳＲＱのうち少なくとも１つを含む場合、前記ユーザ機器が無線リソース管理ＲＲＭ測定報告を送信する前記段階の後に、前記方法はさらに、
前記ユーザ機器が休止状態からアクティブ状態に切り替わった後の前記参照信号情報が第１閾値より大きい第１初期ビームインデックス情報を前記ユーザ機器が決定する段階と、
前記第１初期ビームインデックス情報に対応する初期ビームを用いることにより、前記ユーザ機器が制御チャネル上で制御情報をリッスンする段階と
を備える、方法。
【請求項２１】
前記第１初期ビームインデックス情報に対応する初期ビームを用いることにより、前記ユーザ機器が制御チャネル上で制御情報をリッスンする前記段階は、前記ユーザ機器が、無指向性方式で前記制御情報を受信する段階、または、前記第１初期ビームインデックス情報に対応する前記初期ビームのビーム範囲より大きいまたはそれと等しいビーム範囲を用いることにより前記制御情報を受信する段階、または、前記第１初期ビームインデックス情報に対応する前記初期ビームのビーム範囲より小さいビーム範囲を用いることにより前記制御情報を受信する段階を有する、請求項２０に記載の方法。
【請求項２２】
前記方法はさらに、
無線リソース制御ＲＲＣシグナリングおよび媒体アクセス制御の制御要素ＭＡＣ  ＣＥのうち少なくとも１つを用いることにより、前記ＲＲＭ測定報告に含まれる各初期ビームインデックス情報から前記基地局により指定された第２初期ビームインデックス情報を前記ユーザ機器が受信する段階と、
前記第２初期ビームインデックス情報に対応する初期ビームを用いることにより、前記ユーザ機器が制御チャネル上で制御情報をリッスンする段階と
を備える、請求項２０に記載の方法。
【請求項２３】
前記第２初期ビームインデックス情報に対応する初期ビームを用いることにより、前記ユーザ機器が制御チャネル上で制御情報をリッスンする前記段階は、前記ユーザ機器が、無指向性方式で前記制御情報を受信する段階、または、前記第２初期ビームインデックス情報に対応する前記初期ビームのビーム範囲より大きいまたはそれと等しいビーム範囲を用いることにより前記制御情報を受信する段階、または、前記第２初期ビームインデックス情報に対応する前記初期ビームのビーム範囲より小さいビーム範囲を用いることにより前記制御情報を受信する段階を有する、請求項２２に記載の方法。
【請求項２４】
ビーム構成方法であって、前記方法は、
基地局によりユーザ機器に割り当てられたミリ波帯の初期ビームを示すのに用いられる、前記基地局により送信された初期ビームインデックス情報を前記ユーザ機器が受信する段階と、
前記初期ビームインデックス情報により示される前記初期ビームに対して前記ユーザ機器がＲＲＭ測定を実行した後に取得される無線リソース管理ＲＲＭ測定報告であって、前記ユーザ機器との通信に用いられる前記初期ビームインデックス情報を決定するよう前記基地局に命令するのに用いられるＲＲＭ測定報告を前記ユーザ機器が送信する段階と
を備え、
前記方法はさらに、
前記基地局により前記ユーザ機器に割り当てられたミリ波帯の代替ビームを示すのに用いられる、前記基地局により送信された代替ビームインデックス情報を前記ユーザ機器が受信する段階と、
ＲＳＲＰおよびＲＳＲＱのうち少なくとも１つを含む、前記初期ビームの参照信号情報が第２閾値より小さい場合、各代替ビームインデックス情報により示される代替ビームに対して前記ユーザ機器がＲＲＭ測定を実行する段階と、
前記ＲＲＭ測定に従って、参照信号情報が第３閾値より大きい第１代替ビームインデックス情報を前記ユーザ機器が決定する段階と、
決定された前記第１代替ビームインデックス情報を、前記第１代替ビームインデックス情報に対応する代替ビームに従って前記ユーザ機器と通信する前記基地局へ前記ユーザ機器が送信する段階と
を備える、方法。
【請求項２５】
前記方法はさらに、
アップリンクタイミングアドバンスＴＡを生成するよう、および前記アップリンクＴＡと、割り当てられた第２代替ビームインデックス情報に対応する代替ビームとに従って前記ユーザ機器と通信するよう前記基地局に命令するのに用いられる第１ランダムアクセス要求を、前記ユーザ機器が前記基地局へ自動的に送信する段階、または、
前記ユーザ機器に割り当てられた前記代替ビームを用いて前記ユーザ機器と通信することを、ビームトラッキングを用いることにより前記基地局が決定した後に送信される、前記基地局により送信されたランダムアクセス命令を前記ユーザ機器が制御チャネル上で受信する段階と、アップリンクＴＡを生成するよう、および前記アップリンクＴＡと、受信された前記第１代替ビームインデックス情報に対応する前記代替ビームとに従って前記ユーザ機器と通信するよう前記基地局に命令するのに用いられる第２ランダムアクセス要求を、前記ランダムアクセス命令に従って前記基地局へ送信する段階と
を備える、請求項２４に記載の方法。
【請求項２６】
ユーザ機器に、請求項２０から２５のいずれか一項に記載の方法を実行させるためのプログラム。
【発明の詳細な説明】
【技術分野】
【０００１】
本発明は通信分野に関し、特にビーム構成方法、基地局、およびユーザ機器に関する。
【背景技術】
【０００２】
パケットサービスおよびインテリジェントターミナルが急速に発展するにつれ、高速かつ大データ量のサービスのスペクトルに対する要件は増大し続けている。既存のセルラー通信、例えばロングタームエボリューション（英語：Ｌｏｎｇ  Ｔｅｒｍ  Ｅｖｏｌｕｔｉｏｎ、略してＬＴＥ）では、一般に２ＧＨｚ程度の帯域またはそれより低い帯域がデータ伝送に用いられている。例えば、ロングタームエボリューションアドバンスト（英語：Ｌｏｎｇ  Ｔｅｒｍ  Ｅｖｏｌｕｔｉｏｎ  Ａｄｖａｎｃｅｄ、略してＬＴＥ−Ａ）によりサポートされる最大帯域幅は１００ＭＨｚであり、用いることのできるスペクトル範囲が限定されている。
【０００３】
スペクトルに対するサービスの要件を満たすべく、ＩＥＥＥ８０２．１１ａｄ規格では６０ＧＨｚ帯域がワイヤレスローカルエリアネットワーク（英語：Ｗｉｒｅｌｅｓｓ  Ｌｏｃａｌ  Ａｒｅａ  Ｎｅｔｗｏｒｋ、略してＷＬＡＮ）に用いられており、この帯域は一般に、１０メートル程度の短距離での屋内通信に用いられる。６０ＧＨｚ帯域は、ミリ波帯に属する。ミリ波帯は広義には３ＧＨｚ〜３００ＧＨｚのスペクトルを含み、一般にミリ波通信に対しては６ＧＨｚ〜１００ＧＨｚの帯域が主に研究されている。ミリ波帯は比較的大きな自由空間減衰を有し、大気による吸収、ならびに雨、霧、建物、または他の物体による吸収および散乱などの要因が、極めて著しい信号減衰をもたらす。
【０００４】
本発明を実施するプロセスの間に、従来技術が少なくとも以下の欠点を有することが見出されている。既存のミリ波帯には著しい減衰があり、結果として伝送距離が比較的短く、従来技術においてはミリ波がセルラー通信に検討されることはほとんどない。したがって、セルラー通信環境におけるＵＥのデータ通信要件を満たすことができない。
【発明の概要】
【０００５】
ミリ波帯の著しい減衰により生じる比較的短い伝送距離、およびセルラー通信環境におけるユーザ機器のデータ通信要件の不満足という既存の問題を解決するべく、本発明の実施形態は、ビーム構成方法、基地局、およびユーザ機器を提供する。技術的解決手段は、以下の通りである。
【０００６】
第１態様によると、本発明の一実施形態は基地局を提供し、基地局は、
ユーザ機器に割り当てられたミリ波帯の初期ビームの初期ビームインデックス情報をユーザ機器へ送信するよう構成された送信モジュールと、
送信モジュールにより送信された初期ビームインデックス情報により示される初期ビームに対してユーザ機器がＲＲＭ測定を実行した後に取得される無線リソース管理ＲＲＭ測定報告を、ユーザ機器から受信するよう構成された受信モジュールと、
ユーザ機器との通信に用いられる初期ビームインデックス情報を、受信モジュールにより受信されたＲＲＭ測定報告に従って決定するよう構成された決定モジュールと
を備える。
【０００７】
第１態様の第１の可能な実装方式において、
決定モジュールは具体的に、ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、参照信号情報が第１閾値より大きい第１初期ビームインデックス情報を決定するよう構成され、
送信モジュールはさらに、決定モジュールにより決定された第１初期ビームインデックス情報に対応する初期ビームを用いることにより、制御情報を制御チャネル上でユーザ機器へ送信するよう構成され、
ユーザ機器は、休止状態からアクティブ状態に切り替わった後に、決定された第１初期ビームインデックス情報に対応する初期ビームを用いることにより制御情報をリッスンするよう構成される。
【０００８】
第１態様の第２の可能な実装方式において、
決定モジュールは具体的に、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から第２初期ビームインデックス情報を指定するよう構成され、指定された第２初期ビームインデックス情報に対応する初期ビームは、制御情報を制御チャネル上でユーザ機器へ送信するのに用いられる。
【０００９】
第１態様の第３の可能な実装方式において、
送信モジュールはさらに、ユーザ機器に割り当てられたミリ波帯の代替ビームの代替ビームインデックス情報をユーザ機器へ送信するよう構成され、
受信モジュールはさらに、送信モジュールにより送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む代替ビームインデックス情報である第１代替ビームインデックス情報を受信するよう構成され、
基地局はさらに、受信モジュールにより受信された第１代替ビームインデックス情報に対応する代替ビームに従ってユーザ機器と通信するよう構成された通信モジュールを備える。
【００１０】
第１態様の第３の可能な実装方式を参照すると、第１態様の第４の可能な実装方式において、
受信モジュールはさらに、ユーザ機器により送信された第１ランダムアクセス要求を受信するよう構成され、
基地局はさらに、第１ランダムアクセス要求に従ってアップリンクタイミングアドバンスＴＡを生成するよう構成された生成モジュールを備え、
通信モジュールは、生成モジュールにより生成されたアップリンクＴＡと、受信された第１代替ビームインデックス情報に対応する代替ビームとに従ってユーザ機器と通信するよう構成される。
【００１１】
第１態様の第３の可能な実装方式を参照すると、第１態様の第５の可能な実装方式において、
決定モジュールは、ユーザ機器に割り当てられた代替ビームを用いてユーザ機器と通信することを、ビームトラッキングを用いることにより決定するよう構成され、
送信モジュールはさらに、ランダムアクセス命令を制御チャネル上でユーザ機器へ送信するよう構成され、
受信モジュールはさらに、送信モジュールにより送信されたランダムアクセス命令に従ってユーザ機器により送信された第２ランダムアクセス要求を受信するよう構成され、
基地局はさらに、第２ランダムアクセス要求に従ってアップリンクＴＡを生成するよう構成された生成モジュールを備え、
通信モジュールはさらに、生成モジュールにより生成されたアップリンクＴＡと、割り当てられた第２代替ビームインデックス情報に対応する代替ビームとに従ってユーザ機器と通信するよう構成される。
【００１２】
第１態様、第１態様の第４の可能な実装方式、または第１態様の第５の可能な実装方式を参照すると、第１態様の第６の可能な実装方式において、
決定モジュールはさらに、同じアップリンクＴＡを有し、ユーザ機器との通信のためのビームに含まれるビームであって、初期ビームおよび代替ビームのうち少なくとも１つを含むビームをグループとして決定するよう構成され、
生成モジュールはさらに、ＴＡセット識別子と、グループに含まれる各ビームのビームインデックス情報と、グループに含まれる各ビームに対応するセル識別子および時間アライメントタイマーＴＡＴとを含む１つのＴＡセットを、決定モジュールにより取得される各グループに従って生成するよう構成され、
送信モジュールはさらに、生成モジュールにより生成されたＴＡセットをユーザ機器へ送信するよう構成される。
【００１３】
第１態様の第７の可能な実装方式において、
受信モジュールはさらに、ユーザ機器との通信に用いられる初期ビームインデックス情報を決定モジュールがＲＲＭ測定報告に従って決定した後に、各初期ビームのＲＳＲＰを測定することにより伝播損失情報が取得された後に最小の伝播損失情報に従って生成される電力ヘッドルームＰＨを含む電力ヘッドルーム報告ＰＨＲを、ユーザ機器から受信するよう構成され、
基地局はさらに、受信モジュールにより受信されたＰＨとＰＨに対応する初期ビームとに従ってユーザ機器にアップリンクリソースを割り当てるよう構成された割り当てモジュールを備え、
通信モジュールは具体的に、ＰＨに対応する初期ビームを用いることにより、割り当てモジュールにより割り当てられた対応するアップリンクリソース上でユーザ機器と通信するよう構成される。
【００１４】
第１態様の第７の可能な実装方式を参照すると、第１態様の第８の可能な実装方式において、
送信モジュールはさらに、受信モジュールが電力ヘッドルーム報告ＰＨＲをユーザ機器から受信する前に、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションをユーザ機器へ送信するよう構成される。
【００１５】
第１態様の第９の可能な実装方式において、
受信モジュールは、ユーザ機器との通信に用いられる初期ビームインデックス情報を決定モジュールがＲＲＭ測定報告に従って決定した後に、各初期ビームに対してチャネル状態情報ＣＳＩ測定を実行することによりチャネル品質インジケータＣＱＩが取得された後に最大のＣＱＩに従って生成されるＣＳＩ情報を含むＣＳＩ測定報告を、ユーザ機器から受信するよう構成され、
通信モジュールは具体的に、受信モジュールにより受信されたＣＳＩ情報と、ＣＳＩ情報に対応する初期ビームとに従ってユーザ機器と通信するよう構成される。
【００１６】
第１態様の第９の可能な実装方式を参照すると、第１態様の第１０の可能な実装方式において、
送信モジュールはさらに、受信モジュールがチャネル状態情報ＣＳＩ測定報告をユーザ機器から受信する前に、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションをユーザ機器へ送信するよう構成される。
【００１７】
第１態様の第１１の可能な実装方式において、
基地局はさらに、ユーザ機器との通信に用いられる初期ビームインデックス情報を決定モジュールがＲＲＭ測定報告に従って決定した後に、少なくとも１つのユーザ機器のトラフィックボリュームに従って、トラフィックボリュームと正の相関を有するセル帯域幅を調整するよう構成された調整モジュールを備え、
送信モジュールはさらに、調整モジュールにより調整されたセル帯域幅についての情報と中心周波数についての情報とを各ユーザ機器へブロードキャストするよう構成され、または、調整されたセル帯域幅についての情報と中心周波数についての情報とを、ＲＲＣシグナリングを用いることにより各ユーザ機器へ送信するよう構成され、中心周波数は、調整されたセル帯域幅に対応する周波数範囲内の中心周波数である、または周波数範囲内の指定された周波数である。
【００１８】
第１態様の第１１の可能な実装方式を参照すると、第１態様の第１２の可能な実装方式において、
調整されたセルが同一帯域幅チャネルを含む場合、送信モジュールはさらに、中心周波数に位置するチャネル上で各ユーザ機器へ共通の情報を送信するよう構成される、または、各チャネルの中心の周波数で各ユーザ機器へ共通の情報を送信するよう構成される。
【００１９】
第１態様の第１３の可能な実装方式において、
基地局はさらに、ユーザ機器との通信に用いられる初期ビームインデックス情報を決定モジュールがＲＲＭ測定報告に従って決定した後に、ユーザ機器のトラフィックボリュームに従って、トラフィックボリュームと正の相関を有するユーザ機器のユーザ帯域幅を調整するよう構成された調整モジュールを備え、
送信モジュールはさらに、調整モジュールにより調整されたユーザ帯域幅についての情報を、ＲＲＣシグナリング、ＭＡＣ  ＣＥ、および制御チャネルのうち少なくとも１つを用いることによりユーザ機器へ送信するよう構成される。
【００２０】
第１態様の第１３の可能な実装方式を参照すると、第１態様の第１４の可能な実装方式において、
調整モジュールは具体的に、ユーザ機器に割り当てられたチャネルをユーザ機器のトラフィックボリュームに従って調整して、ユーザ帯域幅を取得するよう構成される。
【００２１】
第２態様によると、本発明の一実施形態はユーザ機器を提供し、ユーザ機器は、
基地局によりユーザ機器に割り当てられたミリ波帯の初期ビームを示すのに用いられる、基地局により送信された初期ビームインデックス情報を受信するよう構成された受信モジュールと、
初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告を送信するよう構成された送信モジュールと
を備える。
【００２２】
第２態様の第１の可能な実装方式において、
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器はさらに、
送信モジュールが無線リソース管理ＲＲＭ測定報告を送信した後に、ユーザ機器が休止状態からアクティブ状態に切り替わった後の参照信号情報が第１閾値より大きい第１初期ビームインデックス情報を決定するよう構成された決定モジュールと、
決定モジュールにより決定された第１初期ビームインデックス情報に対応する初期ビームを用いることにより、制御チャネル上で制御情報をリッスンするよう構成されたリッスンモジュールと
を備える。
【００２３】
第２態様の第２の可能な実装方式において、
受信モジュールはさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から基地局により指定された第２ビームインデックス情報を受信するよう構成され、
ユーザ機器はさらに、受信モジュールにより受信された第２初期ビームインデックス情報に対応する初期ビームを用いることにより、制御チャネル上で制御情報をリッスンするよう構成されたリッスンモジュールを備える。
【００２４】
第２態様の第１の可能な実装方式または第２態様の第２の可能な実装方式を参照すると、第２態様の第３の可能な実装方式において、
リッスンモジュールは具体的に、無指向性方式で制御情報を受信するよう構成される、もしくは、第１初期ビームインデックス情報に対応する初期ビームのビーム範囲より大きいまたはそれと等しいビーム範囲を用いることにより制御情報を受信するよう構成される、もしくは、第１初期ビームインデックス情報に対応する初期ビームのビーム範囲より小さいビーム範囲を用いることにより制御情報を受信するよう構成される、または、
リッスンモジュールは具体的に、無指向性方式で制御情報を受信するよう構成される、もしくは、第２初期ビームインデックス情報に対応する初期ビームのビーム範囲より大きいまたはそれと等しいビーム範囲を用いることにより制御情報を受信するよう構成される、もしくは、第２初期ビームインデックス情報に対応する初期ビームのビーム範囲より小さいビーム範囲を用いることにより制御情報を受信するよう構成される。
【００２５】
第２態様の第４の可能な実装方式において、
受信モジュールはさらに、基地局によりユーザ機器に割り当てられたミリ波帯の代替ビームを示すのに用いられる、基地局により送信された代替ビームインデックス情報を受信するよう構成され、
ユーザ機器はさらに、
ＲＳＲＰおよびＲＳＲＱのうち少なくとも１つを含む、初期ビームの参照信号情報が第２閾値より小さいとき、各代替ビームインデックス情報により示される代替ビームに対してＲＲＭ測定を実行するよう構成された測定モジュールと、
測定モジュールにより実行されたＲＲＭ測定に従って、参照信号情報が第３閾値より大きい第１代替ビームインデックス情報を決定するよう構成された決定モジュールと
を備え、
送信モジュールはさらに、決定モジュールにより決定された第１代替ビームインデックス情報を、第１代替ビームインデックス情報に対応する代替ビームに従ってユーザ機器と通信するよう構成された基地局へ送信するよう構成される。
【００２６】
第２態様の第４の可能な実装方式を参照すると、第２態様の第５の可能な実装方式において、
送信モジュールはさらに、アップリンクタイミングアドバンスＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、基地局へ自動的に送信するよう構成される、または、
受信モジュールはさらに、ユーザ機器に割り当てられた代替ビームを用いてユーザ機器と通信することを、ビームトラッキングを用いることにより基地局が決定した後に送信される、基地局により送信されたランダムアクセス命令を制御チャネル上で受信するよう構成され、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信するよう構成される。
【００２７】
第２態様の第４の可能な実装方式を参照すると、第２態様の第６の可能な実装方式において、
受信モジュールはさらに、同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットを受信するよう構成され、
測定モジュールはさらに、受信モジュールにより受信されたＴＡセットに含まれるＴＡＴが満了したとき、ＴＡセットに含まれるセル識別子が他のＴＡセットに含まれるビームインデックス情報に対応するか否か、および他のＴＡセットに含まれるＴＡＴが満了していないか否かを検出するよう構成され、
ユーザ機器はさらに、
ＴＡセットに含まれるセル識別子が他のＴＡセットに含まれるビームインデックス情報に対応すること、および他のＴＡセットに含まれるＴＡＴが満了していないことを測定モジュールが検出したとき、ビームインデックス情報に対応するセルを決定し、セルに対応するハイブリッド自動再送要求ＨＡＲＱバッファエリアおよびサウンディング参照シンボルＳＲＳリソースを確保するよう構成された確保モジュールと、
ＴＡセットに含まれるセル識別子が他のＴＡセットに含まれるビームインデックス情報に対応すること、および他のＴＡセットに含まれるＴＡＴが満了したことを測定モジュールが検出したとき、ビームインデックス情報に対応するセルを決定し、セルに対応するＨＡＲＱバッファエリアおよびＳＲＳリソースをリリースするよう構成されたリリースモジュールと
を備える。
【００２８】
第２態様の第７の可能な実装方式において、
ユーザ機器はさらに、
送信モジュールが無線リソース管理ＲＲＭ測定報告を送信した後に、各初期ビームインデックス情報に対応する初期ビームのＲＳＲＰを測定して、各初期ビームの伝播損失情報を取得するよう構成された測定モジュールと、
測定モジュールにより測定された最小の伝播損失情報に従って電力ヘッドルームＰＨを生成して、電力ヘッドルーム報告ＰＨＲを取得するよう構成された生成モジュールと
を備え、
送信モジュールは具体的に、ＰＨとＰＨに対応する初期ビームとに従ってユーザ機器にアップリンクリソースを割り当てるよう、およびＰＨに対応する初期ビームを用いることにより対応するアップリンクリソース上でユーザ機器と通信するよう基地局に命令するのに用いられる、生成モジュールにより生成されたＰＨＲを送信するよう構成される。
【００２９】
第２態様の第７の可能な実装方式を参照すると、第２態様の第８の可能な実装方式において、
受信モジュールはさらに、基地局により送信され、単一の初期ビームのビーム範囲内の第１ビームの第１ビームインデックス情報を搬送する第１インジケーションを受信するよう構成され、
生成モジュールはさらに、受信モジュールにより受信された第１インジケーションにより示される各第１ビームのＲＳＲＰを測定して、各第１ビームの伝播損失情報を取得するよう構成される。
【００３０】
第２態様の第９の可能な実装方式において、ユーザ機器はさらに、
送信モジュールが無線リソース管理ＲＲＭ測定報告を送信した後に、各初期ビームインデックス情報に対応する初期ビームに対してチャネル状態情報ＣＳＩ測定を実行して、各初期ビームのチャネル品質インジケータＣＱＩを取得するよう構成された測定モジュールと、
測定モジュールにより測定された最大のＣＱＩに従って少なくとも１つのチャネル状態情報ＣＳＩ情報を生成して、ＣＳＩ測定報告を取得するよう構成された生成モジュールと
を備え、
送信モジュールは、ＣＳＩ情報とＣＳＩ情報に対応する初期ビームとに従ってユーザ機器と通信するよう基地局に命令するのに用いられる、生成モジュールにより生成されたＣＳＩ測定報告を送信するよう構成される。
【００３１】
第２態様の第９の可能な実装方式を参照すると、第２態様の第１０の可能な実装方式において、
受信モジュールはさらに、基地局により送信され、単一の初期ビームのビーム範囲内の第２ビームの第２ビームインデックス情報を搬送する第２インジケーションを受信するよう構成され、
生成モジュールはさらに、受信モジュールにより受信された第２インジケーションにより示される各第２ビームに対してＣＳＩ測定を実行して、各第２ビームのＣＱＩを取得するよう構成される。
【００３２】
第２態様の第１１の可能な実装方式において、
受信モジュールは、基地局により送信された、調整されたセル帯域幅についての情報と中心周波数についての情報とをブロードキャストにより受信するよう構成され、または、調整されたセル帯域幅についての情報と中心周波数についての情報とを搬送する、基地局により送信されたＲＲＣシグナリングを受信するよう構成され、調整されたセル帯域幅は、少なくとも１つのユーザ機器のトラフィックボリュームに従って基地局により調整され、セル帯域幅はトラフィックボリュームと正の相関を有し、中心周波数は、調整されたセル帯域幅に対応する周波数範囲内の中心の周波数であり、または周波数範囲内の指定された周波数であり、
受信モジュールは、調整されたセルが同一帯域幅チャネルを含むとき、基地局により送信された共通の情報を、中心周波数に位置するチャネル上で受信するよう構成される、または、基地局により送信された共通の情報を、各チャネルの中心の周波数で受信するよう構成される。
【００３３】
第２態様の第１２の可能な実装方式において、
受信モジュールはさらに、ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることにより受信するよう構成され、
ユーザ機器はさらに、ユーザ帯域幅に含まれ、受信モジュールにより受信されるチャネルの制御チャネルをリッスンするよう構成されたリッスンモジュールを備える。
【００３４】
第３態様によると、本発明の一実施形態は基地局を提供し、基地局は、
ユーザ機器に割り当てられたミリ波帯の初期ビームの初期ビームインデックス情報をユーザ機器へ送信するよう構成された送信機と、
送信機により送信された初期ビームインデックス情報により示される初期ビームに対してユーザ機器がＲＲＭ測定を実行した後に取得される無線リソース管理ＲＲＭ測定報告を、ユーザ機器から受信するよう構成された受信機と、
ユーザ機器との通信に用いられる初期ビームインデックス情報を、受信機により受信されたＲＲＭ測定報告に従って決定するよう構成されたプロセッサと
を備える。
【００３５】
第３態様の第１の可能な実装方式において、
プロセッサは具体的に、ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、参照信号情報が第１閾値より大きい第１初期ビームインデックス情報を決定するよう構成され、
送信機は、プロセッサにより決定された第１初期ビームインデックス情報に対応する初期ビームを用いることにより、制御情報を制御チャネル上でユーザ機器へ送信するよう構成され、
ユーザ機器は、休止状態からアクティブ状態に切り替わった後に、決定された第１初期ビームインデックス情報に対応する初期ビームを用いることにより制御情報をリッスンするよう構成される。
【００３６】
第３態様の第２の可能な実装方式において、
送信機はさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から第２初期ビームインデックス情報を指定するよう構成され、指定された第２初期ビームインデックス情報に対応する初期ビームは、制御情報を制御チャネル上でユーザ機器へ送信するのに用いられる。
【００３７】
第３態様の第３の可能な実装方式において、
送信機はさらに、ユーザ機器に割り当てられたミリ波帯の代替ビームの代替ビームインデックス情報をユーザ機器へ送信するよう構成され、
受信機はさらに、送信機により送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む代替ビームインデックス情報である第１代替ビームインデックス情報を受信するよう構成され、
プロセッサはさらに、受信機により受信された第１代替ビームインデックス情報に対応する代替ビームに従ってユーザ機器と通信するよう構成される。
【００３８】
第３態様の第３の可能な実装方式を参照すると、第３態様の第４の可能な実装方式において、
送信機はさらに、ユーザ機器により送信された第１ランダムアクセス要求を受信するよう構成され、
プロセッサは具体的に、第１ランダムアクセス要求に従ってアップリンクタイミングアドバンスＴＡを生成し、アップリンクＴＡと、受信された第１代替ビームインデックス情報に対応する代替ビームとに従ってユーザ機器と通信するよう構成される。
【００３９】
第３態様の第３の可能な実装方式を参照すると、第３態様の第５の可能な実装方式において、
プロセッサはさらに、ユーザ機器に割り当てられた代替ビームを用いてユーザ機器と通信することを、ビームトラッキングを用いることにより決定するよう構成され、
送信機はさらに、ランダムアクセス命令を制御チャネル上でユーザ機器へ送信するよう構成され、
受信機はさらに、送信機により送信されたランダムアクセス命令に従ってユーザ機器により送信された第２ランダムアクセス要求を受信するよう構成され、
プロセッサは具体的に、受信機により受信された第２ランダムアクセス要求に従ってアップリンクＴＡを生成し、アップリンクＴＡと、割り当てられた第２代替ビームインデックス情報に対応する代替ビームとに従ってユーザ機器と通信するよう構成される。
【００４０】
第３態様、第３態様の第１の可能な実装方式、第３態様の第２の可能な実装方式、第３態様の第３の可能な実装方式、第３態様の第４の可能な実装方式、または第３態様の第５の可能な実装方式を参照すると、第３態様の第６の可能な実装方式において、
プロセッサはさらに、同じアップリンクＴＡを有し、ユーザ機器との通信のためのビームに含まれるビームであって、初期ビームおよび代替ビームのうち少なくとも１つを含むビームをグループとして決定するよう構成され、ＴＡセット識別子と、グループに含まれる各ビームのビームインデックス情報と、グループに含まれる各ビームに対応するセル識別子および時間アライメントタイマーＴＡＴとを含む１つのＴＡセットを、各グループに従って生成するよう構成され、
送信機はさらに、プロセッサにより生成されたＴＡセットをユーザ機器へ送信するよう構成される。
【００４１】
第３態様の第７の可能な実装方式において、
受信機は、ユーザ機器との通信に用いられる初期ビームインデックス情報をプロセッサがＲＲＭ測定報告に従って決定した後に、各初期ビームのＲＳＲＰを測定することにより伝播損失情報が取得された後に最小の伝播損失情報に従って生成される電力ヘッドルームＰＨを含む電力ヘッドルーム報告ＰＨＲを、ユーザ機器から受信するよう構成され、
プロセッサは、受信機により受信されたＰＨと、ＰＨに対応する初期ビームとに従ってユーザ機器にアップリンクリソースを割り当て、ＰＨに対応する初期ビームを用いることにより対応するアップリンクリソース上でユーザ機器と通信するよう構成される。
【００４２】
第３態様の第７の可能な実装方式を参照すると、第３態様の第８の可能な実装方式において、
送信機はさらに、受信機が電力ヘッドルーム報告ＰＨＲをユーザ機器から受信する前に、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションをユーザ機器へ送信するよう構成される。
【００４３】
第３態様の第９の可能な実装方式において、
受信機は、ユーザ機器との通信に用いられる初期ビームインデックス情報をプロセッサがＲＲＭ測定報告に従って決定した後に、各初期ビームに対してチャネル状態情報ＣＳＩ測定を実行することによりチャネル品質インジケータＣＱＩが取得された後に最大のＣＱＩに従って生成されるＣＳＩ情報を含むＣＳＩ測定報告を、ユーザ機器から受信するよう構成され、
プロセッサは、受信機により受信されたＣＳＩ情報と、ＣＳＩ情報に対応する初期ビームとに従ってユーザ機器と通信するよう構成される。
【００４４】
第３態様の第９の可能な実装方式を参照すると、第３態様の第１０の可能な実装方式において、
送信機はさらに、受信機がチャネル状態情報ＣＳＩ測定報告をユーザ機器から受信する前に、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションをユーザ機器へ送信するよう構成される。
【００４５】
第３態様の第１１の可能な実装方式において、
プロセッサはさらに、ユーザ機器との通信に用いられる初期ビームインデックス情報をＲＲＭ測定報告に従って決定した後に、少なくとも１つのユーザ機器のトラフィックボリュームに従って、トラフィックボリュームと正の相関を有するセル帯域幅を調整するよう構成され、
送信機はさらに、プロセッサにより調整されたセル帯域幅についての情報と中心周波数についての情報とを各ユーザ機器へブロードキャストするよう構成され、または、調整されたセル帯域幅についての情報と中心周波数についての情報とを、ＲＲＣシグナリングを用いることにより各ユーザ機器へ送信するよう構成され、中心周波数は、調整されたセル帯域幅に対応する周波数範囲内の中心周波数である、または周波数範囲内の指定された周波数である。
【００４６】
第３態様の第１１の可能な実装方式を参照すると、第３態様の第１２の可能な実装方式において、
調整されたセルが同一帯域幅チャネルを含む場合、送信機はさらに、中心周波数に位置するチャネル上で各ユーザ機器へ共通の情報を送信するよう構成される、または、各チャネルの中心の周波数で各ユーザ機器へ共通の情報を送信するよう構成される。
【００４７】
第３態様の第１３の可能な実装方式において、
プロセッサはさらに、ユーザ機器との通信に用いられる初期ビームインデックス情報をＲＲＭ測定報告に従って決定した後に、ユーザ機器のトラフィックボリュームに従って、トラフィックボリュームと正の相関を有するユーザ機器のユーザ帯域幅を調整するよう構成され、
送信機はさらに、プロセッサにより調整されたユーザ帯域幅についての情報を、ＲＲＣシグナリング、ＭＡＣ  ＣＥ、および制御チャネルのうち少なくとも１つを用いることによりユーザ機器へ送信するよう構成される。
【００４８】
第３態様の第１３の可能な実装方式を参照すると、第３態様の第１４の可能な実装方式において、
プロセッサは具体的に、ユーザ機器に割り当てられたチャネルをユーザ機器のトラフィックボリュームに従って調整して、ユーザ帯域幅を取得するよう構成される。
【００４９】
第４態様によると、本発明の一実施形態はユーザ機器を提供し、ユーザ機器は、
基地局によりユーザ機器に割り当てられたミリ波帯の初期ビームを示すのに用いられる、基地局により送信された初期ビームインデックス情報を受信するよう構成された受信機と、
初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告を送信するよう構成された送信機と
を備える。
【００５０】
第４態様の第１の可能な実装方式において、
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、
ユーザ機器はさらに、送信機が無線リソース管理ＲＲＭ測定報告を送信した後に、ユーザ機器が休止状態からアクティブ状態に切り替わった後の参照信号情報が第１閾値より大きい第１初期ビームインデックス情報を決定するよう構成されたプロセッサを備え、
受信機はさらに、プロセッサにより決定された第１初期ビームインデックス情報に対応する初期ビームを用いることにより、制御チャネル上で制御情報をリッスンするよう構成される。
【００５１】
第４態様の第２の可能な実装方式において、
受信機はさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から基地局により指定された第２初期ビームインデックス情報を受信するよう構成され、第２初期ビームインデックス情報に対応する初期ビームを用いることにより、制御チャネル上で制御情報をリッスンするよう構成される。
【００５２】
第４態様の第１の可能な実装方式または第４態様の第２の可能な実装方式を参照すると、第４態様の第３の可能な実装方式において、
受信機は具体的に、無指向性方式で制御情報を受信するよう構成される、もしくは、第１初期ビームインデックス情報に対応する初期ビームのビーム範囲より大きいまたはそれと等しいビーム範囲を用いることにより制御情報を受信するよう構成される、もしくは、第１初期ビームインデックス情報に対応する初期ビームのビーム範囲より小さいビーム範囲を用いることにより制御情報を受信するよう構成される、または、
受信機は具体的に、無指向性方式で制御情報を受信するよう構成される、もしくは、第２初期ビームインデックス情報に対応する初期ビームのビーム範囲より大きいまたはそれと等しいビーム範囲を用いることにより制御情報を受信するよう構成される、もしくは、第２初期ビームインデックス情報に対応する初期ビームのビーム範囲より小さいビーム範囲を用いることにより制御情報を受信するよう構成される。
【００５３】
第４態様の第４の可能な実装方式において、
受信機はさらに、基地局によりユーザ機器に割り当てられたミリ波帯の代替ビームを示すのに用いられる、基地局により送信された代替ビームインデックス情報を受信するよう構成され、
ユーザ機器はさらにプロセッサを備え、
プロセッサは、ＲＳＲＰおよびＲＳＲＱのうち少なくとも１つを含む、初期ビームの参照信号情報が第２閾値より小さいとき、受信機により受信された各代替ビームインデックス情報により示される代替ビームに対してＲＲＭ測定を実行するよう構成され、ＲＲＭ測定に従って、参照信号情報が第３閾値より大きい第１代替ビームインデックス情報を決定するよう構成され、
送信機はさらに、プロセッサにより決定された第１代替ビームインデックス情報を、第１代替ビームインデックス情報に対応する代替ビームに従ってユーザ機器と通信するよう構成された基地局へ送信するよう構成される。
【００５４】
第４態様の第４の可能な実装方式を参照すると、第４態様の第５の可能な実装方式において、
送信機はさらに、アップリンクタイミングアドバンスＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、基地局へ自動的に送信するよう構成される、または、ユーザ機器に割り当てられた代替ビームを用いてユーザ機器と通信することを、ビームトラッキングを用いることにより基地局が決定した後に送信される、基地局により送信されたランダムアクセス命令を制御チャネル上で受信するよう構成され、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信するよう構成される。
【００５５】
第４態様、第４態様の第１の可能な実装方式、第４態様の第２の可能な実装方式、第４態様の第３の可能な実装方式、第４態様の第４の可能な実装方式、または第４態様の第５の可能な実装方式を参照すると、第４態様の第６の可能な実装方式において、
受信機はさらに、同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットを受信するよう構成され、
プロセッサはさらに、受信モジュールにより受信されたＴＡセットに含まれるＴＡＴが満了したとき、ＴＡセットに含まれるセル識別子が他のＴＡセットに含まれるビームインデックス情報に対応するか否か、および他のＴＡセットに含まれるＴＡＴが満了していないか否かを検出するよう構成され、ＴＡセットに含まれるセル識別子が他のＴＡセットに含まれるビームインデックス情報に対応すること、および他のＴＡセットに含まれるＴＡＴが満了していないことが検出されたとき、ビームインデックス情報に対応するセルを決定し、セルに対応するハイブリッド自動再送要求ＨＡＲＱバッファエリアおよびサウンディング参照シンボルＳＲＳリソースを確保するよう構成される、または、ＴＡセットに含まれるセル識別子が他のＴＡセットに含まれるビームインデックス情報に対応すること、および他のＴＡセットに含まれるＴＡＴが満了したことが検出されたとき、ビームインデックス情報に対応するセルを決定し、セルに対応するＨＡＲＱバッファエリアおよびＳＲＳリソースをリリースするよう構成される。
【００５６】
第４態様の第７の可能な実装方式において、
ユーザ機器はさらにプロセッサを備え、
プロセッサは、送信機が無線リソース管理ＲＲＭ測定報告を送信した後に、各初期ビームインデックス情報に対応する初期ビームのＲＳＲＰを測定して、各初期ビームの伝播損失情報を取得するよう構成され、最小の伝播損失情報に従って電力ヘッドルームＰＨを生成して、電力ヘッドルーム報告ＰＨＲを取得するよう構成され、
送信機はさらに、ＰＨとＰＨに対応する初期ビームとに従ってユーザ機器にアップリンクリソースを割り当てるよう、およびＰＨに対応するビームを用いることにより対応するアップリンクリソース上でユーザ機器と通信するよう基地局に命令するのに用いられる、プロセッサにより生成されたＰＨＲを送信するよう構成される。
【００５７】
第４態様の第７の可能な実装方式を参照すると、第４態様の第８の可能な実装方式において、
受信機はさらに、基地局により送信され、単一の初期ビームのビーム範囲内の第１ビームの第１ビームインデックス情報を搬送する第１インジケーションを受信するよう構成され、
プロセッサはさらに、受信機により受信された第１インジケーションにより示される各第１ビームのＲＳＲＰを測定して、各第１ビームの伝播損失情報を取得するよう構成される。
【００５８】
第４態様の第９の可能な実装方式において、
ユーザ機器はさらにプロセッサを備え、
プロセッサは、送信機が無線リソース管理ＲＲＭ測定報告を送信した後に、各初期ビームインデックス情報に対応する初期ビームに対してチャネル状態情報ＣＳＩ測定を実行して、各初期ビームのチャネル品質インジケータＣＱＩを取得するよう構成され、最大のＣＱＩに従って少なくとも１つのチャネル状態情報ＣＳＩ情報を生成して、ＣＳＩ測定報告を取得するよう構成され、
送信機はさらに、ＣＳＩ情報とＣＳＩ情報に対応する初期ビームとに従ってユーザ機器と通信するよう基地局に命令するのに用いられる、プロセッサにより生成されたＣＳＩ測定報告を送信するよう構成される。
【００５９】
第４態様の第９の可能な実装方式を参照すると、第４態様の第１０の可能な実装方式において、
受信機はさらに、基地局により送信され、単一の初期ビームのビーム範囲内の第２ビームの第２ビームインデックス情報を搬送する第２インジケーションを受信するよう構成され、
プロセッサはさらに、受信機により受信された第２インジケーションにより示される各第２ビームに対してＣＳＩ測定を実行して、各第２ビームのＣＱＩを取得するよう構成される。
【００６０】
第４態様の第１１の可能な実装方式において、
受信機はさらに、基地局により送信された、調整されたセル帯域幅についての情報と中心周波数についての情報とをブロードキャストにより受信するよう構成され、または、調整されたセル帯域幅についての情報と中心周波数についての情報とを搬送する、基地局により送信されたＲＲＣシグナリングを受信するよう構成され、調整されたセル帯域幅は、少なくとも１つのユーザ機器のトラフィックボリュームに従って基地局により調整され、セル帯域幅はトラフィックボリュームと正の相関を有し、中心周波数は、調整されたセル帯域幅に対応する周波数範囲内の中心の周波数であり、または周波数範囲内の指定された周波数であり、
受信機はさらに、調整されたセルが同一帯域幅チャネルを含む場合、基地局により送信された共通の情報を、中心周波数に位置するチャネル上で受信するよう構成される、または、基地局により送信された共通の情報を、各チャネルの中心の周波数で受信するよう構成される。
【００６１】
第４態様の第１２の可能な実装方式において、
受信機はさらに、ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることにより受信するよう構成され、ユーザ帯域幅に含まれるチャネルの制御チャネルをリッスンするよう構成される。
【００６２】
第５態様によると、本発明の一実施形態はビーム構成方法を提供し、方法は、
ユーザ機器に割り当てられたミリ波帯の初期ビームの初期ビームインデックス情報を基地局がユーザ機器へ送信する段階と、
初期ビームインデックス情報により示される初期ビームに対してユーザ機器がＲＲＭ測定を実行した後に取得される無線リソース管理ＲＲＭ測定報告を、基地局がユーザ機器から受信する段階と、
ユーザ機器との通信に用いられる初期ビームインデックス情報を基地局がＲＲＭ測定報告に従って決定する段階と
を備える。
【００６３】
第５態様の第１の可能な実装方式において、
ユーザ機器との通信に用いられる初期ビームインデックス情報を基地局がＲＲＭ測定報告に従って決定する段階は、ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、参照信号情報が第１閾値より大きい第１初期ビームインデックス情報を基地局が決定する段階を有し、
基地局は、決定された第１初期ビームインデックス情報に対応する初期ビームを用いることにより、制御情報を制御チャネル上でユーザ機器へ送信し、
ユーザ機器は、休止状態からアクティブ状態に切り替わった後に、決定された第１初期ビームインデックス情報に対応する初期ビームを用いることにより制御情報をリッスンするよう構成される。
【００６４】
第５態様の第２の可能な実装方式において、方法はさらに、
無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から第２初期ビームインデックス情報を基地局が指定する段階であって、指定された第２初期ビームインデックス情報に対応する初期ビームは、制御情報を制御チャネル上でユーザ機器へ送信するのに用いられる、段階を備える。
【００６５】
第５態様の第３の可能な実装方式において、方法はさらに、
ユーザ機器に割り当てられたミリ波帯の代替ビームの代替ビームインデックス情報を基地局がユーザ機器へ送信する段階と、
各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む少なくとも１つの代替ビームインデックス情報である第１代替ビームインデックス情報を基地局が受信する段階と、
受信された第１代替ビームインデックス情報に対応する代替ビームに従って基地局がユーザ機器と通信する段階と
を備える。
【００６６】
第５態様の第３の可能な実装方式を参照すると、第５態様の第４の可能な実装方式において、
受信された代替ビームインデックス情報に対応する代替ビームに従って基地局がユーザ機器と通信する段階は、
基地局が、ユーザ機器により送信された第１ランダムアクセス要求を受信し、第１ランダムアクセス要求に従ってアップリンクタイミングアドバンスＴＡを生成する段階と、
アップリンクＴＡと、受信された第１代替ビームインデックス情報に対応する代替ビームとに従って基地局がユーザ機器と通信する段階と
を有する。
【００６７】
第５態様の第３の可能な実装方式を参照すると、第５態様の第５の可能な実装方式において、方法はさらに、
ユーザ機器に割り当てられた代替ビームを用いてユーザ機器と通信することを、ビームトラッキングを用いることにより基地局が決定する段階と、
基地局がランダムアクセス命令を制御チャネル上でユーザ機器へ送信する段階と、
基地局が、ランダムアクセス命令に従ってユーザ機器により送信された第２ランダムアクセス要求を受信し、第２ランダムアクセス要求に従ってアップリンクＴＡを生成する段階と、
アップリンクＴＡと、割り当てられた第２代替ビームインデックス情報に対応する代替ビームとに従って基地局がユーザ機器と通信する段階と
を備える。
【００６８】
第５態様、第５態様の第１の可能な実装方式、第５態様の第２の可能な実装方式、第５態様の第３の可能な実装方式、第５態様の第４の可能な実装方式、または第５態様の第５の可能な実装方式を参照すると、方法はさらに、
同じアップリンクＴＡを有し、ユーザ機器との通信のためのビームに含まれるビームであって、初期ビームおよび代替ビームのうち少なくとも１つを含むビームを基地局がグループとして決定する段階と、
ＴＡセット識別子と、グループに含まれる各ビームのビームインデックス情報と、グループに含まれる各ビームに対応するセル識別子および時間アライメントタイマーＴＡＴとを含む１つのＴＡセットを、各グループに従って基地局が生成する段階と、
生成されたＴＡセットを、基地局がユーザ機器へ送信する段階と
を備える。
【００６９】
第５態様の第７の可能な実装方式において、
ユーザ機器との通信に用いられる初期ビームインデックス情報を基地局がＲＲＭ測定報告に従って決定する段階の後に、方法はさらに、
各初期ビームのＲＳＲＰを測定することにより伝播損失情報が取得された後に最小の伝播損失情報に従って生成される電力ヘッドルームＰＨを含む電力ヘッドルーム報告ＰＨＲを、基地局がユーザ機器から受信する段階と、
ＰＨとＰＨに対応する初期ビームとに従って基地局がユーザ機器にアップリンクリソースを割り当てる段階と、
ＰＨに対応する初期ビームを用いることにより対応するアップリンクリソース上で基地局がユーザ機器と通信する段階と
を備える。
【００７０】
第５態様の第７の可能な実装方式を参照すると、第５態様の第８の可能な実装方式において、
電力ヘッドルーム報告ＰＨＲを基地局がユーザ機器から受信する段階の前に、方法はさらに、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションを基地局がユーザ機器へ送信する段階を備える。
【００７１】
第５態様の第９の可能な実装方式において、
ユーザ機器との通信に用いられる初期ビームインデックス情報を基地局がＲＲＭ測定報告に従って決定する段階の後に、方法はさらに、
各初期ビームに対してチャネル状態情報ＣＳＩ測定を実行することによりチャネル品質インジケータＣＱＩが取得された後に最大のＣＱＩに従って生成されるＣＳＩ情報を含むＣＳＩ測定報告を、基地局がユーザ機器から受信する段階と、
ＣＳＩ情報とＣＳＩ情報に対応する初期ビームとに従って基地局がユーザ機器と通信する段階と
を備える。
【００７２】
第５態様の第９の可能な実装方式を参照すると、第５態様の第１０の可能な実装方式において、
チャネル状態情報ＣＳＩ測定報告を基地局がユーザ機器から受信する段階の前に、方法はさらに、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションを、基地局がユーザ機器へ送信する段階を備える。
【００７３】
第５態様の第１１の可能な実装方式において、
ユーザ機器との通信に用いられる初期ビームインデックス情報を基地局がＲＲＭ測定報告に従って決定する段階の後に、方法はさらに、
少なくとも１つのユーザ機器のトラフィックボリュームに従って、トラフィックボリュームと正の相関を有するセル帯域幅を基地局が調整する段階と、
基地局が、調整されたセル帯域幅についての情報と中心周波数についての情報とを各ユーザ機器へブロードキャストする段階、または、調整されたセル帯域幅についての情報と中心周波数についての情報とを、ＲＲＣシグナリングを用いることにより各ユーザ機器へ送信する段階であって、中心周波数は、調整されたセル帯域幅に対応する周波数範囲内の中心の周波数である、または周波数範囲内の指定された周波数である、段階と
を備える。
【００７４】
第５態様の第１１の可能な実装方式を参照すると、第５態様の第１２の可能な実装方式において、
調整されたセルが同一帯域幅チャネルを含む場合、方法はさらに、基地局が、中心周波数に位置するチャネル上で各ユーザ機器へ共通の情報を送信する段階、または、各チャネルの中心の周波数で各ユーザ機器へ共通の情報を送信する段階を備える。
【００７５】
第５態様の第１３の可能な実装方式において、
ユーザ機器との通信に用いられる初期ビームインデックス情報を基地局がＲＲＭ測定報告に従って決定する段階の後に、方法はさらに、
ユーザ機器のトラフィックボリュームに従って、トラフィックボリュームと正の相関を有するユーザ機器のユーザ帯域幅を基地局が調整する段階と、
調整されたユーザ帯域幅についての情報を、ＲＲＣシグナリング、ＭＡＣ  ＣＥ、および制御チャネルのうち少なくとも１つを用いることにより基地局がユーザ機器へ送信する段階と
を備える。
【００７６】
第５態様の第１３の可能な実装方式を参照すると、第５態様の第１４の可能な実装方式において、
ユーザ機器のトラフィックボリュームに従って、ユーザ機器のユーザ帯域幅を基地局が調整する段階は、基地局が、ユーザ機器に割り当てられたチャネルをユーザ機器のトラフィックボリュームに従って調整して、ユーザ帯域幅を取得する段階を有する。
【００７７】
第６態様によると、本発明の一実施形態はビーム構成方法を提供し、方法は、
基地局によりユーザ機器に割り当てられたミリ波帯の初期ビームを示すのに用いられる、基地局により送信された初期ビームインデックス情報をユーザ機器が受信する段階と、
初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告をユーザ機器が送信する段階と
を備える。
【００７８】
第６態様の第１の可能な実装方式において、
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器が無線リソース管理ＲＲＭ測定報告を送信する段階の後に、方法はさらに、
ユーザ機器が休止状態からアクティブ状態に切り替わった後の参照信号情報が第１閾値より大きい第１初期ビームインデックス情報をユーザ機器が決定する段階と、
第１初期ビームインデックス情報に対応する初期ビームを用いることにより、ユーザ機器が制御チャネル上で制御情報をリッスンする段階と
を備える。
【００７９】
第６態様の第２の可能な実装方式において、方法はさらに、
無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から基地局により指定された第２初期ビームインデックス情報をユーザ機器が受信する段階と、
第２初期ビームインデックス情報に対応する初期ビームを用いることにより、ユーザ機器が制御チャネル上で制御情報をリッスンする段階と
を備える。
【００８０】
第６態様の第１の可能な実装方式または第６態様の第２の可能な実装方式を参照すると、第６態様の第３の可能な実装方式において、
第１初期ビームインデックス情報に対応する初期ビームを用いることにより、ユーザ機器が制御チャネル上で制御情報をリッスンする段階は、ユーザ機器が、無指向性方式で制御情報を受信する段階、または、第１初期ビームインデックス情報に対応する初期ビームのビーム範囲より大きいまたはそれと等しいビーム範囲を用いることにより制御情報を受信する段階、または、第１初期ビームインデックス情報に対応する初期ビームのビーム範囲より小さいビーム範囲を用いることにより制御情報を受信する段階を有し、
第２初期ビームインデックス情報に対応する初期ビームを用いることにより、ユーザ機器が制御チャネル上で制御情報をリッスンする段階は、ユーザ機器が、無指向性方式で制御情報を受信する段階、または、第２初期ビームインデックス情報に対応する初期ビームのビーム範囲より大きいまたはそれと等しいビーム範囲を用いることにより制御情報を受信する段階、または、第２初期ビームインデックス情報に対応する初期ビームのビーム範囲より小さいビーム範囲を用いることにより制御情報を受信する段階を有する。
【００８１】
第６態様の第４の可能な実装方式において、方法はさらに、
基地局によりユーザ機器に割り当てられたミリ波帯の代替ビームを示すのに用いられる、基地局により送信された代替ビームインデックス情報をユーザ機器が受信する段階と、
ＲＳＲＰおよびＲＳＲＱのうち少なくとも１つを含む、初期ビームの参照信号情報が第２閾値より小さい場合、各代替ビームインデックス情報により示される代替ビームに対してユーザ機器がＲＲＭ測定を実行する段階と、
ＲＲＭ測定に従って、参照信号情報が第３閾値より大きい第１代替ビームインデックス情報をユーザ機器が決定する段階と、
決定された第１代替ビームインデックス情報を、第１代替ビームインデックス情報に対応する代替ビームに従ってユーザ機器と通信するよう構成された基地局へユーザ機器が送信する段階と
を備える。
【００８２】
第６態様の第４の可能な実装方式を参照すると、第６態様の第５の可能な実装方式において、方法はさらに、
アップリンクタイミングアドバンスＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、ユーザ機器が基地局へ自動的に送信する段階、または、
ユーザ機器に割り当てられた代替ビームを用いてユーザ機器と通信することを、ビームトラッキングを用いることにより基地局が決定した後に送信される、基地局により送信されたランダムアクセス命令をユーザ機器が制御チャネル上で受信する段階と、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信する段階と
を備える。
【００８３】
第６態様、第６態様の第１の可能な実装方式、第６態様の第２の可能な実装方式、第６態様の第３の可能な実装方式、第６態様の第４の可能な実装方式、または第６態様の第５の可能な実装方式を参照すると、第６態様の第６の可能な実装方式において、方法はさらに、
同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットをユーザ機器が受信する段階と、
ＴＡセットに含まれるＴＡＴが満了した場合、ＴＡセットに含まれるセル識別子が他のＴＡセットに含まれるビームインデックス情報に対応するか否か、および他のＴＡセットに含まれるＴＡＴが満了していないか否かをユーザ機器が検出する段階と、
ＴＡセットに含まれるセル識別子が他のＴＡセットに含まれるビームインデックス情報に対応すること、および他のＴＡセットに含まれるＴＡＴが満了していないことが検出された場合、ユーザ機器が、ビームインデックス情報に対応するセルを決定し、セルに対応するハイブリッド自動再送要求ＨＡＲＱバッファエリアおよびサウンディング参照シンボルＳＲＳリソースを確保する段階、または、
ＴＡセットに含まれるセル識別子が他のＴＡセットに含まれるビームインデックス情報に対応すること、および他のＴＡセットに含まれるＴＡＴが満了したことが検出された場合、ユーザ機器が、ビームインデックス情報に対応するセルを決定し、セルに対応するＨＡＲＱバッファエリアおよびＳＲＳリソースをリリースする段階と
を備える。
【００８４】
第６態様の第７の可能な実装方式において、
ユーザ機器が無線リソース管理ＲＲＭ測定報告を送信する段階の後に、方法はさらに、
ユーザ機器が、各初期ビームインデックス情報に対応する初期ビームのＲＳＲＰを測定して、各初期ビームの伝播損失情報を取得する段階と、
ユーザ機器が、最小の伝播損失情報に従って電力ヘッドルームＰＨを生成して、電力ヘッドルーム報告ＰＨＲを取得する段階と、
ＰＨとＰＨに対応する初期ビームとに従ってユーザ機器にアップリンクリソースを割り当てるよう、およびＰＨに対応する初期ビームを用いることにより対応するアップリンクリソース上でユーザ機器と通信するよう基地局に命令するのに用いられるＰＨＲをユーザ機器が送信する段階と
を備える。
【００８５】
第６態様の第７の可能な実装方式を参照すると、第６態様の第８の可能な実装方式において、
ユーザ機器が、各初期ビームインデックス情報に対応する初期ビームのＲＳＲＰを測定して、各初期ビームの伝播損失情報を取得する段階は、
基地局により送信され、単一の初期ビームのビーム範囲内の第１ビームの第１ビームインデックス情報を搬送する第１インジケーションをユーザ機器が受信する段階と、
ユーザ機器が、第１インジケーションにより示される各第１ビームのＲＳＲＰを測定して、各第１ビームの伝播損失情報を取得する段階と
を有する。
【００８６】
第６態様の第９の可能な実装方式において、
ユーザ機器が無線リソース管理ＲＲＭ測定報告を送信する段階の後に、方法はさらに、
ユーザ機器が、各初期ビームインデックス情報に対応する初期ビームに対してチャネル状態情報ＣＳＩ測定を実行して、各初期ビームのチャネル品質インジケータＣＱＩを取得する段階と、
ユーザ機器が、最大のＣＱＩに従ってチャネル状態情報ＣＳＩ情報を生成して、ＣＳＩ測定報告を取得する段階と、
ＣＳＩ情報とＣＳＩ情報に対応する初期ビームとに従ってユーザ機器と通信するよう基地局に命令するのに用いられるＣＳＩ測定報告を、ユーザ機器が送信する段階と
を備える。
【００８７】
第６態様の第９の可能な実装方式を参照すると、第６態様の第１０の可能な実装方式において、
ユーザ機器が、各初期ビームインデックス情報に対応する初期ビームに対してチャネル状態情報ＣＳＩ測定を実行して、各初期ビームのチャネル品質インジケータＣＱＩを取得する段階は、
基地局により送信され、単一の初期ビームのビーム範囲内の第２ビームの第２ビームインデックス情報を搬送する第２インジケーションをユーザ機器が受信する段階と、
ユーザ機器が、第２インジケーションにより示される各第２ビームに対してＣＳＩ測定を実行して、各第２ビームのＣＱＩを取得する段階と
を有する。
【００８８】
第６態様の第１１の可能な実装方式において、方法はさらに、
ユーザ機器が、基地局により送信された、調整されたセル帯域幅についての情報と中心周波数についての情報とをブロードキャストにより受信する段階、または、調整されたセル帯域幅についての情報と中心周波数についての情報とを搬送する、基地局により送信されたＲＲＣシグナリングを受信する段階であって、調整されたセル帯域幅は、少なくとも１つのユーザ機器のトラフィックボリュームに従って基地局により調整され、セル帯域幅はトラフィックボリュームと正の相関を有し、中心周波数は、調整されたセル帯域幅に対応する周波数範囲内の中心の周波数である、または周波数範囲内の指定された周波数である、段階と、
調整されたセルが同一帯域幅チャネルを含む場合、ユーザ機器が、基地局により送信された共通の情報を、中心周波数に位置するチャネル上で受信する段階、または、基地局により送信された共通の情報を、各チャネルの中心の周波数で受信する段階と
を備える。
【００８９】
第６態様の第１２の可能な実装方式において、方法はさらに、
ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることによりユーザ機器が受信する段階と、
ユーザ帯域幅に含まれるチャネルの制御チャネルをユーザ機器がリッスンする段階と
を備える。
【００９０】
本発明の実施形態により提供される技術的解決手段は、以下の有益な効果を有する。
【００９１】
ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ＲＲＭ測定報告に従って、ユーザ機器との通信に用いられる初期ビームインデックス情報が決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【図面の簡単な説明】
【００９２】
本発明の実施形態における技術的解決手段をより明瞭に説明するべく、実施形態を説明するのに必要な添付図面について以下で簡単に説明する。以下の説明における添付図面は、単に本発明の一部の実施形態を示すものであり、当業者ならば創造努力なくこれらの添付図面から更に他の図面を導き出し得ることは明らかである。
【００９３】
【図１】本発明の一実施形態に係るビーム構成システムの概略構成図である。
【００９４】
【図２】本発明の一実施形態に係る基地局の構造ブロック図である。
【００９５】
【図３】本発明の他の実施形態に係る基地局の構造ブロック図である。
【００９６】
【図４】本発明の他の実施形態に係るユーザ機器の構造ブロック図である。
【００９７】
【図５】本発明の他の実施形態に係るユーザ機器の構造ブロック図である。
【００９８】
【図６】本発明の他の実施形態に係る基地局の構造ブロック図である。
【００９９】
【図７】本発明の他の実施形態に係るユーザ機器の構造ブロック図である。
【０１００】
【図８】本発明の他の実施形態に係るユーザ機器の構造ブロック図である。
【０１０１】
【図９】本発明の他の実施形態に係るビーム構成方法の方法フローチャートである。
【０１０２】
【図１０】本発明の他の実施形態に係るビーム構成方法の方法フローチャートである。
【発明を実施するための形態】
【０１０３】
本発明の目的、技術的解決手段、および利点をより明確にすべく、以下でさらに添付図面を参照して本発明の実施形態を詳細に説明する。
【０１０４】
本発明の実施形態は、ビーム構成方法に関する。既存のＬＴＥ−Ａキャリアアグリゲーションが本ビーム構成方法の背景として用いられ、ＬＴＥ−Ａ技術における比較的低い帯域のキャリアおよびミリ波帯のキャリアがアグリゲートされることで、より高い帯域幅およびより大きい容量を提供する。本発明の実施形態においては、比較的低い帯域のキャリアを一次キャリアＰＣｅｌｌとして用い、ミリ波帯のキャリアを二次キャリアＳＣｅｌｌとして用いることが一例として用いられるが、ミリ波帯のキャリアを一次キャリアとして用いる場合にも適用可能である。本発明の実施形態で要するビームフォーミング技術は、水平面上のビームを指してもよく、鉛直面上のビームを指してもよい。
【０１０５】
ＰＣｅｌｌとＳＣｅｌｌとは、同位置にあってもよく、同位置になくてもよい。ＳＣｅｌｌはＰＣｅｌｌのカバレッジ内に位置する、またはＰＣｅｌｌとＳＣｅｌｌとは重なり合うエリアをカバーする。ＰＣｅｌｌとＳＣｅｌｌとが同位置にあるとき、ＰＣｅｌｌを提供するＬＴＥ−Ａ基地局と、１または複数のＳＣｅｌｌを提供する１または複数のミリ波スモールセルまたはリモートラジオヘッド（英語：Ｒｅｍｏｔｅ  Ｒａｄｉｏ  Ｈｅａｄ、略してＲＲＨ）とが、ファイバを用いることにより、または無線バックホール通信用の無線方式で接続される。無線バックホールは、マイクロ波またはミリ波を用いてよい。無線バックホールがミリ波を用いるとき、無線バックホールに用いられるミリ波の帯域は、ＳＣｅｌｌが機能する帯域と同じまたは異なるものであってよい。図１に示されるビーム構成システムの概略構成図を参照すると、図１は１つのＬＴＥ進化型ノードＢ（英語：ｅｖｏｌｖｅｄ  Ｎｏｄｅ  Ｂ、略してｅＮＢ）、３つのミリ波セルラー通信進化型ノードＢ（英語：ｍｉｌｌｉｍｅｔｅｒ  ｗａｖｅ  ｅＮＢ）であるｅＮＢ１、ｅＮＢ２、およびｅＮＢ３、ならびにユーザ機器（英語：Ｕｓｅｒ  ｅｑｕｉｐｍｅｎｔ、略してＵＥ）を含む。ｅＮＢ１〜ｅＮＢ３は、ミリ波帯カバレッジを提供する。図１において、ｅＮＢ１〜ｅＮＢ３は１または複数のｅＮＢであってよく、これらとＬＴＥ  ｅＮＢとは同位置になくてもよく、同位置にあってもよい。ｅＮＢ１〜ｅＮＢ３は、ＬＴＥ  ｅＮＢへのバックホール接続を有するリモートラジオユニットＲＲＨであってよい。
【０１０６】
図２を参照すると、図２は、本発明の一実施形態に係る基地局の構造ブロック図を示す。基地局は、ＬＴＥ  ｅＮＢ、または図１に示されるｍｉｌｌｉｍｅｔｅｒ  ｗａｖｅ  ｅＮＢ１、ｅＮＢ２、もしくはｅＮＢ３であってよい。本発明の実施形態は、説明のための一例として、ＬＴＥ  ｅＮＢ、およびｅＮＢ１などのｍｉｌｌｉｍｅｔｅｒ  ｗａｖｅ  ｅＮＢのうちの１つを用いる。以下の実施形態において、別途指定がない限り、基地局はｍｉｌｌｉｍｅｔｅｒ  ｗａｖｅ  ｅＮＢを指す。基地局は、送信モジュール２０１と、受信モジュール２０２と、決定モジュール２０３とを備えてよい。
【０１０７】
送信モジュール２０１は、ユーザ機器に割り当てられたミリ波帯の初期ビームの初期ビームインデックス情報をユーザ機器へ送信するよう構成される。
【０１０８】
初期ビームインデックス情報は、基地局がダウンリンク情報をユーザ機器へ送信するときに用いられる初期ビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。基地局は、異なる初期ビームに対して異なる参照信号シーケンスを用いる、または、異なる初期ビームで初期ビームの初期ビームインデックス情報をブロードキャストする。ユーザ機器は、初期ビームインデックス情報と初期ビームの特性情報とに従って特定の初期ビームを一意に決定してよい。初期ビームインデックス情報は、仮想セル識別子として働いてもよい、つまり、複数の比較的幅広な初期ビームに従って同じセルを異なるセクタまたはサブセクタにさらに区分けしてもよい。以下の本発明の実施形態における初期ビームインデックス情報の機能および利用法については、本実施形態における説明を参照されたい。これは以下では説明しない。
【０１０９】
ＬＴＥ  ｅＮＢおよびｍｉｌｌｉｍｅｔｅｒ  ｗａｖｅ  ｅＮＢは両方、ユーザ機器に対して、無線リソース管理（Ｒａｄｉｏ  Ｒｅｓｏｕｒｃｅ  Ｍａｎａｇｅｍｅｎｔ、ＲＲＭ）測定用の初期ビームインデックス情報を構成し得る。ＬＴＥ  ｅＮＢがＲＲＭ測定用の初期ビームインデックス情報をユーザ機器に対して構成するとき、ｍｉｌｌｉｍｅｔｅｒ  ｗａｖｅ  ｅＮＢは初期ビームインデックス情報の構成をＬＴＥ  ｅＮＢへ送信し、ＬＴＥ  ｅＮＢは初期ビームインデックス情報の構成をユーザ機器へ送信する。以下の本発明の実施形態における初期ビームインデックス情報の構成方法については、本実施形態における説明を参照されたい。これは以下では説明しない。本明細書においてＲＲＭ測定とは、通常の意味ではモビリティ管理に用いられる測定を指してよく、無線リソース制御（英語：Ｒａｄｉｏ  Ｒｅｓｏｕｒｃｅ  Ｃｏｎｔｒｏｌ、略してＲＲＣ）層を介してフィルタリングされる（ｆｉｌｔｅｒｅｄ）測定方法である。例えば、ＬＴＥシステムで用いられるフィルタリング方法は、Ｆｎ＝（１−ａ）・Ｆｎ−１＋ａ・Ｍｎである。式中、Ｆｎは最新のフィルタリング測定結果であり、測定報告をトリガするための基準を評価するのに用いられ、Ｆｎ−１は前回の計算の後にフィルタリングされた測定結果であり、Ｍｎは物理層の最新の測定結果であり、ａは異なる測定要件に従って決定される係数である。ミリ波セルにおいて、ユーザ機器は異なるビーム間を比較的高速で動くことがあり、したがってビーム更新に用いられるＲＲＭ測定要件は、既存のＬＴＥシステムにおけるものより厳しいものであってよい。例えば、数十ミリ秒毎に評価が実行され、測定報告の基準が満たされているか否かを決定する。
【０１１０】
本明細書においてＲＲＭ測定とは、ビームトレーニング方式で実行される測定を指してもよい。例えば、基地局およびユーザ機器はそれぞれ、それぞれのセル範囲内で複数のビームで送信および受信を実行して、最も良好にマッチングするビームのペアを探し出す。そのようなペアの送信ビームと受信ビームとの間での通信の間は、受信効率が最も高くなり、伝送されるデータの信頼性が最も高くなる。この場合における測定はＲＲＣ層を介してフィルタリングされてよいが、測定要件はより厳しいものである必要がある、または、ＲＲＣ層を介してフィルタリングされる必要はないが、現在の測定結果が直接用いられる。例えば、より良好な伝送効果を実現するべく、基地局とユーザ機器との間でより小さい伝送電力が用いられてよい。以下の本発明の実施形態におけるＲＲＭ測定の意味については、本実施形態における説明を参照されたい。これは以下では説明しない。基地局により割り当てられるビームから比較的良好な信号品質の初期ビームを通信に選択することで通信品質を改善するべく、ＵＥはさらに、基地局により割り当てられた初期ビームを初期ビームインデックス情報に従って決定し、基地局により割り当てられた初期ビームに対してＲＲＭ測定を実行し、測定結果に従ってＲＲＭ測定報告を生成してよい。
【０１１１】
受信モジュール２０２は、送信モジュール２０１により送信された初期ビームインデックス情報により示される初期ビームに対してユーザ機器がＲＲＭ測定を実行した後に取得されるＲＲＭ測定報告を、ユーザ機器から受信するよう構成される。
【０１１２】
ユーザ機器がＲＲＭ測定報告をｍｉｌｌｉｍｅｔｅｒ  ｗａｖｅ  ｅＮＢへ送信するとき、ｍｉｌｌｉｍｅｔｅｒ  ｗａｖｅ  ｅＮＢは、ＲＲＭ測定報告を直接受信してよい。ユーザ機器がＲＲＭ測定報告をＬＴＥ  ｅＮＢへ送信するとき、ＬＴＥ  ｅＮＢは、受信されたＲＲＭ測定報告およびビームインデックス情報をｍｉｌｌｉｍｅｔｅｒ  ｗａｖｅ  ｅＮＢへ転送する。以下の本発明の実施形態における、ｍｉｌｌｉｍｅｔｅｒ  ｗａｖｅ  ｅＮＢによりＲＲＭ測定報告を受信するための方法については、本実施形態における説明を参照されたい。これは以下では説明しない。
【０１１３】
決定モジュール２０３は、受信モジュール２０２により受信されたＲＲＭ測定報告に従って、ＵＥとの通信に用いられる初期ビームインデックス情報を決定するよう構成される。
【０１１４】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０１１５】
結論として、本発明の本実施形態において提供される基地局によると、ユーザ機器に割り当てられたミリ波帯の初期ビームの初期ビームインデックス情報がユーザ機器へ送信され、初期ビームインデックス情報により示される初期ビームに対してユーザ機器がＲＲＭ測定を実行した後に取得される、ユーザ機器からのＲＲＭ測定報告が受信され、ＵＥとの通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０１１６】
図３を参照すると、図３は、本発明の他の実施形態に係る基地局の構造ブロック図を示す。基地局は、図１に示される基地局を含んでよい。基地局は、送信モジュール３０１と、受信モジュール３０２と、決定モジュール３０３とを備えてよい。
【０１１７】
送信モジュール３０１は、ユーザ機器に割り当てられたミリ波帯の初期ビームの初期ビームインデックス情報をユーザ機器へ送信するよう構成される。
【０１１８】
初期ビームインデックス情報は、基地局がダウンリンク情報をユーザ機器へ送信するときに用いられるビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。例えば、初期ビームのビーム方向は、水平方向に対して３０°〜６０°の方向、鉛直方向に対して２０°〜４０°の方向、またはそれに類する方向である。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。詳細については、図２に示される実施形態における説明を参照されたい。これはここでは説明しない。
【０１１９】
本実施形態において、基地局は、ユーザ機器に対して少なくとも１つの初期ビームを構成し、少なくとも１つの初期ビームに含まれる各初期ビームの初期ビームインデックス情報をユーザ機器へ送信してよい。これによりユーザ機器は、基地局により送信されるダウンリンク情報が受信されることになる初期ビームを決定する。
【０１２０】
本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０１２１】
受信モジュール３０２は、送信モジュール３０１により送信された初期ビームインデックス情報により示される初期ビームに対してユーザ機器がＲＲＭ測定を実行した後に取得されるＲＲＭ測定報告を、ユーザ機器から受信するよう構成される。
【０１２２】
決定モジュール３０３は、ユーザ機器との通信に用いられる初期ビームインデックス情報を、受信モジュール３０２により受信されたＲＲＭ測定報告に従って決定するよう構成される。
【０１２３】
基地局は、ＲＲＭ測定報告に従ってビームの信号品質を決定し、次に比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０１２４】
以下では、ビーム構成方法を説明するための例として異なる応用シナリオを用いる。詳細は以下の通りである。
【０１２５】
第１応用シナリオでは、説明のために、基地局が非連続的受信シナリオに適用される例を用いる。
【０１２６】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。制御チャネルは、物理ダウンリンク制御チャネル（英語：Ｐｈｙｓｉｃａｌ  Ｄｏｗｎｌｉｎｋ  Ｃｏｎｔｒｏｌ  Ｃｈａｎｎｅｌ、略してＰＤＣＣＨ）、および発展型物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、略してＥＰＤＣＣＨ）のうち少なくとも１つを含む。
【０１２７】
ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０１２８】
第１方法において、決定モジュール３０３は具体的に、ＲＲＭ測定報告に含まれる各初期ビームインデックス情報に対応する参照信号情報であって、参照信号受信電力（英語：Ｒｅｆｅｒｅｎｃｅ  Ｓｉｇｎａｌ  Ｒｅｃｅｉｖｉｎｇ  Ｐｏｗｅｒ、略してＲＳＲＰ）および参照信号受信品質（英語：Ｒｅｆｅｒｅｎｃｅ  Ｓｉｇｎａｌ  Ｒｅｃｅｉｖｉｎｇ  Ｑｕａｌｉｔｙ略してＲＳＲＱ）のうち少なくとも１つを含む参照信号情報から、参照信号情報が第１閾値より大きい第１初期ビームインデックス情報を決定するよう構成され、送信モジュール３０１はさらに、決定モジュール３０２により決定された第１初期ビームインデックス情報に対応する初期ビームを用いることにより、制御チャネル上でユーザ機器へ制御情報を送信するよう構成され、ユーザ機器は、休止状態からアクティブ状態に切り替わった後に、決定された第１初期ビームインデックス情報に対応する初期ビームを用いることにより制御情報をリッスンするよう構成される。
【０１２９】
ビームを決定するための第１方法において、基地局とユーザ機器とは、ＲＲＭ測定報告に含まれる比較的良好な信号品質の初期ビームを用いることに同意してよい。具体的には、基地局はＲＲＭ測定報告から参照信号情報を読み取り、参照信号情報が第１閾値より大きい第１初期ビームインデックス情報により示される初期ビームを、制御チャネル上で制御情報を送信する必要があるビームとして決定する。参照信号情報は、ＲＳＲＰおよびＲＳＲＱのうち少なくとも１つを含む。参照信号情報がＲＳＲＰであるとき、第１閾値はＲＳＲＰ閾値であってよく、参照信号情報がＲＳＲＱであるとき、第１閾値はＲＳＲＱ閾値であってよく、参照信号情報がＲＳＲＰおよびＲＳＲＱであるとき、第１閾値はＲＳＲＰ閾値およびＲＳＲＱ閾値を含んでよい。
【０１３０】
例えば、参照信号情報がＲＳＲＰであるとき、基地局は、ＲＲＭ測定報告からＲＳＲＰ閾値より大きい少なくとも１つのＲＳＲＰを選別し、その少なくとも１つのＲＳＲＰに対応する少なくとも１つの初期ビームインデックス情報を決定し、その少なくとも１つの初期ビームインデックス情報に従って少なくとも１つの初期ビームを決定してよい。代替的に、参照信号情報がＲＳＲＰおよびＲＳＲＱであるとき、基地局は、ＲＲＭ測定報告からＲＳＲＰ閾値より大きい少なくとも１つのＲＳＲＰおよびＲＳＲＱ閾値より大きい少なくとも１つのＲＳＲＱを選別し、その少なくとも１つのＲＳＲＰおよび少なくとも１つのＲＳＲＱから同じ初期ビームに属するＲＳＲＰおよびＲＳＲＱを決定し、少なくとも１つの対応する初期ビームインデックス情報を決定し、その少なくとも１つの初期ビームインデックス情報に従って少なくとも１つの初期ビームを決定してよい。
【０１３１】
第２方法において、決定モジュール３０３はさらに、ＲＲＣシグナリングおよび媒体アクセス制御（英語：Ｍｅｄｉａ  Ａｃｃｅｓｓ  Ｃｏｎｔｒｏｌ、略してＭＡＣ）の制御要素（英語：Ｃｏｎｔｒｏｌ  Ｅｌｅｍｅｎｔ、略してＣＥ）のうち少なくとも１つを用いることにより、ＲＲＭ測定報告に含まれる各初期ビームインデックス情報から第２初期ビームインデックス情報を指定するよう構成され、指定された第２初期ビームインデックス情報に対応する初期ビームは、制御チャネル上でユーザ機器へ制御情報を送信するのに用いられる。
【０１３２】
ビームを決定するための第２方法において、基地局は、割り当てられた初期ビームから、制御チャネル上でリソース割り当て制御シグナリングを送信するのに用いられる初期ビームを指定し、次にＲＲＣシグナリングまたはＭＡＣ  ＣＥを用いることにより、指定された初期ビームの第２初期ビームインデックス情報をユーザ機器へ送信してよい。
【０１３３】
加えて、ビームインデックス情報は、先述の第１方法および第２方法を用いることにより共同で決定されてもよいことに留意すべきである。例えば、基地局は最初に、ＲＲＣシグナリングおよびＭＡＣ  ＣＥのうち少なくとも１つを用いることにより第２初期ビームインデックス情報を指定し、特定の時間経過後に、基地局は、参照信号情報に従ってＲＲＭ測定報告から第１初期ビームインデックス情報を選択する。代替的に、基地局は最初に、参照信号情報に従ってＲＲＭ測定報告から第１初期ビームインデックス情報を選択し、一定時間経過後に、ＲＲＣシグナリングおよびＭＡＣ  ＣＥのうち少なくとも１つを用いることにより第２初期ビームインデックス情報を指定する。勿論、ビームインデックス情報は他の方法を用いることにより決定されてもよく、これは本実施形態に限定されない。
【０１３４】
ＲＲＭ測定報告に含まれる各初期ビームインデックス情報に対応する参照信号情報から、参照信号情報が第１閾値より大きい第１初期ビームインデックス情報が決定され、第１初期ビームインデックス情報に対応する初期ビームを用いることにより、制御情報が制御チャネル上でユーザ機器へ送信される。これにより、制御情報が、ＲＲＭ測定報告に含まれる比較的良好な信号品質の初期ビームを用いることにより伝送されることができ、それにより通信効率が改善する。
【０１３５】
第２応用シナリオでは、説明のために、基地局がタイミングアドバンス（英語：Ｔｉｍｉｎｇ  Ａｄｖａｎｃｅ、略してＴＡ）シナリオに適用される例を用いる。
【０１３６】
ユーザ機器と基地局との間の障害は、初期ビームの通信品質を低下させる。したがって、基地局は、障害を回避することにより通信品質を改善するべく、ユーザ機器に対して代替ビームを予め構成してよい。したがって、送信モジュール３０１はさらに、ユーザ機器に割り当てられたミリ波帯の代替ビームの代替ビームインデックス情報をユーザ機器へ送信するよう構成される。
【０１３７】
受信モジュール３０２はさらに、送信モジュール３０１により送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む代替ビームインデックス情報である第１代替ビームインデックス情報を受信するよう構成される。
【０１３８】
基地局はさらに、受信モジュール３０２により受信された第１代替ビームインデックス情報に対応する代替ビームに従って、ユーザ機器と通信するよう構成された通信モジュール３０４を備える。
【０１３９】
基地局は、代替ビームインデックス情報を別個にユーザ機器へ送信してよい、または、伝送オーバーヘッドを低減するべく、初期ビームインデックス情報をユーザ機器へ送信するときに、代替ビームインデックス情報と初期ビームインデックス情報とを一緒にユーザ機器へ送信してよい。以下の本発明の実施形態における代替ビームインデックス情報を送信するための方法は、本実施形態における代替ビームインデックス情報を送信するための方法と同じである。
【０１４０】
ユーザ機器が、基地局により割り当てられた初期ビームを用いることにより基地局と通信するとき、ユーザ機器は、初期ビームの参照信号情報をスケジュール通りにまたは周期的に測定してよい。ユーザ機器が、測定により、参照信号情報が第２閾値より小さいことを取得すると、ユーザ機器は、初期ビームの品質が比較的低いと決定する。この場合、ユーザ機器は、予め記憶されている代替ビームインデックス情報を読み取り、各代替ビームインデックス情報により示される代替ビームを用いて基地局と通信してよい。参照信号情報は、ＲＳＲＰおよびＲＳＲＱのうち少なくとも１つを含む。参照信号情報がＲＳＲＰであるとき、第２閾値はＲＳＲＰ閾値であり、参照信号情報がＲＳＲＱであるとき、参照信号情報はＲＳＲＱ閾値であり、参照信号情報がＲＳＲＰおよびＲＳＲＱを含むとき、第２閾値はＲＳＲＰ閾値およびＲＳＲＱ閾値を含む。
【０１４１】
少なくとも１つの代替ビームを用いて基地局と通信する前に、ユーザ機器はさらに、その少なくとも１つの代替ビームに対してＲＲＭ測定を実行し、各代替ビームの取得された参照信号情報から第３閾値より大きい参照信号情報を選別することで、選別された参照信号情報に従って対応する代替ビームを決定する必要がある。代替ビームに対するＲＲＭ測定の実行は、初期ビームの参照信号情報が第２閾値より小さいことをユーザ機器が検出した後にトリガされてよい、または周期的にトリガされてよい。このことは、本実施形態に限定されない。
【０１４２】
参照信号情報が第３閾値より大きいとき、その参照信号情報に対応する代替ビームの品質が比較的良好であると決定されてよく、この代替ビームを基地局との通信に用いることができる。参照信号情報が第３閾値より大きいか否かを検出するための方法は、参照信号情報が第２閾値より大きいか否かを検出するための方法と同じであり、詳細についてはここでは説明しない。第３閾値は第２閾値と同じであっても、異なっていてもよい。
【０１４３】
ユーザ機器が少なくとも１つの比較的良好な品質の代替ビームを選別した後に、その少なくとも１つの代替ビームの第１代替ビームインデックス情報が基地局へ送信される。基地局は、少なくとも１つの受信された代替ビームインデックス情報に対応する代替ビームに従って、ユーザ機器と通信する。
【０１４４】
さらに、ユーザ機器が、初期ビームに対してＲＲＭ測定を能動的に実行し、参照信号情報を用いることにより代替ビームを通信に用いるか否かを決定することに加え、基地局は、ビームトラッキング技術を用いてユーザ機器が障害エリアに入ろうとしているか否かを検出してよい。ユーザ機器が障害エリアに入ろうとしていることを基地局が検出したとき、ユーザ機器は、代替ビームに対してＲＲＭ測定を実行するようトリガされる。
【０１４５】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。例えば、ユーザ機器が基地局から比較的離れているとき、比較的大きいアップリンクＴＡがユーザ機器に対して構成されてよく、ユーザ機器が基地局の比較的近くにあるとき、比較的小さいアップリンクＴＡがユーザ機器に対して構成されてよい。
【０１４６】
一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０１４７】
ユーザ機器がランダムアクセス手順を能動的にトリガするとき、ユーザ機器は第１ランダムアクセス要求を基地局へ能動的に送信する。この場合、受信モジュール３０２はさらに、ユーザ機器により送信された第１ランダムアクセス要求を受信するよう構成される。
【０１４８】
基地局はさらに、第１ランダムアクセス要求に従ってアップリンクＴＡを生成するよう構成された生成モジュール３０５を備える。
【０１４９】
通信モジュール３０４は、生成モジュール３０４により生成されたアップリンクＴＡと、受信された第１代替ビームインデックス情報に対応する代替ビームとに従ってユーザ機器と通信するよう構成される。
【０１５０】
ユーザ機器が、ランダムアクセス命令により命令された通りにランダムアクセス手順をトリガするとき、ユーザ機器は、第２ランダムアクセス要求を基地局へ送信する。この場合、決定モジュール３０３はさらに、ユーザ機器に割り当てられた代替ビームを用いてユーザ機器と通信することを、ビームトラッキングを用いることにより決定するよう構成される。
【０１５１】
送信モジュール３０１は、制御チャネル上でランダムアクセス命令をユーザ機器へ送信するよう構成される。
【０１５２】
受信モジュール３０２はさらに、送信モジュール３０１により送信されたランダムアクセス命令に従ってユーザ機器により送信された第２ランダムアクセス要求を受信するよう構成される。
【０１５３】
基地局はさらに、第２ランダムアクセス要求に従ってアップリンクＴＡを生成するよう構成された生成モジュール３０５を備える。
【０１５４】
通信モジュール３０４はさらに、生成モジュール３０５により生成されたアップリンクＴＡと、割り当てられた第２代替ビームインデックス情報に対応する代替ビームとに従ってユーザ機器と通信するよう構成される。
【０１５５】
ランダムアクセス命令は、無競合ベースのランダムアクセス手順に適用されてよく、基地局は、ランダムアクセス命令を用いて、専用のランダムアクセスプリアンブル（ｐｒｅａｍｂｌｅ）および物理ランダムアクセスチャネルリソース（ＰＲＡＣＨ  ｒｅｓｏｕｒｃｅ）を示す。この場合、ユーザ機器により送信された第２ランダムアクセス要求は、ユーザ機器が基地局により示されるＰＲＡＣＨ  ｒｅｓｏｕｒｃｅ上で基地局へランダムアクセスプリアンブルを送信することを示す。競合ベースのランダムアクセス手順では、ユーザ機器自体がランダムアクセスプリアンブルおよびＰＲＡＣＨ  ｒｅｓｏｕｒｃｅを選択し、ユーザ機器は、ユーザ機器自体が選択したＰＲＡＣＨ  ｒｅｓｏｕｒｃｅ上でランダムアクセスプリアンブルを基地局へ送信する。以下の本発明の実施形態におけるランダムアクセス手順については、本実施形態における説明を参照されたい。これは以下では説明しない。
【０１５６】
したがって、各代替ビームの参照信号情報が第３閾値より小さいこと、および少なくとも１つの初期ビームの参照信号情報が第２閾値より大きいことをユーザ機器が検出したとき、初期ビームの品質が比較的良好であると決定され、その少なくとも１つの初期ビームの初期ビームインデックス情報が基地局へ送信される。基地局は、その少なくとも１つの初期ビームを用いてユーザ機器と通信する。代替的に、基地局は、ビームフォーミング技術を用いてユーザ機器が障害エリアから出ようとしていると決定し、少なくとも１つの初期ビームの参照信号情報が第２閾値より大きいことを検出すると、その少なくとも１つの初期ビームを用いてユーザ機器と通信することを決定する。この場合、ユーザ機器は、アップリンクＴＡを再決定してもよく、アップリンクＴＡを決定しなくてもよい。
【０１５７】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０１５８】
オプションで、決定モジュール３０３はさらに、同じアップリンクＴＡを有し、ユーザ機器との通信のためのビームに含まれるビームであって、初期ビームおよび代替ビームのうち少なくとも１つを含むビームをグループとして決定するよう構成される。
【０１５９】
生成モジュール３０５はさらに、ＴＡセット識別子と、グループに含まれる各ビームのビームインデックス情報と、グループに含まれる各ビームに対応するセル識別子および時間アライメントタイマーＴＡＴとを含む１つのＴＡセットを、決定モジュール３０３により取得された各グループに従って生成するよう構成される。
【０１６０】
送信モジュール３０１は、生成モジュール３０５により生成されたＴＡセットをユーザ機器へ送信するよう構成される。
【０１６１】
加えて、ユーザ機器が動いたためにアップリンクＴＡが変化したとき、基地局は、新たなアップリンクＴＡに従ってＴＡセットをユーザ機器に対して再構成し、ＴＡセットに含まれるビームインデックス情報およびビームインデックス情報と関連付けられたセルを割り当ててよいことに留意すべきである。基地局は、ＴＡ  ｃｍｄを用いることによりアップリンクＴＡおよびＴＡセットを調整してよい。
【０１６２】
送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きい代替ビームインデックス情報である第１代替ビームインデックス情報が受信される。第１代替ビームインデックス情報に対応する代替ビームに従って、ユーザ機器との通信が実行される。割り当てられた初期ビームの品質が比較的低いとき、比較的良好な品質の代替ビームをユーザ機器との通信に用いることができ、それにより通信効率が改善するという効果が実現する。
【０１６３】
第３応用シナリオでは、説明のために、基地局が電力制御シナリオに適用される例を用いる。
【０１６４】
基地局はビームフォーミング技術を用い、異なるビーム方向での伝播損失は異なってよい。したがって、伝播損失が最小である少なくとも１つの初期ビームを、割り当てられた初期ビームから選択する必要があり、選択された少なくとも１つの初期ビームで通信が実行される。
【０１６５】
したがって、受信モジュール３０２は、ユーザ機器との通信に用いられる初期ビームインデックス情報を決定モジュール３０３がＲＲＭ測定報告に従って決定した後に、各初期ビームのＲＳＲＰを測定することにより伝播損失情報が取得された後に最小の伝播損失情報に従って生成されるＰＨを含むＰＨＲを、ユーザ機器から受信するよう構成される。
【０１６６】
基地局はさらに、受信モジュール３０２により受信されたＰＨとＰＨに対応する初期ビームとに従って、ユーザ機器にアップリンクリソースを割り当てるよう構成された割り当てモジュール３０６を備える。
【０１６７】
通信モジュール３０４は具体的に、ＰＨに対応する初期ビームを用いることにより、割り当てモジュール３０６により割り当てられた対応するアップリンクリソース上でユーザ機器と通信するよう構成される。
【０１６８】
ユーザ機器がＰＨＲをｍｉｌｌｉｍｅｔｅｒ  ｗａｖｅ  ｅＮＢへ送信するとき、ｍｉｌｌｉｍｅｔｅｒ  ｗａｖｅ  ｅＮＢは、ＰＨＲを直接受信してよい。ユーザ機器がＰＨＲをＬＴＥ  ｅＮＢへ送信するとき、ＬＴＥ  ｅＮＢは、受信されたＰＨＲをｍｉｌｌｉｍｅｔｅｒ  ｗａｖｅ  ｅＮＢへ転送する。以下の本発明の実施形態における、ｍｉｌｌｉｍｅｔｅｒ  ｗａｖｅ  ｅＮＢによりＰＨＲを受信するための方法については、本実施形態における説明を参照されたい。これは以下では説明しない。
【０１６９】
基地局は、ＰＨＲを受信した後に、初期ビームインデックス情報とＰＨＲに含まれるＰＨとに従って、ユーザ機器にアップリンクリソースを割り当てる。これにより、ユーザ機器は、ユーザ機器の最大許容伝送電力より大きくない適切な電力を用いることにより、対応する初期ビームでアップリンク情報を送信する。
【０１７０】
加えて、ユーザ機器が初期ビームのＰＨを送信し、ユーザ機器が少なくとも２つの初期ビームを同時に通信に用いることができると基地局が決定したとき、スケジューリングされることになる少なくとも２つの初期ビームが、ユーザ機器のＳＲＳを測定することにより決定され得ることに留意すべきである。
【０１７１】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、その伝播損失が最小であるビームのＰＨを報告する。具体的には、送信モジュール３０１は、受信モジュール３０２が電力ヘッドルーム報告ＰＨＲをユーザ機器から受信する前に、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションをユーザ機器へ送信するよう構成される。
【０１７２】
単一の初期ビームのビーム範囲内の第１ビームは、初期ビームの中でより幅狭なビームを指す。例えば、単一の初期ビームのビーム範囲が３０°〜６０°であるとき、第１ビームは、３０°〜６０°の間のビーム、例えば３０°〜４０°の第１ビームまたは３５°〜５５°の第１ビームを指す。
【０１７３】
さらに、異なるビームの伝播損失情報は異なる。したがって、ビームに対する伝送電力の割り当ての間に、ビームの伝播損失情報がさらに検討される必要がある。オプションで、基地局がアップリンクリソースをユーザ機器の複数のビームに割り当てるとき、電力制御は各ビーム方向に対して別個に実行され得る。例えば、異なるアップリンクリソースが、異なるアップリンク電力を消費する必要があるビームに割り当てられる。
【０１７４】
各初期ビームのＲＳＲＰを測定することにより伝播損失情報が取得された後に最小の伝播損失情報に従って生成されるＰＨを含むＰＨＲがユーザ機器から受信され、ＰＨとＰＨに対応する初期ビームとに従ってアップリンクリソースがユーザ機器に割り当てられ、ＰＨに対応する初期ビームを用いることにより対応するアップリンクリソース上でユーザ機器との通信が実行される。これにより、伝播損失が最小である初期ビームに対応するアップリンクリソースをユーザ機器との通信に選択することができ、それにより伝送電力が低減する。
【０１７５】
第４応用シナリオでは、説明のために、基地局がチャネル状態情報（英語：Ｃｈａｎｎｅｌ  Ｓｔａｔｅ  Ｉｎｆｏｒｍａｔｉｏｎ、略してＣＳＩ）シナリオに適用される例を用いる。
【０１７６】
本実施形態において、ユーザ機器はさらに、ＣＳＩ情報に従って初期ビームの品質を決定するべく、初期ビームに対してＣＳＩ測定を実行してＣＳＩ情報を取得する必要がある。ＣＳＩ情報は、チャネル品質インジケータ（英語：Ｃｈａｎｎｅｌ  Ｑｕａｌｉｔｙ  Ｉｎｄｉｃａｔｏｒ、略してＣＱＩ）、プリコーディングマトリックスインデックス（英語：Ｐｒｅｃｏｄｉｎｇ  Ｍａｔｒｉｘ  Ｉｎｄｅｘ、略してＰＭＩ）、およびランクインジケーション（Ｒａｎｋ  Ｉｎｄｉｃａｔｉｏｎ、略してＲＩ）を含む。
【０１７７】
したがって、受信モジュール３０２は、ユーザ機器との通信に用いられる初期ビームインデックス情報を決定モジュール３０３がＲＲＭ測定報告に従って決定した後に、各初期ビームに対してＣＳＩ測定を実行することによりＣＱＩが取得された後に最大のＣＱＩに従って生成されるＣＳＩ情報を含むＣＳＩ測定報告を、ユーザ機器から受信するよう構成される。
【０１７８】
通信モジュール３０４は、受信モジュール３０２により受信されたＣＳＩ情報と、ＣＳＩ情報に対応する初期ビームとに従ってユーザ機器と通信するよう構成される。
【０１７９】
ユーザ機器がＣＳＩ測定報告をｍｉｌｌｉｍｅｔｅｒ  ｗａｖｅ  ｅＮＢへ送信するとき、ｍｉｌｌｉｍｅｔｅｒ  ｗａｖｅ  ｅＮＢは、ＣＳＩ測定報告を直接受信してよい。ユーザ機器がＣＳＩ測定報告をＬＴＥ  ｅＮＢへ送信するとき、ＬＴＥ  ｅＮＢは受信されたＣＳＩ測定報告をｍｉｌｌｉｍｅｔｅｒ  ｗａｖｅ  ｅＮＢへ転送する。以下の本発明の実施形態における、ｍｉｌｌｉｍｅｔｅｒ  ｗａｖｅ  ｅＮＢによりＣＳＩ測定報告を受信するための方法については、本実施形態における説明を参照されたい。これは以下では説明しない。
【０１８０】
基地局は、ＣＳＩ測定報告を受信した後に、ＣＳＩ測定報告に含まれるＣＳＩ情報に従って比較的良好な品質の初期ビームを選択し、選択された初期ビームを用いてユーザ機器と通信する。
【０１８１】
基地局が、より良好な指向性利得を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、そのＣＱＩが最大であるＣＳＩ情報を報告する。具体的には、送信モジュール３０１は、受信モジュール３０２がＣＳＩ測定報告をユーザ機器から受信する前に、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションをユーザ機器へ送信するよう構成される。
【０１８２】
単一の初期ビームのビーム範囲内の第２ビームは、初期ビームの中でより幅狭なビームを指す。例えば、単一の初期ビームのビーム範囲が３０°〜６０°であるとき、単一の初期ビームのビーム範囲内の第２ビームは、３０°〜６０°の間のビーム、例えば３０°〜４０°の第２ビームまたは３５°〜５５°の第２ビームを指す。
【０１８３】
各初期ビームに対してＣＳＩ測定を実行することによりＣＱＩが取得された後に最大のＣＱＩに従って生成されるＣＳＩ情報を含むＣＳＩ測定報告がユーザ機器から受信され、ＣＳＩ情報とＣＳＩ情報に対応する初期ビームとに従ってユーザ機器との通信が実行され、ＣＱＩが最大である初期ビームをユーザ機器との通信に選択することができ、それにより通信効率が改善する。
【０１８４】
第５応用シナリオでは、説明のために、基地局がセル帯域幅調整シナリオに適用される例を用いる。
【０１８５】
本実施形態において、セルにアクセスする各ユーザ機器のトラフィックボリュームが変化し、結果として、セルの負荷が変化したとき、基地局は、セルのセル帯域幅を調整する必要がある。例えば、負荷が減少すると、５００ＭＨｚの最大帯域幅はそれ以降必要でなくなり得る。この場合、セル帯域幅は例えば２００ＭＨｚまで低減されてよい。負荷が増大すると、セル帯域幅は、例えば４００ＭＨｚまたは５００ＭＨｚまで増大する必要があり得る。無線リソースが調整されるたびに、元のセルを削除して新たなセルを追加する必要がある場合、比較的大きいシグナリングオーバーヘッドおよび比較的大きい遅延が生じる。しかし、実際には、セル帯域幅情報のみが変化し、他の無線リソース構成パラメータが変化する必要はない可能性がある。したがって、基地局は、ユーザ機器のトラフィックボリュームが変化したとき、セル帯域幅を調整してよい。
【０１８６】
具体的には、基地局は、ユーザ機器との通信に用いられる初期ビームインデックス情報を決定モジュール３０３がＲＲＭ測定報告に従って決定した後に、少なくとも１つのユーザ機器のトラフィックボリュームに従って、トラフィックボリュームと正の相関を有するセル帯域幅を調整するよう構成された調整モジュール３０７を備えてよい。
【０１８７】
送信モジュール３０１は、調整モジュール３０７により調整されたセル帯域幅についての情報と中心周波数についての情報とを各ユーザ機器へブロードキャストするよう構成され、または、調整されたセル帯域幅についての情報と中心周波数についての情報とを、ＲＲＣシグナリングを用いることにより各ユーザ機器へ送信するよう構成され、中心周波数は、調整されたセル帯域幅に対応する周波数範囲内の中心周波数である、または周波数範囲内の指定された周波数である。
【０１８８】
基地局がセル帯域幅を調整するとき、以下の方法のうち１つが用いられてよい。中心周波数は変化しないままであり、低減または増大が両側から対称的に生じる、例えば、セル帯域幅は１００ＭＨｚ〜３００ＭＨｚ、中心周波数は２００ＭＨｚであり、ここで５０ＭＨｚの増大が両側から別個に生じ得て、調整されたセル帯域幅が５０ＭＨｚ〜３５０ＭＨｚであることが取得される。または、低減または増大が片側から生じる、例えば、セル帯域幅は２００ＭＨｚ〜３００ＭＨｚであり、１００ＭＨｚの低減が片側から生じて、調整されたセル帯域幅が１００ＭＨｚ〜３００ＭＨｚであることが取得される。または、連続的な周波数範囲が動的にキャプチャされる、例えば、セル帯域幅は１００ＭＨｚ〜３００ＭＨｚであり、２００ＭＨｚ〜３００ＭＨｚがセル帯域幅から調整されたセル帯域幅としてキャプチャされる。調整されたセル帯域幅は、連続的な周波数範囲である。
【０１８９】
本実施形態において、基地局は、セル帯域幅を複数回調整してよい。この場合、各回で調整され得る粒度または単位情報がさらに設定されてよい。例えば、２０ＭＨｚまたはそれに類する低減または増大が各回で生じる。粒度または単位情報は、事前に規定されてもよく、運用、管理、および保守（英語：Ｏｐｅｒａｔｉｏｎ，Ａｄｍｉｎｉｓｔｒａｔｉｏｎ  ａｎｄ  Ｍａｉｎｔｅｎａｎｃｅ、略してＯＡＭ）を用いることにより構成されてもよい。
【０１９０】
さらに、基地局は、調整されたセル帯域幅および中心周波数を全てのユーザ機器に直接通知してよい、または、基地局は、ＬＴＥ−Ａ基地局を用いることにより新たなセル帯域幅と新たな中心周波数とを全てのユーザ機器に通知する。例えば、基地局は、ＢＣＨもしくはシステム情報ブロードキャスト（英語：Ｓｙｓｔｅｍ  Ｉｎｆｏｒｍａｔｉｏｎ  Ｂｒｏａｄｃａｓｔ、略してＳＩＢ）で、またはＲＲＣシグナリングを用いることにより、全てのユーザ機器に通知する。
【０１９１】
調整されたセルは、複数のチャネルを、それら複数のチャネルが同じＨＡＲＱエンティティを共有するように用いてよい。この場合、セル全体が複数の同一帯域幅チャネルを含んでよく、基地局は、中心周波数に位置するチャネル上で共通の情報を送信してよい、または、基地局は、各チャネルの中心の周波数で共通の情報を送信してよい。つまり、調整されたセルが同一帯域幅チャネルを含む場合、送信モジュール３０１は、中心周波数に位置するチャネル上で各ユーザ機器へ共通の情報を送信するよう構成される、または、各チャネルの中心の周波数で各ユーザ機器へ共通の情報を送信するよう構成される。
【０１９２】
共通の情報は、ＰＳＳおよびＳＳＳ、ブロードキャストチャネル（英語：Ｂｒｏａｄｃａｓｔ  Ｃｈａｎｎｅｌ、略してＢＣＨ）、物理ランダムアクセスチャネル（英語：Ｐｈｙｓｉｃａｌ  Ｒａｎｄｏｍ  Ａｃｃｅｓｓ  Ｃｈａｎｎｅｌ、略してＰＲＡＣＨ）、またはそれに類するものであってよい。
【０１９３】
加えて、調整されたセル帯域幅の中心周波数が、未調整のセル帯域幅の中心周波数に対して変化するとき、基地局はさらに、中心周波数の近傍の周波数範囲内のみで共通の情報が送信される送信方式を必要とすることに留意すべきである。例えば、ＰＳＳおよびＳＳＳ、ＢＣＨ、ＰＲＡＣＨ、ならびにそれに類するものに関しては、基地局は、調整されたセル帯域幅の中心周波数で共通の情報を送信してよい。調整されたセル帯域幅の中心周波数は、調整されたセル帯域幅に対応する周波数範囲内の中心の位置である。
【０１９４】
少なくとも１つのユーザ機器のトラフィックボリュームに従って、トラフィックボリュームと正の相関を有するセル帯域幅が調整され、調整されたセル帯域幅についての情報と中心周波数についての情報とが各ユーザ機器へブロードキャストされる、または、調整されたセル帯域幅についての情報と中心周波数についての情報とが、ＲＲＣシグナリングを用いることにより各ユーザ機器へブロードキャストされる。これにより、セル帯域幅のみを調整することができ、他の無線リソース構成パラメータを構成する必要がなく、それによりセル帯域幅構成プロセスの間の通信オーバーヘッドが低減する。
【０１９５】
第６応用シナリオでは、説明のために、基地局がユーザ帯域幅調整シナリオに適用される例を用いる。
【０１９６】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０１９７】
したがって、基地局はさらに、ユーザ機器との通信に用いられる初期ビームインデックス情報を決定モジュール３０３がＲＲＭ測定報告に従って決定した後に、ユーザ機器のトラフィックボリュームに従って、トラフィックボリュームと正の相関を有するユーザ機器のユーザ帯域幅を調整するよう構成された調整モジュール３０７を備えてよい。
【０１９８】
送信モジュール３０１は、調整モジュール３０７により調整されたユーザ帯域幅についての情報を、ＲＲＣシグナリング、ＭＡＣ  ＣＥ、および制御チャネルのうち少なくとも１つを用いることによりユーザ機器へ送信するよう構成される。
【０１９９】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。具体的には、調整モジュール３０７は具体的に、ユーザ機器に割り当てられたチャネルをユーザ機器のトラフィックボリュームに従って調整して、ユーザ帯域幅を取得するよう構成される。
【０２００】
例えば、トラフィックボリュームが増大したためにユーザ帯域幅を増大させる必要があるとき、非アクティブ状態または休止状態にあるチャネルがアクティブ化されてよく、そのチャネルがユーザ機器に割り当てられる。トラフィックボリュームが減少したためにユーザ帯域幅を低減させる必要があるとき、アクティブ状態にあるチャネルは非アクティブ状態または休止状態に変化してよく、この場合、ユーザ機器はそのチャネルを用いることができない。
【０２０１】
ユーザ帯域幅が決定された後に、基地局は、ＲＲＣシグナリング、ＭＡＣ  ＣＥ、または制御チャネルを用いて、調整されたユーザ帯域幅をユーザ機器へ示してよい。
【０２０２】
ユーザ機器のトラフィックボリュームに従って、トラフィックボリュームと正の相関を有するユーザ機器のユーザ帯域幅が調整され、調整されたユーザ帯域幅についての情報がＲＲＣシグナリング、ＭＡＣ  ＣＥ、および制御チャネルのうち少なくとも１つに従ってユーザ機器へ送信される。これにより、ユーザ帯域幅をユーザ機器のトラフィックボリュームに従ってリアルタイムで調整することができ、それによりユーザ機器の正常な動作が確実になる。
【０２０３】
第７応用シナリオでは、説明のために、基地局が半永続スケジューリング（英語：Ｓｅｍｉ−Ｐｅｒｓｉｓｔｅｎｔ  Ｓｃｈｅｄｕｌｉｎｇ、略してＳＰＳ）シナリオに適用される例を用いる。
【０２０４】
送信モジュール３０１は、基地局によりユーザ機器に割り当てられるリソース情報およびビームインデックス情報を示すのに用いられるＳＰＳリソース情報をユーザ機器へ送信するよう構成される。
【０２０５】
ＳＰＳリソース情報が初期ビームインデックス情報を含むとき、ユーザ機器は初期ビームインデックス情報に従って初期ビームを決定してよい。ＳＰＳリソース情報が初期ビームインデックス情報を含まないとき、ユーザ機器は、ＲＲＭ測定報告に搬送される初期ビームインデックス情報に従って初期ビームを決定してよい。初期ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、初期ビームインデックス情報を示してよい。
【０２０６】
通信モジュール３０４は、ＳＰＳ情報により示されるビームインデックス情報に対応するビームに従って、ユーザ機器と通信するよう構成される。
【０２０７】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０２０８】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０２０９】
加えて、基地局が、測定結果に従って、またはユーザ機器により推奨されるビームインデックス情報に従って、ビームインデックス情報を再び示すとき、ＳＰＳリソース情報に含まれるビームインデックス情報のみを変更する必要があり、リソース情報を変更する必要はないことに留意すべきである。この場合、基地局は、ＲＲＣシグナリング、ＭＡＣ  ＣＥ、または制御チャネルを用いることによりビームインデックス情報をユーザ機器へ再び示してよい。
【０２１０】
基地局によりユーザ機器に割り当てられるリソース情報およびビームインデックス情報を示すのに用いられるＳＰＳリソース情報がユーザ機器へ送信され、ＳＰＳ情報により示されるビームインデックス情報に対応するビームに従って、ユーザ機器との通信が実行される。これにより、ＳＰＳリソース情報を送信する方式でリソースおよびビームをユーザ機器に対して構成することができ、リソースおよびビームをユーザ機器に対して動的に構成することにより生じる、通信オーバーヘッドの浪費の問題を解決することができ、それにより通信オーバーヘッドが低減するという効果が実現する。
【０２１１】
第８応用シナリオでは、説明のために、基地局がデバイス間（英語：Ｄｅｖｉｃｅ  ｔｏ  Ｄｅｖｉｃｅ、略してＤ２Ｄ）シナリオに適用される例を用いる。
【０２１２】
Ｄ２Ｄ通信の相互干渉、またはセル内の他のユーザ機器の通常通信に対するＤ２Ｄ通信干渉を回避するべく、基地局は、Ｄ２Ｄ通信用の初期ビームの初期ビームインデックス情報をユーザ機器に割り当てる。
【０２１３】
割り当てモジュール３０６は、Ｄ２Ｄ通信の間に用いられるリソースインジケーション情報であって、Ｄ２Ｄリソース情報と初期ビームインデックス情報とを含み、Ｄ２Ｄ通信の間に用いられるリソースおよび初期ビームを用いるようユーザ機器および他のユーザ機器に命令するのに用いられるリソースインジケーション情報を、ユーザ機器へ送信するよう構成される。
【０２１４】
基地局により割り当てられるビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられたビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０２１５】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０２１６】
Ｄ２Ｄ通信の間に用いられるリソースインジケーション情報であって、Ｄ２Ｄリソース情報と初期ビームインデックス情報とを含み、Ｄ２Ｄ通信の間に用いられるリソースおよびビームを用いるようユーザ機器および他のユーザ機器に命令するのに用いられるリソースインジケーション情報が、ユーザ機器へ送信される。これにより、他のユーザ機器との通信を、基地局により割り当てられた初期ビームに従って実行することができ、それによりＤ２Ｄ通信における相互干渉の問題が解決され、通信品質が改善するという効果が実現する。
【０２１７】
結論として、本発明の本実施形態において提供される基地局によると、ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ユーザ機器との通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０２１８】
図４を参照すると、図４は、本発明の一実施形態に係るユーザ機器の構造ブロック図を示す。ユーザ機器は、図１に示されるＵＥであってよく、ＵＥは、受信モジュール４０１と送信モジュール４０２とを備えてよい。
【０２１９】
受信モジュール４０１は、基地局によりユーザ機器に割り当てられたミリ波帯の初期ビームを示すのに用いられる、基地局により送信された初期ビームインデックス情報を受信するよう構成される。
【０２２０】
初期ビームインデックス情報の詳細については、図２に示される実施形態における説明を参照されたい。これはここでは説明しない。
【０２２１】
送信モジュール４０２は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信するよう構成される。
【０２２２】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。
【０２２３】
ユーザ機器は、ＲＲＭ測定報告をｍｉｌｌｉｍｅｔｅｒ  ｗａｖｅ  ｅＮＢへ転送するＬＴＥ  ｅＮＢへＲＲＭ測定報告を送信してよい、または、ＲＲＭ測定報告をｍｉｌｌｉｍｅｔｅｒ  ｗａｖｅ  ｅＮＢへ送信してよい。本実施形態は、ユーザ機器によりＲＲＭ測定報告を送信する方式を限定するものではない。以下の本発明の実施形態における、ユーザ機器によりＲＲＭ測定報告を送信するための方法については、本実施形態における説明を参照されたい。これは以下では説明しない。
【０２２４】
本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０２２５】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０２２６】
結論として、本発明の本実施形態において提供されるユーザ機器によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０２２７】
図５を参照すると、図５は、本発明の一実施形態に係るユーザ機器の構造ブロック図を示す。ユーザ機器は、図１に示されるＵＥであってよく、ＵＥは、受信モジュール４０１と送信モジュール４０２とを備えてよい。
【０２２８】
受信モジュール４０１は、基地局によりユーザ機器に割り当てられたミリ波帯の初期ビームを示すのに用いられる、基地局により送信された初期ビームインデックス情報を受信するよう構成される。
【０２２９】
初期ビームインデックス情報の詳細については、図２に示される実施形態における説明を参照されたい。これはここでは説明しない。
【０２３０】
送信モジュール４０２は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信するよう構成される。
【０２３１】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０２３２】
ユーザ機器によりＲＲＭ測定報告を送信するための方法については、図２に示される実施形態における説明を参照されたい。これは以下では説明しない。
【０２３３】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０２３４】
以下では、ビーム構成方法を説明するための例として異なる応用シナリオを用いる。詳細は以下の通りである。
【０２３５】
第１応用シナリオでは、説明のために、ユーザ機器が非連続的受信シナリオに適用される例を用いる。本応用シナリオは、図３に示される実施形態における第１応用シナリオに対応する。
【０２３６】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０２３７】
第１方法において、ユーザ機器は、ＲＲＭ測定報告に従って、リッスンされる必要がある制御チャネルのビームを決定する必要がある。したがって、ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器はさらに、送信モジュール４０２がＲＲＭ測定報告を送信した後に、ユーザ機器が休止状態からアクティブ状態に切り替わった後の参照信号情報が第１閾値より大きい第１初期ビームインデックス情報を決定するよう構成された決定モジュール４０３と、決定モジュール４０３により決定された第１初期ビームインデックス情報に対応する初期ビームを用いることにより、制御チャネル上で制御情報をリッスンするよう構成されたリッスンモジュール４０４とを備える。
【０２３８】
ユーザ機器がＲＲＭ測定報告を送信した後に、ユーザ機器が休止状態からアクティブ状態に切り替わった場合、ユーザ機器は、先述の方法に従ってＲＲＭ測定報告から少なくとも１つの初期ビームを決定することができ、決定された少なくとも１つの初期ビームを用いることにより制御チャネル上で制御情報をリッスンすることができる。
【０２３９】
ユーザ機器が第１初期ビームインデックス情報を決定するプロセスは、基地局が第１初期ビームインデックス情報を決定するプロセスと同じである。詳細については、図３に示される実施形態における第１応用シナリオの説明を参照されたい。これはここでは説明しない。
【０２４０】
第２方法において、ユーザ機器は、指定されたビームインデックス情報を受信する必要があり、このとき、受信モジュール４０１はさらに、ＲＲＣシグナリングおよびＭＡＣ  ＣＥのうち少なくとも１つを用いることにより、ＲＲＭ測定報告に含まれる各初期ビームインデックス情報から基地局により指定された第２初期ビームインデックス情報を受信するよう構成される。
【０２４１】
ユーザ機器はさらに、受信モジュール４０１により受信された第２初期ビームインデックス情報に対応する初期ビームを用いることにより、制御チャネル上で制御情報をリッスンするよう構成されたリッスンモジュール４０４を備える。
【０２４２】
加えて、ビームインデックス情報は、先述の第１方法および第２方法を用いることにより共同で決定されてもよいことに留意すべきである。例えば、基地局は最初に、ＲＲＣシグナリングおよびＭＡＣ  ＣＥのうち少なくとも１つを用いることにより第２初期ビームインデックス情報を指定し、特定の時間経過後に、基地局は、参照信号情報に従ってＲＲＭ測定報告から第１初期ビームインデックス情報を選択する。代替的に、基地局は最初に、参照信号情報に従ってＲＲＭ測定報告から第１初期ビームインデックス情報を選択し、一定時間経過後に、ＲＲＣシグナリングおよびＭＡＣ  ＣＥのうち少なくとも１つを用いることにより第２初期ビームインデックス情報を指定する。勿論、ビームインデックス情報は他の方法を用いることにより決定されてもよく、これは本実施形態に限定されない。
【０２４３】
制御チャネルの初期ビームを決定した後に、ユーザ機器はさらに、以下の方式のうち少なくとも１つで制御チャネルをリッスンしてよい。リッスンモジュール４０４は具体的に、無指向性方式で制御情報を受信するよう構成される、または、第１初期ビームインデックス情報に対応する初期ビームのビーム範囲より大きいまたはそれと等しいビーム範囲を用いることにより制御情報を受信するよう構成される、または、第１初期ビームインデックス情報に対応する初期ビームのビーム範囲より小さいビーム範囲を用いることにより制御情報を受信するよう構成される。代替的に、リッスンモジュール４０４は具体的に、無指向性方式で制御情報を受信するよう構成される、または、第２初期ビームインデックス情報に対応する初期ビームのビーム範囲より大きいまたはそれと等しいビーム範囲を用いることにより制御情報を受信するよう構成される、または、第２初期ビームインデックス情報に対応する初期ビームのビーム範囲より小さいビーム範囲を用いることにより制御情報を受信するよう構成される。
【０２４４】
本実施形態において、ユーザ機器は、無指向性方式で制御情報を受信してよく、この場合、制御チャネルの初期ビームを決定する必要はなくてよい。より小さいビーム範囲は、より大きい利得を示す。したがって、無指向性方式で制御情報を受信することは、比較的小さい利得をもたらす。したがって、ユーザ機器は、第１初期ビームインデックス情報または第２初期ビームインデックス情報に従ってビーム範囲を決定し、そのビーム範囲に従って制御情報を受信してもよい。
【０２４５】
ビーム範囲が第１初期ビームインデックス情報に従って決定されることは、説明のための一例として用いられている。ここで、ビーム範囲を決定した後に、ユーザ機器は、初期ビームのビーム範囲より大きいまたはそれと等しいビーム範囲を用いることにより、制御情報を受信してよい。例えば、第１初期ビームインデックス情報により示されるビーム範囲は２０°〜３０°であり、このときユーザ機器は、１５°〜３５°のビーム範囲を用いることにより制御情報を受信してよい。代替的に、ユーザ機器は、初期ビームのビーム範囲より小さいビーム範囲を用いることにより制御情報を受信してよい。例えば、第１初期ビームインデックス情報により示されるビーム範囲は１０°〜３０°であり、このときユーザ機器は、１５°〜２５°のビーム範囲を用いることにより制御情報を受信してよい。
【０２４６】
加えて、第２初期ビームインデックス情報に従ってビーム範囲を決定するための方法は、第１初期ビームインデックス情報に従ってビーム範囲を決定するための方法と同じであることに留意すべきである。詳細についてはここでは説明しない。
【０２４７】
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器が休止状態からアクティブ状態に切り替わった後に、ユーザ機器は、参照信号情報が第１閾値より大きい第１初期ビームインデックス情報を決定し、第１初期ビームインデックス情報に対応する初期ビームを用いることにより制御チャネル上で制御情報をリッスンする。これにより、制御情報を、ＲＲＭ測定報告に含まれる比較的良好な信号品質の初期ビームを用いることにより受信することができ、それにより通信効率が改善する。
【０２４８】
第２応用シナリオでは、説明のために、ユーザ機器がＴＡシナリオに適用される例を用いる。本応用シナリオは、図３に示される実施形態における第２応用シナリオに対応する。
【０２４９】
ユーザ機器と基地局との間の障害は、初期ビームの通信品質を低下させる。したがって、基地局は、障害を回避することにより通信品質を改善するべく、ユーザ機器に対して代替ビームを予め構成してよい。したがって、受信モジュール４０１はさらに、基地局によりユーザ機器に割り当てられたミリ波帯の代替ビームを示すのに用いられる、基地局により送信された代替ビームインデックス情報を受信するよう構成される。
【０２５０】
ユーザ機器はさらに、ＲＳＲＰおよびＲＳＲＱのうち少なくとも１つを含む、初期ビームの参照信号情報が第２閾値より小さいとき、各代替ビームインデックス情報により示される代替ビームに対してＲＲＭ測定を実行するよう構成された測定モジュール４０５と、測定モジュール４０５により実行されたＲＲＭ測定に従って、参照信号情報が第３閾値より大きい第１代替ビームインデックス情報を決定するよう構成された決定モジュール４０３とを備える。
【０２５１】
送信モジュール４０２は、決定モジュール４０３により決定された第１代替ビームインデックス情報を、第１代替ビームインデックス情報に対応する代替ビームに従ってユーザ機器と通信するよう構成された基地局へ送信するよう構成される。
【０２５２】
基地局は、代替ビームインデックス情報を別個にユーザ機器へ送信してよい、または、伝送オーバーヘッドを低減するべく、初期ビームインデックス情報をユーザ機器へ送信するときに、代替ビームインデックス情報と初期ビームインデックス情報とを一緒にユーザ機器へ送信してよい。以下の本発明の実施形態における代替ビームインデックス情報を送信するための方法は、本実施形態における代替ビームインデックス情報を送信するための方法と同じである。
【０２５３】
本実施形態において、ユーザ機器により第１代替ビームインデックス情報を決定するための方法の詳細については、図３に示される実施形態における説明を参照されたい。これはここでは説明しない。
【０２５４】
さらに、ユーザ機器が、初期ビームに対してＲＲＭ測定を能動的に実行し、参照信号情報を用いることにより代替ビームを通信に用いるか否かを決定することに加え、基地局は、ビームトラッキング技術を用いてユーザ機器が障害エリアに入ろうとしているか否かを検出してよい。ユーザ機器が障害エリアに入ろうとしていることを基地局が検出したとき、ユーザ機器は、代替ビームに対してＲＲＭ測定を実行するようトリガされる。
【０２５５】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０２５６】
本実施形態において、ユーザ機器は、基地局により送信されたランダムアクセス命令を受信し、ランダムアクセス命令により命令された通りにランダムアクセス手順をトリガしてアップリンクＴＡを再入手してよい、または、ランダムアクセス手順を能動的にトリガしてアップリンクＴＡを再入手してよい。具体的には、送信モジュール４０２はさらに、アップリンクＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、基地局へ自動的に送信するよう構成され、または、受信モジュール４０１はさらに、ユーザ機器に割り当てられた代替ビームを用いてユーザ機器と通信することを、ビームトラッキングを用いることにより基地局が決定した後に送信される、基地局により送信されたランダムアクセス命令を制御チャネル上で受信するよう構成され、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信するよう構成される。
【０２５７】
したがって、各代替ビームの参照信号情報が第３閾値より小さいこと、および少なくとも１つの初期ビームの参照信号情報が第２閾値より大きいことをユーザ機器が検出したとき、初期ビームの品質が比較的良好であると決定され、その少なくとも１つの初期ビームの初期ビームインデックス情報が基地局へ送信される。基地局は、その少なくとも１つの初期ビームを用いて基地局と通信する。代替的に、基地局は、ビームフォーミング技術を用いてユーザ機器が障害エリアから出ようとしていると決定し、少なくとも１つの初期ビームの参照信号情報が第２閾値より大きいことを検出すると、その少なくとも１つの初期ビームを用いて基地局と通信することを決定する。この場合、ユーザ機器は、アップリンクＴＡを再決定してもよく、アップリンクＴＡを決定しなくてもよい。
【０２５８】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０２５９】
したがって、受信モジュール４０１は、同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットを受信するよう構成される。
【０２６０】
測定モジュール４０５は、受信モジュール４０１により受信されたＴＡセットに含まれるＴＡＴが満了したとき、ＴＡセットに含まれるセル識別子が他のＴＡセットに含まれるビームインデックス情報に対応するか否か、および他のＴＡセットに含まれるＴＡＴが満了していないか否かを検出するよう構成される。
【０２６１】
ユーザ機器はさらに、ＴＡセットに含まれるセル識別子が他のＴＡセットに含まれるビームインデックス情報に対応すること、および他のＴＡセットに含まれるＴＡＴが満了していないことを測定モジュール４０５が検出したとき、ビームインデックス情報に対応するセルを決定し、セルに対応するハイブリッド自動再送要求（英語：Ｈｙｂｒｉｄ  Ａｕｔｏｍａｔｉｃ  Ｒｅｐｅａｔ  Ｒｅｑｕｅｓｔ、略してＨＡＲＱ）バッファエリアおよびサウンディング参照シンボル（英語：Ｓｏｕｎｄｉｎｇ  Ｒｅｆｅｒｅｎｃｅ  Ｓｙｍｂｏｌ、略してＳＲＳ）リソースを確保するよう構成された確保モジュール４０６と、ＴＡセットに含まれるセル識別子が他のＴＡセットに含まれるビームインデックス情報に対応すること、および他のＴＡセットに含まれるＴＡＴが満了したことを測定モジュール４０５が検出したとき、ビームインデックス情報に対応するセルを決定し、セルに対応するＨＡＲＱバッファエリアおよびＳＲＳリソースをリリースするよう構成されたリリースモジュール４０７とを備える。
【０２６２】
例えば、ＴＡセット１はビーム１およびビーム２を含み、ビーム１はセル１に対応する。ＴＡＴが満了したことをユーザ機器が検出した後に、セル１と関連付けられたビーム３がＴＡセット２にさらに含まれ、ＴＡセット２に含まれるＴＡＴが満了していないことが検出された場合、ユーザ機器は、セルに対応するＨＡＲＱバッファエリアおよびＳＲＳリソースを確保し、ＳＲＳまたはＨＡＲＱ  ＡＣＫ／ＮＡＣＫをビーム１で送信しない。セル１と関連付けられたビーム３がＴＡセット２に含まれ、ＴＡセット２に含まれるＴＡＴが満了したことが検出された場合、ユーザ機器は、セルに対応するＨＡＲＱバッファエリアおよびＳＲＳリソースをリリースする。
【０２６３】
基地局によりユーザ機器に割り当てられるミリ波帯の代替ビームを示すのに用いられる、基地局により送信された代替ビームインデックス情報が受信され、初期ビームの参照信号情報が第２閾値より小さい場合、各代替ビームインデックス情報により示される代替ビームに対してＲＲＭ測定が実行され、参照信号情報が第３閾値より大きい第１代替ビームインデックス情報がＲＲＭ測定に従って決定され、決定された第１代替ビームインデックス情報が基地局へ送信される。割り当てられた初期ビームの品質が比較的低いとき、比較的良好な品質の代替ビームを基地局との通信に用いることができ、通信効率が改善するという効果が実現する。
【０２６４】
第３応用シナリオでは、説明のために、ユーザ機器が電力制御シナリオに適用される例を用いる。本応用シナリオは、図３に示される実施形態における第３応用シナリオに対応する。
【０２６５】
基地局はビームフォーミング技術を用い、異なるビーム方向での伝播損失は異なってよい。したがって、伝播損失が最小である少なくとも１つの初期ビームを、割り当てられた初期ビームから選択する必要があり、選択された少なくとも１つの初期ビームで通信が実行される。
【０２６６】
オプションで、ユーザ機器はさらに、送信モジュール４０２がＲＲＭ測定報告を送信した後に、各初期ビームインデックス情報に対応する初期ビームのＲＳＲＰを測定して、各初期ビームの伝播損失情報を取得するよう構成された測定モジュール４０５と、測定モジュール４０７により測定された最小の伝播損失情報に従って、電力ヘッドルーム（英語：Ｐｏｗｅｒ  Ｈｅａｄｒｏｏｍ、略してＰＨ）を生成して、電力ヘッドルーム報告（英語：Ｐｏｗｅｒ  Ｈｅａｄｒｏｏｍ  Ｒｅｐｏｒｔ、略してＰＨＲ）を取得するよう構成された生成モジュール４０８とを備える。
【０２６７】
送信モジュール４０２は、ＰＨとＰＨに対応する初期ビームとに従ってユーザ機器にアップリンクリソースを割り当てるよう、およびＰＨに対応するビームを用いることにより対応するアップリンクリソース上でユーザ機器と通信するよう基地局に命令するのに用いられる、生成モジュール４０８により生成されたＰＨＲを送信するよう構成される。
【０２６８】
基地局により送信されたビームインデックス情報は、ＲＲＭ測定報告に対応するビーム範囲外のビームに対応してよく、ＲＲＭ測定報告に対応するビーム範囲内の初期ビームに対応してよく、または適応的に決定されたビームであってよい。このことは、本実施形態に限定されない。
【０２６９】
ユーザ機器が、同時に送信される少なくとも２つの初期ビームのＰＨが複数のビームでの同時的電力制御をサポートすることを許可するとき、ユーザ機器は、その少なくとも２つの初期ビームのＰＨから、予め設定された条件を満たす少なくとも２つのＰＨを選別してよく、その少なくとも２つの初期ビームのＰＨをＰＨＲに追加してよい。予め設定された条件を満たすことは、ＰＨが固定の閾値より大きいこと、もしくはＰＨと少なくとも２つの初期ビームのうち１つのＰＨとの間の差が固定の閾値より大きいこと、またはそれに類することであってよい。
【０２７０】
ユーザ機器は、ＰＨＲをｍｉｌｌｉｍｅｔｅｒ  ｗａｖｅ  ｅＮＢへ転送するＬＴＥ  ｅＮＢへＰＨＲを送信してよい、またはＰＨＲをｍｉｌｌｉｍｅｔｅｒ  ｗａｖｅ  ｅＮＢへ送信してよい。本実施形態は、ユーザ機器によりＰＨＲを送信する方式を限定するものではない。以下の本発明の実施形態における、ユーザ機器によりＰＨＲを送信するための方法については、本実施形態における説明を参照されたい。これは以下では説明しない。
【０２７１】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、その伝播損失が最小であるビームのＰＨを報告する。
【０２７２】
したがって、受信モジュール４０１はさらに、基地局により送信され、単一の初期ビームのビーム範囲内の第１ビームの第１ビームインデックス情報を搬送する第１インジケーションを受信するよう構成される。
【０２７３】
生成モジュール４０８はさらに、受信モジュール４０１により受信された第１インジケーションにより示される各第１ビームのＲＳＲＰを測定して、各第１ビームの伝播損失情報を取得するよう構成される。
【０２７４】
ユーザ機器が各初期ビームインデックス情報のＰＨを測定した後に、初期ビームインデックス情報の測定された伝播損失情報と、ＲＲＭ測定報告に含まれる初期ビームインデックス情報の伝播損失情報との間の差が予め設定された閾値より小さいことが検出された場合、ユーザ機器は、ＲＲＭ測定報告に含まれる初期ビームインデックス情報のＰＨを送信のためにＰＨＲに追加してよい。
【０２７５】
加えて、基地局がユーザ機器のアップリンク伝送電力を制限しないとき、無線インターフェース効率を改善するべく、ユーザ機器がアップリンクに関して複数のビームをサポートしてよいことに留意すべきである。具体的には、ユーザ機器は、複数のビームで同じまたは異なる情報を送信してよく、同じまたは異なるＨＡＲＱ冗長バージョン（英語：Ｒｅｄｕｎｄａｎｃｙ  Ｖｅｒｓｉｏｎ、略してＲＶ）を送信してよく、一部のビームで制御情報を送信してよく、一部のビームでデータ情報を送信してよく、それに類することを行ってよい。
【０２７６】
さらに、ユーザ機器が複数のビームを通信に用いるとき、ビームの間でアップリンク伝送電力が割り当てられる必要がある。例えば、複数のビームの伝播損失間の差が大きくないとき、ユーザ機器は合計伝送電力を複数のビームの間で均等に割り当ててよい。
【０２７７】
ユーザ機器が複数のビームを同時にサポートし、電力が一定程度に制限されている場合、少なくとも１つのビームの伝送電力をさらに低下させる必要がある。例えば、ユーザ機器は、同じ因子または係数に従って各ビームの伝送電力を均等に低下させてよい、または、ユーザ機器は、異なるビームに対して異なる因子または係数を設定し、それぞれの因子または係数に従ってビームの伝送電力を低下させてよい、または、ユーザ機器は、異なるビームで搬送される情報コンテンツに従って優先度を異ならせ、優先度に従って各ビームの伝送電力を低下させてよい。制御情報とデータ情報とが同時に送信されるとき、制御情報を搬送するビームの優先度は、データ情報を搬送するビームの優先度より高い。
【０２７８】
各初期ビームの伝播損失情報を取得するべく、各初期ビームインデックス情報に対応する初期ビームのＲＳＲＰが実行され、ＰＨＲを取得するべく、ＰＨが最小の伝播損失情報に従って生成され、ＰＨとＰＨに対応する初期ビームとに従ってアップリンクリソースをユーザ機器に割り当てるよう基地局に命令するのに用いられるＰＨＲが送信され、ＰＨに対応する初期ビームを用いることにより対応するアップリンクリソース上でユーザ機器との通信が実行される。これにより、伝播損失が最小である初期ビームに対応するアップリンクリソースを基地局との通信に選択することができ、それにより伝送電力が低減する。
【０２７９】
第４応用シナリオでは、説明のために、ユーザ機器がＣＳＩ測定シナリオに適用される例を用いる。本応用シナリオは、図３に示される実施形態における第４応用シナリオに対応する。
【０２８０】
本実施形態において、ユーザ機器はさらに、ＣＳＩ情報に従って初期ビームの品質を決定するべく、初期ビームに対してＣＳＩ測定を実行してＣＳＩ情報を取得する必要がある。
【０２８１】
具体的には、ユーザ機器はさらに、送信モジュール４０３がＲＲＭ測定報告を送信した後に、各初期ビームインデックス情報に対応する初期ビームに対してＣＳＩ測定を実行して、各初期ビームのチャネル品質インジケータ（英語：Ｃｈａｎｎｅｌ  Ｑｕａｌｉｔｙ  Ｉｎｄｉｃａｔｏｒ、略してＣＱＩ）を取得するよう構成された測定モジュール４０５と、測定モジュール４０５により測定された最大のＣＱＩに従って少なくとも１つのチャネル状態情報ＣＳＩ情報を生成してＣＳＩ測定報告を取得するよう構成された生成モジュール４０８とを備える。
【０２８２】
送信モジュール４０２は、ＣＳＩ情報とＣＳＩ情報に対応する初期ビームとに従ってユーザ機器と通信するよう基地局に命令するのに用いられる、生成モジュール４０８により生成されたＣＳＩ測定報告を送信するよう構成される。
【０２８３】
ユーザ機器により測定されるビームは、ＲＲＭ測定報告の範囲内の初期ビームであってよく、このとき、ユーザ機器は最初に、ＲＲＭ測定報告に対応する初期ビームを入手する必要がある。例えば、デフォルトで、ＲＲＭ測定は、ユーザ機器が基地局にアクセスするときにユーザ機器が対応する、一次同期信号（英語：Ｐｒｉｍａｒｙ  Ｓｙｎｃｈｒｏｎｉｚａｔｉｏｎ  Ｓｉｇｎａｌ、略してＰＳＳ）および二次同期信号（英語：Ｓｅｃｏｎｄａｒｙ  Ｓｙｎｃｈｒｏｎｉｚａｔｉｏｎ  Ｓｉｇｎａｌ、ＳＳＳ）のビームに対応する、または、ユーザ機器はＲＲＭ測定報告に含まれる初期ビームの識別子情報を含み、ユーザ機器はその識別子情報に従ってビームを決定する、または、ユーザ機器は、ダウンリンク参照信号の測定結果に従って初期ビームインデックス情報を決定し、ＲＲＭ測定報告に含まれる初期ビームインデックス情報を含む。
【０２８４】
各初期ビームのＣＳＩ情報を測定した後に、ユーザ機器は、各ＣＳＩ情報から最大のＣＱＩを含むＣＳＩ情報を選別し、選別された少なくとも１つのＣＳＩ情報に従ってＣＳＩ測定報告を生成してよい。ＣＳＩ情報は、ＣＱＩ、ＰＭＩ、およびＲＩのうち少なくとも１つを含み、ユーザ機器は、ＣＱＩ、ＰＭＩ、およびＲＩのうち少なくとも１つを同時にまたは異なる瞬間に送信してよい。
【０２８５】
ユーザ機器は、ＣＳＩ測定報告をｍｉｌｌｉｍｅｔｅｒ  ｗａｖｅ  ｅＮＢへ転送するＬＴＥ  ｅＮＢへＣＳＩ測定報告を送信してよい、または、ＣＳＩ測定報告をｍｉｌｌｉｍｅｔｅｒ  ｗａｖｅ  ｅＮＢへ送信してよい。本実施形態は、ユーザ機器によりＣＳＩ測定報告を送信する方式を限定するものではない。以下の本発明の実施形態における、ユーザ機器によりＣＳＩ測定報告を送信するための方法については、本実施形態における説明を参照されたい。これは以下では説明しない。
【０２８６】
基地局が、より良好な指向性利得を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、そのＣＱＩが最大であるＣＳＩ情報を報告する。具体的に、受信モジュール４０１はさらに、基地局により送信され、単一の初期ビームのビーム範囲内の第２ビームの第２ビームインデックス情報を搬送する第２インジケーションを受信するよう構成され、生成モジュール４０８はさらに、受信モジュール４０１により受信された第２インジケーションにより示される各第２ビームに対してＣＳＩ測定を実行して、各第２ビームのＣＱＩを取得するよう構成される。
【０２８７】
各初期ビームのＣＱＩを取得するべく、各初期ビームインデックス情報に対応する初期ビームに対してチャネル状態情報ＣＳＩ測定が実行され、ＣＳＩ測定報告を取得するべく、ＣＳＩ情報が最大のＣＱＩに従って生成され、ＣＳＩ情報とＣＳＩ情報に対応する初期ビームとに従ってユーザ機器と通信するよう基地局に命令するのに用いられるＣＳＩ測定報告が送信される。これにより、ＣＱＩが最大である初期ビームを基地局との通信に選択することができ、それにより通信効率が改善する。
【０２８８】
第５応用シナリオでは、説明のために、ユーザ機器がセル帯域幅調整シナリオに適用される例を用いる。本応用シナリオは、図３に示される実施形態における第５応用シナリオに対応する。
【０２８９】
本実施形態において、セルにアクセスする各ユーザ機器のトラフィックボリュームが変化し、結果として、セルの負荷が変化したとき、基地局は、セルのセル帯域幅を調整する必要がある。基地局によりセル帯域幅を調整する方式の詳細については、図３に示される実施形態における第５応用シナリオの説明を参照されたい。これはここでは説明しない。
【０２９０】
したがって、受信モジュール４０１はさらに、基地局により送信された、調整されたセル帯域幅についての情報と中心周波数についての情報とをブロードキャストにより受信するよう構成され、または、調整されたセル帯域幅についての情報と中心周波数についての情報とを搬送する、基地局により送信されたＲＲＣシグナリングを受信するよう構成され、調整されたセル帯域幅は、少なくとも１つのユーザ機器のトラフィックボリュームに従って基地局により調整され、セル帯域幅はトラフィックボリュームと正の相関を有し、中心周波数は、調整されたセル帯域幅に対応する周波数範囲内の中心の周波数であり、または周波数範囲内の指定された周波数であり、受信モジュール４０１はさらに、調整されたセルが同一帯域幅チャネルを含むとき、基地局により送信された共通の情報を、中心周波数に位置するチャネル上で受信するよう構成される、または、基地局により送信された共通の情報を、各チャネルの中心の周波数で受信するよう構成される。
【０２９１】
ユーザ機器は、調整されたセル帯域幅についての情報と中心周波数についての情報とを、基地局が調整されたセル帯域幅についての情報と中心周波数についての情報とを送信する方式に対応する方式で受信してよい。ユーザ機器は、中心周波数についての情報に従って、中心周波数に位置するチャネル上で共通の情報を受信する、または各チャネルの中心の周波数で共通の情報を受信する。
【０２９２】
基地局により送信された、調整されたセル帯域幅についての情報と中心周波数についての情報とがブロードキャストにより受信され、または、調整されたセル帯域幅についての情報と中心周波数についての情報とを搬送する、基地局により送信されたＲＲＣシグナリングが受信され、調整されたセル帯域幅は、ユーザ機器のトラフィックボリュームに従って基地局により調整され、セル帯域幅はトラフィックボリュームと正の相関を有し、中心周波数は、調整されたセル帯域幅に対応する周波数範囲内の中心の周波数である、または周波数範囲内の指定された周波数である。これにより、セル帯域幅のみを調整することができ、他の無線リソース構成パラメータを構成する必要はなく、それによりセル帯域幅構成プロセスの間の通信オーバーヘッドが低減する。
【０２９３】
第６応用シナリオでは、説明のために、ユーザ機器がユーザ帯域幅調整シナリオに適用される例を用いる。本応用シナリオは、図３に示される実施形態における第６応用シナリオに対応する。
【０２９４】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０２９５】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。
【０２９６】
したがって、受信モジュール４０１は、ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることにより受信するよう構成される。
【０２９７】
ユーザ機器はさらに、ユーザ帯域幅に含まれ、受信モジュール４０１により受信されるチャネルの制御チャネルをリッスンするよう構成されたリッスンモジュール４０４を備える。
【０２９８】
ユーザ機器は、調整されたユーザ帯域幅についての情報を、基地局が調整されたセル帯域幅についての情報を送信する方式に対応する方式で受信し、ユーザ帯域幅に含まれるチャネルをリッスンしてよい。ユーザ帯域幅が調整された後に残る帯域幅は、周波数領域において連続的または非連続的であってよい。
【０２９９】
ユーザ機器のトラフィックボリュームに従って基地局により調整された、トラフィックボリュームと正の相関を有する調整されたユーザ帯域幅についての、基地局により送信された情報が、ＲＲＣシグナリング、ＭＡＣ  ＣＥ、および制御チャネルのうち少なくとも１つを用いることにより受信される。これにより、ユーザ帯域幅をユーザ機器のトラフィックボリュームに従ってリアルタイムで調整することができ、それによりユーザ機器の正常な動作が確実になる。
【０３００】
第７応用シナリオでは、説明のために、ユーザ機器がＳＰＳシナリオに適用される例を用いる。本応用シナリオは、図３に示される実施形態における第７応用シナリオに対応する。
【０３０１】
受信モジュール４０１は、基地局により送信されたＳＰＳリソース情報を受信するよう構成される。
【０３０２】
決定モジュール４０３は、ＳＰＳリソース情報に従って、基地局によりユーザ機器に割り当てられるリソース情報およびビームインデックス情報を決定するよう構成される。
【０３０３】
ＳＰＳリソース情報が初期ビームインデックス情報を含むとき、ユーザ機器は初期ビームインデックス情報に従って初期ビームを決定してよい。ＳＰＳリソース情報が初期ビームインデックス情報を含まないとき、ユーザ機器は、ＲＲＭ測定報告に搬送される初期ビームインデックス情報に従って初期ビームを決定してよい。初期ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、初期ビームインデックス情報を示してよい。
【０３０４】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０３０５】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０３０６】
基地局により送信されたＳＰＳリソース情報が受信され、基地局によりユーザ機器に割り当てられるリソース情報およびビームインデックス情報がＳＰＳリソース情報に従って決定される。これにより、ＳＰＳリソース情報を送信する方式でリソースおよびビームを構成することができ、リソースおよびビームをユーザ機器に対して動的に構成することにより生じる、通信オーバーヘッドの浪費の問題を解決することができ、それにより通信オーバーヘッドが低減するという効果が実現する。
【０３０７】
第８応用シナリオでは、説明のために、ユーザ機器がＤ２Ｄシナリオに適用される例を用いる。本応用シナリオは、図３に示される実施形態における第８応用シナリオに対応する。
【０３０８】
Ｄ２Ｄ通信の相互干渉、またはセル内の他のユーザ機器の通常通信に対するＤ２Ｄ通信干渉を回避するべく、基地局は、Ｄ２Ｄ通信用の初期ビームの初期ビームインデックス情報をユーザ機器に割り当てる。
【０３０９】
受信モジュール４０１は、Ｄ２Ｄリソース情報と初期ビームインデックス情報とを含む、基地局により送信されたリソースインジケーション情報を受信するよう構成される。
【０３１０】
ユーザ機器はさらに、受信モジュール４０１により受信されたリソースインジケーション情報に従って、他のユーザ機器とのＤ２Ｄ通信が用いられるときに用いられるリソースおよび初期ビームを決定するよう構成された通信モジュール４０９を備える。
【０３１１】
基地局により割り当てられる初期ビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられた初期ビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０３１２】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０３１３】
Ｄ２Ｄリソース情報とビームインデックス情報とを含む、基地局により送信されたリソースインジケーション情報が受信され、他のユーザ機器とのＤ２Ｄ通信が用いられるときに用いられるリソースおよびビームがリソースインジケーション情報に従って決定される。これにより、他のユーザ機器との通信を、基地局により割り当てられたビームに従って実行することができ、それによりＤ２Ｄ通信における相互干渉の問題が解決され、通信品質が改善するという効果が実現する。
【０３１４】
結論として、本発明の本実施形態において提供されるユーザ機器によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０３１５】
図６を参照すると、図６は、本発明の一実施形態に係る基地局の構造ブロック図を示す。基地局は、図１に示される基地局であってよい。基地局は、送信機６０１と、受信機６０２と、プロセッサ６０３とを備えてよい。
【０３１６】
送信機６０１は、ユーザ機器に割り当てられたミリ波帯の初期ビームの初期ビームインデックス情報をユーザ機器へ送信するよう構成される。
【０３１７】
初期ビームインデックス情報は、基地局がダウンリンク情報をユーザ機器へ送信するときに用いられる初期ビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。詳細については、図２に示される実施形態における説明を参照されたい。これはここでは説明しない。
【０３１８】
受信機６０２は、送信機６０１により送信された初期ビームインデックス情報により示される初期ビームに対してユーザ機器がＲＲＭ測定を実行した後に取得されるＲＲＭ測定報告を、ユーザ機器から受信するよう構成される。
【０３１９】
プロセッサ６０３は、ユーザ機器との通信に用いられる初期ビームインデックス情報を、受信機６０２により受信されたＲＲＭ測定報告に従って決定するよう構成される。
【０３２０】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０３２１】
結論として、本発明の本実施形態において提供される基地局によると、ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ユーザ機器との通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０３２２】
本発明の他の実施形態は、基地局を提供する。基地局は、図１に示される基地局であってよい。基地局は、送信機６０１と、受信機６０２と、プロセッサ６０３とを備えてよい。
【０３２３】
送信機６０１は、ユーザ機器に割り当てられたミリ波帯の初期ビームの初期ビームインデックス情報をユーザ機器へ送信するよう構成される。
【０３２４】
初期ビームインデックス情報は、基地局がダウンリンク情報をユーザ機器へ送信するときに用いられるビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。例えば、初期ビームのビーム方向は、水平方向に対して３０°〜６０°の方向、鉛直方向に対して２０°〜４０°の方向、またはそれに類する方向である。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。詳細については、図２に示される実施形態における説明を参照されたい。これはここでは説明しない。
【０３２５】
本実施形態において、基地局は、ユーザ機器に対して少なくとも１つの初期ビームを構成し、少なくとも１つの初期ビームに含まれる各初期ビームの初期ビームインデックス情報をユーザ機器へ送信してよい。これによりユーザ機器は、基地局により送信されるダウンリンク情報が受信されることになる初期ビームを決定する。
【０３２６】
受信機６０２は、送信機６０１により送信された初期ビームインデックス情報により示される初期ビームに対してユーザ機器がＲＲＭ測定を実行した後に取得される無線リソース管理ＲＲＭ測定報告を、ユーザ機器から受信するよう構成される。
【０３２７】
プロセッサ６０３は、ユーザ機器との通信に用いられる初期ビームインデックス情報を、受信機６０２により受信されたＲＲＭ測定報告に従って決定するよう構成される。
【０３２８】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０３２９】
以下では、ビーム構成方法を説明するための例として異なる応用シナリオを用いる。詳細は以下の通りである。
【０３３０】
第１応用シナリオでは、説明のために、基地局が非連続的受信シナリオに適用される例を用いる。本応用シナリオは、図３に示される実施形態における第１応用シナリオに対応する。
【０３３１】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０３３２】
第１方法において、プロセッサ６０３は具体的に、ＲＲＭ測定報告に含まれる各初期ビームインデックス情報に対応する参照信号情報であって、参照信号受信電力ＲＳＲＰおよび参照信号受信品質ＲＳＲＱのうち少なくとも１つを含む参照信号情報から、参照信号情報が第１閾値より大きい第１初期ビームインデックス情報を決定するよう構成される。
【０３３３】
送信機６０１はさらに、プロセッサ６０３により決定された第１初期ビームインデックス情報に対応する初期ビームを用いることにより、制御情報を制御チャネル上でユーザ機器へ送信するよう構成され、ユーザ機器は、休止状態からアクティブ状態に切り替わった後に、決定された第１初期ビームインデックス情報に対応する初期ビームを用いることにより制御情報をリッスンするよう構成される。
【０３３４】
ビームを決定するための第１方法において、基地局とユーザ機器とは、ＲＲＭ測定報告に含まれる比較的良好な信号品質の初期ビームを用いることに同意してよい。具体的なプロセスの詳細については、図３に示される実施形態における第１応用シナリオの説明を参照されたい。これはここでは説明しない。
【０３３５】
第２方法において、送信機６０１はさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から第２初期ビームインデックス情報を指定するよう構成され、指定された第２初期ビームインデックス情報に対応する初期ビームは、制御情報を制御チャネル上でユーザ機器へ送信するのに用いられる。
【０３３６】
ビームを決定するための第２方法において、基地局は、割り当てられた初期ビームから、制御チャネル上でリソース割り当て制御シグナリングを送信するのに用いられる初期ビームを指定し、次にＲＲＣシグナリングまたはＭＡＣ  ＣＥを用いることにより、指定された初期ビームの第２初期ビームインデックス情報をユーザ機器へ送信してよい。
【０３３７】
加えて、ビームインデックス情報は、先述の第１方法および第２方法を用いることにより共同で決定されてもよいことに留意すべきである。詳細については、図３に示される実施形態における第１応用シナリオの説明を参照されたい。これはここでは説明しない。
【０３３８】
ＲＲＭ測定報告に含まれる各初期ビームインデックス情報に対応する参照信号情報から、参照信号情報が第１閾値より大きい第１初期ビームインデックス情報が決定され、第１初期ビームインデックス情報に対応する初期ビームを用いることにより、制御情報が制御チャネル上でユーザ機器へ送信される。これにより、制御情報が、ＲＲＭ測定報告に含まれる比較的良好な信号品質の初期ビームを用いることにより伝送されることができ、それにより通信効率が改善する。
【０３３９】
第２応用シナリオでは、説明のために、基地局がＴＡシナリオに適用される例を用いる。本応用シナリオは、図３に示される実施形態における第２応用シナリオに対応する。
【０３４０】
ユーザ機器と基地局との間の障害は、ビームの通信品質を低下させる。したがって、基地局は、障害を回避することにより通信品質を改善するべく、ユーザ機器に対して代替ビームを予め構成してよい。したがって、具体的には、送信機６０１はさらに、ユーザ機器に割り当てられたミリ波帯の代替ビームの代替ビームインデックス情報をユーザ機器へ送信するよう構成される。
【０３４１】
受信機６０２はさらに、送信機６０１により送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む代替ビームインデックス情報である第１代替ビームインデックス情報を受信するよう構成される。
【０３４２】
プロセッサ６０３はさらに、受信機６０２により受信された第１代替ビームインデックス情報に対応する代替ビームに従って、ユーザ機器と通信するよう構成される。
【０３４３】
基地局によりユーザ機器に対して代替ビームを構成するプロセスの詳細については、図３に示される実施形態における第２応用シナリオの説明を参照されたい。これはここでは説明しない。基地局は、少なくとも１つの受信された代替ビームインデックス情報に対応する代替ビームに従って、ユーザ機器と通信する。
【０３４４】
さらに、ユーザ機器が、初期ビームに対してＲＲＭ測定を能動的に実行し、参照信号情報を用いることにより代替ビームを通信に用いるか否かを決定することに加え、基地局は、ビームトラッキング技術を用いてユーザ機器が障害エリアに入ろうとしているか否かを検出してよい。ユーザ機器が障害エリアに入ろうとしていることを基地局が検出したとき、ユーザ機器は、代替ビームに対してＲＲＭ測定を実行するようトリガされる。
【０３４５】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０３４６】
ユーザ機器がランダムアクセス手順を能動的にトリガするとき、ユーザ機器は第１ランダムアクセス要求を基地局へ能動的に送信する。この場合、送信機６０１はさらに、ユーザ機器により送信された第１ランダムアクセス要求を受信するよう構成される。
【０３４７】
プロセッサ６０３は具体的に、第１ランダムアクセス要求に従ってアップリンクタイミングアドバンスＴＡを生成し、アップリンクＴＡと、受信された第１代替ビームインデックス情報に対応する代替ビームとに従ってユーザ機器と通信するよう構成される。
【０３４８】
ユーザ機器が、ランダムアクセス命令により命令された通りにランダムアクセス手順をトリガするとき、ユーザ機器は、第２ランダムアクセス要求を基地局へ送信する。この場合、プロセッサ６０３はさらに、ユーザ機器に割り当てられた代替ビームを用いてユーザ機器と通信することを、ビームトラッキングを用いることにより決定するよう構成される。
【０３４９】
送信機６０１はさらに、制御チャネル上でランダムアクセス命令をユーザ機器へ送信するよう構成される。
【０３５０】
受信機６０２はさらに、送信機６０１により送信されたランダムアクセス命令に従ってユーザ機器により送信された第２ランダムアクセス要求を受信するよう構成される。
【０３５１】
プロセッサ６０３はさらに、受信機６０２により受信された第２ランダムアクセス要求に従ってアップリンクＴＡを生成し、アップリンクＴＡと、割り当てられた第２代替ビームインデックス情報に対応する代替ビームとに従ってユーザ機器と通信するよう構成される。
【０３５２】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０３５３】
オプションで、プロセッサ６０３はさらに、同じアップリンクＴＡを有し、ユーザ機器との通信のためのビームに含まれるビームであって、初期ビームおよび代替ビームのうち少なくとも１つを含むビームをグループとして決定するよう構成され、ＴＡセット識別子と、グループに含まれる各ビームのビームインデックス情報と、グループに含まれる各ビームに対応するセル識別子および時間アライメントタイマーＴＡＴとを含む１つのＴＡセットを、各グループに従って生成するよう構成される。
【０３５４】
送信機６０１はさらに、プロセッサ６０３により生成されたＴＡセットをユーザ機器へ送信するよう構成される。
【０３５５】
加えて、ユーザ機器が動いたためにアップリンクＴＡが変化したとき、基地局は、新たなアップリンクＴＡに従ってＴＡセットをユーザ機器に対して再構成し、ＴＡセットに含まれるビームインデックス情報およびビームインデックス情報と関連付けられたセルを割り当ててよいことに留意すべきである。基地局は、ＴＡ  ｃｍｄを用いることによりアップリンクＴＡおよびＴＡセットを調整してよい。
【０３５６】
送信された各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きい代替ビームインデックス情報である第１代替ビームインデックス情報が受信される。第１代替ビームインデックス情報に対応する代替ビームに従って、ユーザ機器との通信が実行される。割り当てられた初期ビームの品質が比較的低いとき、比較的良好な品質の代替ビームをユーザ機器との通信に用いることができ、それにより通信効率が改善するという効果が実現する。
【０３５７】
第３応用シナリオでは、説明のために、基地局が電力制御シナリオに適用される例を用いる。本応用シナリオは、図３に示される実施形態における第３応用シナリオに対応する。
【０３５８】
基地局はビームフォーミング技術を用い、異なるビーム方向での伝播損失は異なってよい。したがって、伝播損失が最小である初期ビームを、割り当てられた初期ビームから選択する必要があり、選択された初期ビームで通信が実行される。
【０３５９】
オプションで、受信機６０２は、ユーザ機器との通信に用いられる初期ビームインデックス情報をプロセッサ６０３がＲＲＭ測定報告に従って決定した後に、各初期ビームのＲＳＲＰを測定することにより伝播損失情報が取得された後に最小の伝播損失情報に従って生成される電力ヘッドルームＰＨを含む電力ヘッドルーム報告ＰＨＲを、ユーザ機器から受信するよう構成される。
【０３６０】
プロセッサ６０３は具体的に、受信機６０２により受信されたＰＨと、ＰＨに対応する初期ビームとに従ってユーザ機器にアップリンクリソースを割り当て、ＰＨに対応する初期ビームを用いることにより対応するアップリンクリソース上でユーザ機器と通信するよう構成される。
【０３６１】
基地局により送信されたビームインデックス情報は、ＲＲＭ測定報告に対応するビーム範囲外のビームに対応してよく、ＲＲＭ測定報告に対応するビーム範囲内の初期ビームに対応してよく、または適応的に決定されたビームであってよい。このことは、本実施形態に限定されない。
【０３６２】
ＰＨＲを受信した後に、基地局は、ビームインデックス情報とＰＨＲに含まれるＰＨとに従って、ユーザ機器にアップリンクリソースを割り当てる。これにより、ユーザ機器は、ユーザ機器の最大許容伝送電力より大きくない適切な電力を用いることにより、対応する初期ビームでアップリンク情報を送信する。
【０３６３】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、その伝播損失が最小であるビームのＰＨを報告する。
【０３６４】
オプションで、送信機６０１はさらに、受信機６０２が電力ヘッドルーム報告ＰＨＲをユーザ機器から受信する前に、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションをユーザ機器へ送信するよう構成される。
【０３６５】
加えて、基地局がユーザ機器のアップリンク伝送電力を制限しないとき、無線インターフェース効率を改善するべく、ユーザ機器がアップリンクに関して複数のビームをサポートしてよいことに留意すべきである。ユーザ機器が複数のビームを同時にサポートし、電力が一定程度に制限されている場合、少なくとも１つのビームの伝送電力をさらに低下させる必要がある。具体的な低下方法の詳細については、図３に示される実施形態における第３応用シナリオの説明を参照されたい。これはここでは説明しない。
【０３６６】
各初期ビームのＲＳＲＰを測定することにより伝播損失情報が取得された後に最小の伝播損失情報に従って生成されるＰＨを含むＰＨＲがユーザ機器から受信され、ＰＨとＰＨに対応する初期ビームとに従ってアップリンクリソースがユーザ機器に割り当てられ、ＰＨに対応する初期ビームを用いることにより対応するアップリンクリソース上でユーザ機器との通信が実行される。これにより、伝播損失が最小である初期ビームに対応するアップリンクリソースをユーザ機器との通信に選択することができ、それにより伝送電力が低減する。
【０３６７】
第４応用シナリオでは、説明のために、基地局がＣＳＩ測定シナリオに適用される例を用いる。本応用シナリオは、図３に示される実施形態における第４応用シナリオに対応する。
【０３６８】
本実施形態において、ユーザ機器はさらに、ＣＳＩ情報に従って初期ビームの品質を決定するべく、初期ビームに対してＣＳＩ測定を実行してＣＳＩ情報を取得する必要がある。ユーザ機器により測定されるビームは、ＲＲＭ測定報告の範囲内の初期ビームであってよく、このとき、ユーザ機器は最初に、ＲＲＭ測定報告に対応する初期ビームを入手する必要がある。具体的な入手方法の詳細については、図３に示される実施形態における第４応用シナリオの説明を参照されたい。これはここでは説明しない。
【０３６９】
オプションで、受信機６０２は、ユーザ機器との通信に用いられる初期ビームインデックス情報をプロセッサ６０３がＲＲＭ測定報告に従って決定した後に、各初期ビームに対してチャネル状態情報ＣＳＩ測定を実行することによりチャネル品質インジケータＣＱＩが取得された後に最大のＣＱＩに従って生成されるＣＳＩ情報を含むＣＳＩ測定報告を、ユーザ機器から受信するよう構成される。
【０３７０】
プロセッサ６０３は、受信機６０２により受信されたＣＳＩ情報と、ＣＳＩ情報に対応する初期ビームとに従ってユーザ機器と通信するよう構成される。
【０３７１】
基地局が、より良好な指向性利得を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、そのＣＱＩが最大であるＣＳＩ情報を報告する。具体的には、送信機６０１はさらに、受信機６０２がチャネル状態情報ＣＳＩ測定報告をユーザ機器から受信する前に、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションをユーザ機器へ送信するよう構成される。
【０３７２】
各初期ビームに対してＣＳＩ測定を実行することによりＣＱＩが取得された後に最大のＣＱＩに従って生成されるＣＳＩ情報を含むＣＳＩ測定報告がユーザ機器から受信され、ＣＳＩ情報とＣＳＩ情報に対応する初期ビームとに従ってユーザ機器との通信が実行され、ＣＱＩが最大である初期ビームをユーザ機器との通信に選択することができ、それにより通信効率が改善する。
【０３７３】
第５応用シナリオでは、説明のために、基地局がセル帯域幅調整シナリオに適用される例を用いる。本応用シナリオは、図３に示される実施形態における第５応用シナリオに対応する。
【０３７４】
本実施形態において、セルにアクセスする各ユーザ機器のトラフィックボリュームが変化し、結果として、セルの負荷が変化したとき、基地局は、セルのセル帯域幅を調整する必要がある。具体的な調整方法の詳細については、図３に示される実施形態における第５応用シナリオの説明を参照されたい。これはここでは説明しない。
【０３７５】
オプションで、プロセッサ６０３はさらに、ユーザ機器との通信に用いられる初期ビームインデックス情報をＲＲＭ測定報告に従って決定した後に、少なくとも１つのユーザ機器のトラフィックボリュームに従って、トラフィックボリュームと正の相関を有するセル帯域幅を調整するよう構成される。
【０３７６】
送信機６０１はさらに、プロセッサ６０３により調整されたセル帯域幅についての情報と中心周波数についての情報とを各ユーザ機器へブロードキャストするよう構成され、または、調整されたセル帯域幅についての情報と中心周波数についての情報とを、ＲＲＣシグナリングを用いることにより各ユーザ機器へ送信するよう構成され、中心周波数は、調整されたセル帯域幅に対応する周波数範囲内の中心周波数である、または周波数範囲内の指定された周波数である。
【０３７７】
調整されたセルは、複数のチャネルを、それら複数のチャネルが同じＨＡＲＱエンティティを共有するように用いてよい。この場合、セル全体が複数の同一帯域幅チャネルを含んでよく、基地局は、中心周波数に位置するチャネル上で共通の情報を送信してよい、または、基地局は、各チャネルの中心の周波数で共通の情報を送信してよい。つまり、調整されたセルが同一帯域幅チャネルを含む場合、送信機６０１はさらに、中心周波数に位置するチャネル上で各ユーザ機器へ共通の情報を送信するよう構成される、または、各チャネルの中心の周波数で各ユーザ機器へ共通の情報を送信するよう構成される。
【０３７８】
少なくとも１つのユーザ機器のトラフィックボリュームに従って、トラフィックボリュームと正の相関を有するセル帯域幅が調整され、調整されたセル帯域幅についての情報と中心周波数についての情報とが各ユーザ機器へブロードキャストされる、または、調整されたセル帯域幅についての情報と中心周波数についての情報とが、ＲＲＣシグナリングを用いることにより各ユーザ機器へブロードキャストされる。これにより、セル帯域幅のみを調整することができ、他の無線リソース構成パラメータを構成する必要がなく、それによりセル帯域幅構成プロセスの間の通信オーバーヘッドが低減する。
【０３７９】
第６応用シナリオでは、説明のために、基地局がユーザ帯域幅調整シナリオに適用される例を用いる。本応用シナリオは、図３に示される実施形態における第６応用シナリオに対応する。
【０３８０】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０３８１】
オプションで、プロセッサ６０３はさらに、ユーザ機器との通信に用いられる初期ビームインデックス情報をＲＲＭ測定報告に従って決定した後に、ユーザ機器のトラフィックボリュームに従って、トラフィックボリュームと正の相関を有するユーザ機器のユーザ帯域幅を調整するよう構成される。
【０３８２】
送信機６０１はさらに、プロセッサ６０３により調整されたユーザ帯域幅についての情報を、ＲＲＣシグナリング、ＭＡＣ  ＣＥ、および制御チャネルのうち少なくとも１つを用いることによりユーザ機器へ送信するよう構成される。
【０３８３】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。具体的には、プロセッサ６０３は具体的に、ユーザ機器のトラフィックボリュームに従って、ユーザ機器に割り当てられた少なくとも１つのチャネルを調整してユーザ帯域幅を取得するよう構成される。
【０３８４】
具体的には、詳細については、図３に示される実施形態における第６応用シナリオの説明を参照されたい。これはここでは説明しない。
【０３８５】
ユーザ機器のトラフィックボリュームに従って、トラフィックボリュームと正の相関を有するユーザ機器のユーザ帯域幅が調整され、調整されたユーザ帯域幅についての情報がＲＲＣシグナリング、ＭＡＣ  ＣＥ、および制御チャネルのうち少なくとも１つに従ってユーザ機器へ送信される。これにより、ユーザ帯域幅をユーザ機器のトラフィックボリュームに従ってリアルタイムで調整することができ、それによりユーザ機器の正常な動作が確実になる。
【０３８６】
第７応用シナリオでは、説明のために、基地局がＳＰＳシナリオに適用される例を用いる。本応用シナリオは、図３に示される実施形態における第７応用シナリオに対応する。
【０３８７】
送信機６０１は、基地局によりユーザ機器に割り当てられるリソース情報およびビームインデックス情報を示すのに用いられるＳＰＳリソース情報をユーザ機器へ送信するよう構成される。
【０３８８】
ＳＰＳリソース情報がビームインデックス情報を含むとき、ユーザ機器はビームインデックス情報に従ってビームを決定してよい。ＳＰＳリソース情報がビームインデックス情報を含まないとき、ユーザ機器は、ＲＲＭ測定報告に搬送されるビームインデックス情報に従ってビームを決定してよい。ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、ビームインデックス情報を示してよい。
【０３８９】
プロセッサ６０３は、ＳＰＳ情報により示されるビームインデックス情報に対応するビームに従って、ユーザ機器と通信するよう構成される。
【０３９０】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０３９１】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０３９２】
加えて、基地局が、測定結果に従って、またはユーザ機器により推奨されるビームインデックス情報に従って、ビームインデックス情報を再び示すとき、ＳＰＳリソース情報に含まれるビームインデックス情報のみを変更する必要があり、リソース情報を変更する必要はないことに留意すべきである。この場合、基地局は、ＲＲＣシグナリング、ＭＡＣ  ＣＥ、または制御チャネルを用いることによりビームインデックス情報をユーザ機器へ再び示してよい。
【０３９３】
基地局によりユーザ機器に割り当てられるリソース情報およびビームインデックス情報を示すのに用いられるＳＰＳリソース情報がユーザ機器へ送信され、ＳＰＳ情報により示されるビームインデックス情報に対応するビームに従って、ユーザ機器との通信が実行される。これにより、ＳＰＳリソース情報を送信する方式でリソースおよびビームをユーザ機器に対して構成することができ、リソースおよびビームをユーザ機器に対して動的に構成することにより生じる、通信オーバーヘッドの浪費の問題を解決することができ、それにより通信オーバーヘッドが低減するという効果が実現する。
【０３９４】
第８応用シナリオでは、説明のために、基地局がＤ２Ｄシナリオに適用される例を用いる。本応用シナリオは、図３に示される実施形態における第８応用シナリオに対応する。
【０３９５】
Ｄ２Ｄ通信の相互干渉、またはセル内の他のユーザ機器の通常通信に対するＤ２Ｄ通信干渉を回避するべく、基地局は、Ｄ２Ｄ通信用のビームの初期ビームインデックス情報をユーザ機器に割り当てる。
【０３９６】
送信機６０１は、Ｄ２Ｄ通信の間に用いられるリソースインジケーション情報であって、Ｄ２Ｄリソース情報と初期ビームインデックス情報とを含み、Ｄ２Ｄ通信の間に用いられるリソースおよび初期ビームを用いるようユーザ機器および他のユーザ機器に命令するのに用いられるリソースインジケーション情報を、ユーザ機器へ送信するよう構成される。
【０３９７】
基地局により割り当てられる初期ビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられた初期ビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０３９８】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０３９９】
Ｄ２Ｄリソース情報とビームインデックス情報とを含む、基地局により送信されたリソースインジケーション情報が受信され、他のユーザ機器とのＤ２Ｄ通信が用いられるときに用いられるリソースおよびビームがリソースインジケーション情報に従って決定される。これにより、他のユーザ機器との通信を、基地局により割り当てられた初期ビームに従って実行することができ、それによりＤ２Ｄ通信における相互干渉の問題が解決され、通信品質が改善するという効果が得られる。
【０４００】
結論として、本発明の本実施形態において提供される基地局によると、ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ユーザ機器との通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０４０１】
図７を参照すると、図７は、本発明の一実施形態に係るユーザ機器の構造ブロック図を示す。ユーザ機器は、図１に示されるＵＥであってよく、ＵＥは、受信機７０１と送信機７０２とを備えてよい。
【０４０２】
受信機７０１は、基地局によりユーザ機器に割り当てられたミリ波帯の初期ビームを示すのに用いられる、基地局により送信された初期ビームインデックス情報を受信するよう構成される。
【０４０３】
初期ビームインデックス情報の詳細については、図２に示される実施形態における説明を参照されたい。これはここでは説明しない。
【０４０４】
送信機７０２は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信するよう構成される。
【０４０５】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。
【０４０６】
ユーザ機器は、ＲＲＭ測定報告をｍｉｌｌｉｍｅｔｅｒ  ｗａｖｅ  ｅＮＢへ転送するＬＴＥ  ｅＮＢへＲＲＭ測定報告を送信してよい、または、ＲＲＭ測定報告をｍｉｌｌｉｍｅｔｅｒ  ｗａｖｅ  ｅＮＢへ送信してよい。本実施形態は、ユーザ機器によりＲＲＭ測定報告を送信する方式を限定するものではない。以下の本発明の実施形態における、ユーザ機器によりＲＲＭ測定報告を送信するための方法については、本実施形態における説明を参照されたい。これは以下では説明しない。
【０４０７】
本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０４０８】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０４０９】
結論として、本発明の本実施形態において提供されるユーザ機器によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０４１０】
図８を参照すると、図８は、本発明の一実施形態に係るユーザ機器の構造ブロック図を示す。ユーザ機器は、図１に示されるＵＥであってよく、ＵＥは、受信機８０１と送信機８０２とを備えてよい。
【０４１１】
受信機８０１は、基地局によりユーザ機器に割り当てられたミリ波帯の初期ビームを示すのに用いられる、基地局により送信された初期ビームインデックス情報を受信するよう構成される。
【０４１２】
初期ビームインデックス情報の詳細については、図２に示される実施形態における説明を参照されたい。これはここでは説明しない。
【０４１３】
送信機８０２は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信するよう構成される。
【０４１４】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０４１５】
ユーザ機器によりＲＲＭ測定報告を送信するための方法については、図２に示される実施形態における説明を参照されたい。これは以下では説明しない。
【０４１６】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０４１７】
以下では、ビーム構成方法を説明するための例として異なる応用シナリオを用いる。詳細は以下の通りである。
【０４１８】
第１応用シナリオでは、説明のために、ユーザ機器が非連続的受信シナリオに適用される例を用いる。本応用シナリオは、図５に示される実施形態における第１応用シナリオに対応する。
【０４１９】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０４２０】
第１方法において、ＲＲＭ測定報告が、各初期ビームインデックス情報に対応する参照信号情報を含み、参照信号情報が、ＲＳＲＰおよびＲＳＲＱのうち少なくとも１つを含む場合、ユーザ機器はさらに、送信機８０２がＲＲＭ測定報告を送信した後に、ユーザ機器が休止状態からアクティブ状態に切り替わった後の参照信号情報が第１閾値より大きい第１初期ビームインデックス情報を決定するようさらに構成されたプロセッサ８０３を備える。
【０４２１】
受信機８０１はさらに、プロセッサ８０３により決定された第１初期ビームインデックス情報に対応する初期ビームを用いることにより、制御チャネル上で制御情報をリッスンするよう構成される。
【０４２２】
ビームを決定するための第１方法において、基地局とユーザ機器とは、ＲＲＭ測定報告に含まれる比較的良好な信号品質の初期ビームを用いることに同意してよい。具体的なプロセスの詳細については、図３に示される実施形態における第１応用シナリオの説明を参照されたい。これはここでは説明しない。
【０４２３】
ユーザ機器が休止状態からアクティブ状態に切り替わった場合、ユーザ機器は、先述の方法に従ってＲＲＭ測定報告から少なくとも１つの初期ビームを決定することができ、決定された少なくとも１つの初期ビームを用いることにより制御チャネル上で制御情報をリッスンすることができる。
【０４２４】
第２方法において、受信機８０１はさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から基地局により指定された第２初期ビームインデックス情報を受信するよう構成され、第２初期ビームインデックス情報に対応する初期ビームを用いることにより、制御チャネル上で制御情報をリッスンするよう構成される。
【０４２５】
ビームを決定するための第２方法において、基地局は、割り当てられた初期ビームから、制御チャネル上でリソース割り当て制御シグナリングを送信するのに用いられる初期ビームを指定し、次にＲＲＣシグナリングまたはＭＡＣ  ＣＥを用いることにより、指定された初期ビームの第２初期ビームインデックス情報をユーザ機器へ送信してよい。
【０４２６】
加えて、ビームインデックス情報は、先述の第１方法および第２方法を用いることにより共同で決定されてもよいことに留意すべきである。詳細については、図３に示される実施形態における第１応用シナリオの説明を参照されたい。これはここでは説明しない。
【０４２７】
制御チャネルのビームを決定した後に、ユーザ機器はさらに、以下の方式のうち少なくとも１つで制御チャネルをリッスンしてよい。受信機８０１は具体的に、無指向性方式で制御情報を受信するよう構成される、または、第１初期ビームインデックス情報に対応する初期ビームのビーム範囲より大きいまたはそれと等しいビーム範囲を用いることにより制御情報を受信するよう構成される、または、第１初期ビームインデックス情報に対応する初期ビームのビーム範囲より小さいビーム範囲を用いることにより制御情報を受信するよう構成される。代替的に、受信機８０１は具体的に、無指向性方式で制御情報を受信するよう構成される、または、第２初期ビームインデックス情報に対応する初期ビームのビーム範囲より大きいまたはそれと等しいビーム範囲を用いることにより制御情報を受信するよう構成される、または、第２初期ビームインデックス情報に対応する初期ビームのビーム範囲より小さいビーム範囲を用いることにより制御情報を受信するよう構成される。
【０４２８】
本実施形態において、ユーザ機器により制御情報をリッスンするプロセスの詳細については、図３に示される実施形態における第１応用シナリオの説明を参照されたい。これはここでは説明しない。
【０４２９】
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器が休止状態からアクティブ状態に切り替わった後に、ユーザ機器は、参照信号情報が第１閾値より大きい第１初期ビームインデックス情報を決定し、第１初期ビームインデックス情報に対応する初期ビームを用いることにより制御チャネル上で制御情報をリッスンする。これにより、制御情報を、ＲＲＭ測定報告に含まれる比較的良好な信号品質の初期ビームを用いることにより受信することができ、それにより通信効率が改善する。
【０４３０】
第２応用シナリオでは、説明のために、ユーザ機器がＴＡシナリオに適用される例を用いる。本応用シナリオは、図５に示される実施形態における第２応用シナリオに対応する。
【０４３１】
ユーザ機器と基地局との間の障害は、ビームの通信品質を低下させる。したがって、基地局は、障害を回避することにより通信品質を改善するべく、ユーザ機器に対して代替ビームを予め構成してよい。したがって、オプションで、受信機８０１はさらに、基地局によりユーザ機器に割り当てられたミリ波帯の代替ビームを示すのに用いられる、基地局により送信された代替ビームインデックス情報を受信するよう構成される。
【０４３２】
ユーザ機器はさらにプロセッサ８０３を備え、プロセッサ８０３はさらに、ＲＳＲＰおよびＲＳＲＱのうち少なくとも１つを含む、初期ビームの参照信号情報が第２閾値より小さいとき、受信機８０１により受信された各代替ビームインデックス情報により示される代替ビームに対してＲＲＭ測定を実行するよう構成され、ＲＲＭ測定に従って、参照信号情報が第３閾値より大きい第１代替ビームインデックス情報を決定するよう構成される。
【０４３３】
送信機８０２はさらに、プロセッサ８０３により決定された第１代替ビームインデックス情報を、第１代替ビームインデックス情報に対応する代替ビームに従ってユーザ機器と通信するよう構成された基地局へ送信するよう構成される。
【０４３４】
基地局によりユーザ機器に対して代替ビームを構成するプロセスの詳細については、図３に示される実施形態における第２応用シナリオの説明を参照されたい。これはここでは説明しない。
【０４３５】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０４３６】
本実施形態において、送信機８０２はさらに、アップリンクＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、基地局へ自動的に送信するよう構成され、または、ユーザ機器に割り当てられた代替ビームを用いてユーザ機器と通信することを、ビームトラッキングを用いることにより基地局が決定した後に送信される、基地局により送信されたランダムアクセス命令を制御チャネル上で受信するよう構成され、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信するよう構成される。
【０４３７】
ユーザ機器がランダムアクセス手順を能動的にトリガするとき、ユーザ機器は第１ランダムアクセス要求を基地局へ能動的に送信する。ユーザ機器が、ランダムアクセス命令により命令された通りにランダムアクセス手順をトリガするとき、ユーザ機器は、第２ランダムアクセス要求を基地局へ送信する。具体的なプロセスの詳細については、図３に示される実施形態における第２応用シナリオの説明を参照されたい。これはここでは説明しない。
【０４３８】
したがって、各代替ビームの参照信号情報が第３閾値より小さいこと、および少なくとも１つの初期ビームの参照信号情報が第２閾値より大きいことをユーザ機器が検出したとき、初期ビームの品質が比較的良好であると決定され、その少なくとも１つの初期ビームの初期ビームインデックス情報が基地局へ送信される。基地局は、その少なくとも１つの初期ビームを用いて基地局と通信する。代替的に、基地局は、ビームフォーミング技術を用いてユーザ機器が障害エリアから出ようとしていると決定し、少なくとも１つの初期ビームの参照信号情報が第２閾値より大きいことを検出すると、その少なくとも１つの初期ビームを用いて基地局と通信することを決定する。この場合、ユーザ機器は、アップリンクＴＡを再決定してもよく、アップリンクＴＡを決定しなくてもよい。
【０４３９】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０４４０】
受信機８０１はさらに、同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットを受信するよう構成される。
【０４４１】
ユーザ機器はさらにプロセッサ８０３を備え、プロセッサ８０３は、受信機８０１により受信されたＴＡセットに含まれるＴＡＴが満了したとき、ＴＡセットに含まれるセル識別子が他のＴＡセットに含まれるビームインデックス情報に対応するか否か、および他のＴＡセットに含まれるＴＡＴが満了していないか否かを検出するよう構成され、ＴＡセットに含まれるセル識別子が他のＴＡセットに含まれるビームインデックス情報に対応すること、および他のＴＡセットに含まれるＴＡＴが満了していないことが検出されたとき、ビームインデックス情報に対応するセルを決定し、セルに対応するハイブリッド自動再送要求ＨＡＲＱバッファエリアおよびサウンディング参照シンボルＳＲＳリソースを確保するよう構成される、または、ＴＡセットに含まれるセル識別子が他のＴＡセットに含まれるビームインデックス情報に対応すること、および他のＴＡセットに含まれるＴＡＴが満了したことが検出されたとき、ビームインデックス情報に対応するセルを決定し、セルに対応するＨＡＲＱバッファエリアおよびＳＲＳリソースをリリースするよう構成される。
【０４４２】
基地局によりユーザ機器に割り当てられるミリ波帯の代替ビームを示すのに用いられる、基地局により送信された代替ビームインデックス情報が受信され、初期ビームの参照信号情報が第２閾値より小さい場合、各代替ビームインデックス情報により示される代替ビームに対してＲＲＭ測定が実行され、参照信号情報が第３閾値より大きい第１代替ビームインデックス情報がＲＲＭ測定に従って決定され、決定された第１代替ビームインデックス情報が基地局へ送信される。割り当てられた初期ビームの品質が比較的低いとき、比較的良好な品質の代替ビームを基地局との通信に用いることができ、通信効率が改善するという効果が実現する。
【０４４３】
第３応用シナリオでは、説明のために、ユーザ機器が電力制御シナリオに適用される例を用いる。本応用シナリオは、図５に示される実施形態における第３応用シナリオに対応する。
【０４４４】
基地局はビームフォーミング技術を用い、異なるビーム方向での伝播損失は異なってよい。したがって、伝播損失が最小である初期ビームを、割り当てられた初期ビームから選択する必要があり、選択された初期ビームで通信が実行される。
【０４４５】
オプションで、ユーザ機器はさらにプロセッサ８０３を備え、プロセッサ８０３は、送信機８０２がＲＲＭ測定報告を送信した後に、各初期ビームインデックス情報に対応する初期ビームのＲＳＲＰを測定して、各初期ビームの伝播損失情報を取得するよう構成され、最小の伝播損失情報に従って電力ヘッドルームＰＨを生成して、電力ヘッドルーム報告ＰＨＲを取得するよう構成される。
【０４４６】
送信機８０２はさらに、ＰＨとＰＨに対応する初期ビームとに従ってユーザ機器にアップリンクリソースを割り当てるよう、およびＰＨに対応する初期ビームを用いることにより対応するアップリンクリソース上でユーザ機器と通信するよう基地局に命令するのに用いられる、プロセッサ８０３により生成されたＰＨＲを送信するよう構成される。
【０４４７】
基地局により送信されたビームインデックス情報は、ＲＲＭ測定報告に対応するビーム範囲外のビームに対応してよく、ＲＲＭ測定報告に対応するビーム範囲内の初期ビームに対応してよく、または適応的に決定されたビームであってよい。このことは、本実施形態に限定されない。
【０４４８】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、その伝播損失が最小であるビームのＰＨを報告する。
【０４４９】
オプションで、受信機８０１はさらに、基地局により送信され、単一の初期ビームのビーム範囲内の第１ビームの第１ビームインデックス情報を搬送する第１インジケーションを受信するよう構成される。
【０４５０】
プロセッサ８０３はさらに、受信機８０１により受信された第１インジケーションにより示される各第１ビームのＲＳＲＰを測定して、各第１ビームの伝播損失情報を取得するよう構成される。
【０４５１】
加えて、基地局がユーザ機器のアップリンク伝送電力を制限しないとき、無線インターフェース効率を改善するべく、ユーザ機器がアップリンクに関して複数のビームをサポートしてよいことに留意すべきである。ユーザ機器が複数のビームを同時にサポートし、電力が一定程度に制限されている場合、少なくとも１つのビームの伝送電力をさらに低下させる必要がある。具体的な低下方法の詳細については、図３に示される実施形態における第３応用シナリオの説明を参照されたい。これはここでは説明しない。
【０４５２】
各初期ビームの伝播損失情報を取得するべく、各初期ビームインデックス情報に対応する初期ビームのＲＳＲＰが実行され、ＰＨＲを取得するべく、ＰＨが最小の伝播損失情報に従って生成され、ＰＨとＰＨに対応する初期ビームとに従ってアップリンクリソースをユーザ機器に割り当てるよう基地局に命令するのに用いられるＰＨＲが送信され、ＰＨに対応する初期ビームを用いることにより対応するアップリンクリソース上でユーザ機器との通信が実行される。これにより、伝播損失が最小である初期ビームに対応するアップリンクリソースを基地局との通信に選択することができ、それにより伝送電力が低減する。
【０４５３】
第４応用シナリオでは、説明のために、ユーザ機器がＣＳＩ測定シナリオに適用される例を用いる。本応用シナリオは、図５に示される実施形態における第４応用シナリオに対応する。
【０４５４】
本実施形態において、ユーザ機器はさらに、ＣＳＩ情報に従って初期ビームの品質を決定するべく、初期ビームに対してＣＳＩ測定を実行してＣＳＩ情報を取得する必要がある。
【０４５５】
オプションで、ユーザ機器はさらにプロセッサ８０３を備え、プロセッサ８０３は、送信機８０２がＲＲＭ測定報告を送信した後に、各初期ビームインデックス情報に対応する初期ビームに対してチャネル状態情報ＣＳＩ測定を実行して、各初期ビームのチャネル品質インジケータＣＱＩを取得するよう構成され、最大のＣＱＩに従って少なくとも１つのチャネル状態情報ＣＳＩ情報を生成して、ＣＳＩ測定報告を取得するよう構成される。
【０４５６】
送信機８０２はさらに、ＣＳＩ情報とＣＳＩ情報に対応する初期ビームとに従ってユーザ機器と通信するよう基地局に命令するのに用いられる、プロセッサ８０３により生成されたＣＳＩ測定報告を送信するよう構成される。
【０４５７】
ユーザ機器により測定されるビームは、ＲＲＭ測定報告の範囲内の初期ビームであってよく、このとき、ユーザ機器は最初に、ＲＲＭ測定報告に対応する初期ビームを入手する必要がある。具体的な入手方法の詳細については、図３に示される実施形態における第４応用シナリオの説明を参照されたい。これはここでは説明しない。
【０４５８】
各初期ビームのＣＳＩ情報を測定した後に、ユーザ機器は、各ＣＳＩ情報から最大のＣＱＩを含むＣＳＩ情報を選別し、選別された少なくとも１つのＣＳＩ情報に従ってＣＳＩ測定報告を生成してよい。ＣＳＩ情報は、ＣＱＩ、ＰＭＩ、およびＲＩのうち少なくとも１つを含み、ユーザ機器は、ＣＱＩ、ＰＭＩ、およびＲＩのうち少なくとも１つを同時にまたは異なる瞬間に基地局へ送信してよい。
【０４５９】
基地局が、より良好な指向性利得を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、そのＣＱＩが最大であるＣＳＩ情報を報告する。
【０４６０】
オプションで、受信機８０１はさらに、基地局により送信され、単一の初期ビームのビーム範囲内の第２ビームの第２ビームインデックス情報を搬送する第２インジケーションを受信するよう構成される。
【０４６１】
プロセッサ８０３はさらに、受信機８０１により受信された第２インジケーションにより示される各第２ビームに対してＣＳＩ測定を実行して、各第２ビームのＣＱＩを取得するよう構成される。
【０４６２】
各初期ビームのＣＱＩを取得するべく、各初期ビームインデックス情報に対応する初期ビームに対してチャネル状態情報ＣＳＩ測定が実行され、ＣＳＩ測定報告を取得するべく、ＣＳＩ情報が最大のＣＱＩに従って生成され、ＣＳＩ情報とＣＳＩ情報に対応する初期ビームとに従ってユーザ機器と通信するよう基地局に命令するのに用いられるＣＳＩ測定報告が送信される。これにより、ＣＱＩが最大である初期ビームを基地局との通信に選択することができ、それにより通信効率が改善する。
【０４６３】
第５応用シナリオでは、説明のために、ユーザ機器がセル帯域幅調整シナリオに適用される例を用いる。本応用シナリオは、図５に示される実施形態における第５応用シナリオに対応する。
【０４６４】
本実施形態において、セルにアクセスする各ユーザ機器のトラフィックボリュームが変化し、結果として、セルの負荷が変化したとき、基地局は、セルのセル帯域幅を調整する必要がある。具体的な調整方法の詳細については、図３に示される実施形態における第５応用シナリオの説明を参照されたい。これはここでは説明しない。
【０４６５】
調整されたセルは、複数のチャネルを、それら複数のチャネルが同じＨＡＲＱエンティティを共有するように用いてよい。この場合、セル全体が複数の同一帯域幅チャネルを含んでよく、基地局は、中心周波数に位置するチャネル上で共通の情報を送信してよい、または、基地局は、各チャネルの中心の周波数で共通の情報を送信してよい。
【０４６６】
したがって、受信機８０１はさらに、基地局により送信された、調整されたセル帯域幅についての情報と中心周波数についての情報とをブロードキャストにより受信するよう構成され、または、調整されたセル帯域幅についての情報と中心周波数についての情報とを搬送する、基地局により送信されたＲＲＣシグナリングを受信するよう構成され、調整されたセル帯域幅は、少なくとも１つのユーザ機器のトラフィックボリュームに従って基地局により調整され、セル帯域幅はトラフィックボリュームと正の相関を有し、中心周波数は、調整されたセル帯域幅に対応する周波数範囲内の中心の周波数であり、または周波数範囲内の指定された周波数であり、受信機８０１はさらに、調整されたセルが同一帯域幅チャネルを含む場合、基地局により送信された共通の情報を、中心周波数に位置するチャネル上で受信するよう構成される、または、基地局により送信された共通の情報を、各チャネルの中心の周波数で受信するよう構成される。
【０４６７】
ユーザ機器は、調整されたセル帯域幅についての情報と中心周波数についての情報とを、基地局が調整されたセル帯域幅についての情報と中心周波数についての情報とを送信する方式に対応する方式で受信してよい。ユーザ機器は、中心周波数についての情報に従って、中心周波数に位置するチャネル上で共通の情報を受信する、または各チャネルの中心の周波数で共通の情報を受信する。
【０４６８】
基地局により送信された、調整されたセル帯域幅についての情報と中心周波数についての情報とがブロードキャストにより受信され、または、調整されたセル帯域幅についての情報と中心周波数についての情報とを搬送する、基地局により送信されたＲＲＣシグナリングが受信され、調整されたセル帯域幅は、ユーザ機器のトラフィックボリュームに従って基地局により調整され、セル帯域幅はトラフィックボリュームと正の相関を有し、中心周波数は、調整されたセル帯域幅に対応する周波数範囲内の中心の周波数である、または周波数範囲内の指定された周波数である。これにより、セル帯域幅のみを調整することができ、他の無線リソース構成パラメータを構成する必要はなく、それによりセル帯域幅構成プロセスの間の通信オーバーヘッドが低減する。
【０４６９】
第６応用シナリオでは、説明のために、ユーザ機器がユーザ帯域幅調整シナリオに適用される例を用いる。本応用シナリオは、図５に示される実施形態における第６応用シナリオに対応する。
【０４７０】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０４７１】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。
【０４７２】
したがって、受信機８０１はさらに、ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることにより受信するよう構成され、ユーザ帯域幅に含まれるチャネルの制御チャネルをリッスンするよう構成される。
【０４７３】
ユーザ機器は、調整されたユーザ帯域幅についての情報を、基地局が調整されたセル帯域幅についての情報を送信する方式に対応する方式で受信し、ユーザ帯域幅に含まれるチャネルをリッスンしてよい。ユーザ帯域幅が調整された後に残る帯域幅は、周波数領域において連続的または非連続的であってよい。
【０４７４】
具体的には、詳細については、図３に示される実施形態における第６応用シナリオの説明を参照されたい。これはここでは説明しない。
【０４７５】
ユーザ機器のトラフィックボリュームに従って基地局により調整された、トラフィックボリュームと正の相関を有する調整されたユーザ帯域幅についての、基地局により送信された情報が、ＲＲＣシグナリング、ＭＡＣ  ＣＥ、および制御チャネルのうち少なくとも１つを用いることにより受信される。これにより、ユーザ帯域幅をユーザ機器のトラフィックボリュームに従ってリアルタイムで調整することができ、それによりユーザ機器の正常な動作が確実になる。
【０４７６】
第７応用シナリオでは、説明のために、ユーザ機器がＳＰＳシナリオに適用される例を用いる。本応用シナリオは、図５に示される実施形態における第７応用シナリオに対応する。
【０４７７】
受信機８０１は、基地局により送信されたＳＰＳリソース情報を受信するよう構成される。
【０４７８】
ＳＰＳリソース情報がビームインデックス情報を含むとき、ユーザ機器はビームインデックス情報に従ってビームを決定してよい。ＳＰＳリソース情報がビームインデックス情報を含まないとき、ユーザ機器は、ＲＲＭ測定報告に搬送されるビームインデックス情報に従ってビームを決定してよい。ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、ビームインデックス情報を示してよい。
【０４７９】
ユーザ機器はさらに、ＳＰＳリソース情報に従って、基地局によりユーザ機器に割り当てられるリソース情報およびビームインデックス情報を決定するよう構成されたプロセッサ８０３を備える。
【０４８０】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０４８１】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０４８２】
加えて、基地局が、測定結果に従って、またはユーザ機器により推奨されるビームインデックス情報に従って、ビームインデックス情報を再び示すとき、ＳＰＳリソース情報に含まれるビームインデックス情報のみを変更する必要があり、リソース情報を変更する必要はないことに留意すべきである。この場合、基地局は、ＲＲＣシグナリング、ＭＡＣ  ＣＥ、または制御チャネルを用いることによりビームインデックス情報をユーザ機器へ再び示してよい。
【０４８３】
基地局により送信されたＳＰＳリソース情報が受信され、基地局によりユーザ機器に割り当てられるリソース情報およびビームインデックス情報がＳＰＳリソース情報に従って決定される。これにより、ＳＰＳリソース情報を送信する方式でリソースおよびビームを構成することができ、リソースおよびビームをユーザ機器に対して動的に構成することにより生じる、通信オーバーヘッドの浪費の問題を解決することができ、それにより通信オーバーヘッドが低減するという効果が実現する。
【０４８４】
第８応用シナリオでは、説明のために、ユーザ機器がＤ２Ｄシナリオに適用される例を用いる。本応用シナリオは、図５に示される実施形態における第８応用シナリオに対応する。
【０４８５】
Ｄ２Ｄ通信の相互干渉、またはセル内の他のユーザ機器の通常通信に対するＤ２Ｄ通信干渉を回避するべく、基地局は、Ｄ２Ｄ通信用のビームの初期ビームインデックス情報をユーザ機器に割り当てる。
【０４８６】
受信機８０１は、Ｄ２Ｄリソース情報と初期ビームインデックス情報とを含む、基地局により送信されたリソースインジケーション情報を受信する。
【０４８７】
ユーザ機器はさらに、受信機８０１により受信されたリソースインジケーション情報に従って、他のユーザ機器とのＤ２Ｄ通信が用いられるときに用いられるリソースおよび初期ビームを決定するよう構成されたプロセッサ８０３を備える。
【０４８８】
基地局により割り当てられるビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられたビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０４８９】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０４９０】
Ｄ２Ｄリソース情報とビームインデックス情報とを含む、基地局により送信されたリソースインジケーション情報が受信され、他のユーザ機器とのＤ２Ｄ通信が用いられるときに用いられるリソースおよびビームがリソースインジケーション情報に従って決定される。これにより、他のユーザ機器との通信を、基地局により割り当てられた初期ビームに従って実行することができ、それによりＤ２Ｄ通信における相互干渉の問題が解決され、通信品質が改善するという効果が実現する。
【０４９１】
結論として、本発明の本実施形態において提供されるユーザ機器によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０４９２】
図９を参照すると、図９は、本発明の一実施形態に係るビーム構成方法の方法フローチャートを示す。ビーム構成方法は、以下の段階を備えてよい。
【０４９３】
段階９０１：基地局は、ユーザ機器に割り当てられたミリ波帯の初期ビームの初期ビームインデックス情報をユーザ機器へ送信する。
【０４９４】
初期ビームインデックス情報は、基地局がダウンリンク情報をユーザ機器へ送信するときに用いられる初期ビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。詳細については、図２に示される実施形態における説明を参照されたい。これはここでは説明しない。
【０４９５】
段階９０２：基地局は、初期ビームインデックス情報により示される初期ビームに対してユーザ機器がＲＲＭ測定を実行した後に取得されるＲＲＭ測定報告をユーザ機器から受信する。
【０４９６】
段階９０３：基地局は、ＲＲＭ測定報告に従って、ユーザ機器との通信に用いられる初期ビームインデックス情報を決定する。
【０４９７】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０４９８】
結論として、本発明の本実施形態において提供されるビーム構成方法によると、ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ユーザ機器との通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０４９９】
本発明の他の実施形態はビーム構成方法を提供し、ビーム構成方法は以下の段階を備えてよい。
【０５００】
段階９０１：基地局は、ユーザ機器に割り当てられたミリ波帯の初期ビームの初期ビームインデックス情報をユーザ機器へ送信する。
【０５０１】
初期ビームインデックス情報は、基地局がダウンリンク情報をユーザ機器へ送信するときに用いられるビームを示すのに用いられ、基地局によりユーザ機器に対して予め構成される。初期ビームインデックス情報は、基地局がダウンリンク情報を送信するときに用いられるアンテナ重み値またはコードブック情報と関連付けられ、初期ビームの方向および幅などの情報を決定する。初期ビームの方向とは、水平方向および／または鉛直方向に対する初期ビームの角度情報を指す。例えば、初期ビームのビーム方向は、水平方向に対して３０°〜６０°の方向、鉛直方向に対して２０°〜４０°の方向、またはそれに類する方向である。初期ビームインデックス情報はさらに初期ビームの特性情報と関連付けられ、基地局は異なる初期ビームで初期ビームの特定の特性情報を送信し、これにより、ユーザ機器は、異なる特性情報に従って異なる初期ビームを識別する。詳細については、図２に示される実施形態における説明を参照されたい。これはここでは説明しない。
【０５０２】
本実施形態において、基地局は、ユーザ機器に対して少なくとも１つの初期ビームを構成し、少なくとも１つの初期ビームに含まれる各初期ビームの初期ビームインデックス情報をユーザ機器へ送信してよい。これによりユーザ機器は、基地局により送信されるダウンリンク情報が受信されることになる初期ビームを決定する。
【０５０３】
段階９０２：基地局は、初期ビームインデックス情報により示される初期ビームに対してユーザ機器がＲＲＭ測定を実行した後に取得されるＲＲＭ測定報告をユーザ機器から受信する。
【０５０４】
段階９０３：基地局は、ＲＲＭ測定報告に従って、ユーザ機器との通信に用いられる初期ビームインデックス情報を決定する。
【０５０５】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０５０６】
以下では、ビーム構成方法を説明するための例として異なる応用シナリオを用いる。詳細は以下の通りである。
【０５０７】
第１応用シナリオでは、説明のために、基地局が非連続的受信シナリオに適用される例を用いる。本応用シナリオは、図３に示される実施形態における第１応用シナリオに対応する。
【０５０８】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０５０９】
第１方法において、ユーザ機器との通信に用いられる初期ビームインデックス情報を基地局がＲＲＭ測定報告に従って決定する段階は、ＲＲＭ測定報告に含まれる各初期ビームインデックス情報に対応する参照信号情報であって、ＲＳＲＰおよびＲＳＲＱのうち少なくとも１つを含む参照信号情報から、参照信号情報が第１閾値より大きい第１初期ビームインデックス情報を基地局が決定する段階を有し、基地局は、決定された第１初期ビームインデックス情報に対応する初期ビームを用いることにより、制御情報を制御チャネル上でユーザ機器へ送信し、ユーザ機器は、休止状態からアクティブ状態に切り替わった後に、決定された第１初期ビームインデックス情報に対応する初期ビームを用いることにより制御情報をリッスンするよう構成される。
【０５１０】
ビームを決定するための第１方法において、基地局とユーザ機器とは、ＲＲＭ測定報告に含まれる比較的良好な信号品質の初期ビームを用いることに同意してよい。具体的なプロセスの詳細については、図３に示される実施形態における第１応用シナリオの説明を参照されたい。これはここでは説明しない。
【０５１１】
第２方法において、基地局は、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から第２初期ビームインデックス情報を指定し、指定された第２初期ビームインデックス情報に対応する初期ビームは、制御情報を制御チャネル上でユーザ機器へ送信するのに用いられる。
【０５１２】
ビームを決定するための第２方法において、基地局は、割り当てられた初期ビームから、制御チャネル上でリソース割り当て制御シグナリングを送信するのに用いられる初期ビームを指定し、次にＲＲＣシグナリングまたはＭＡＣ  ＣＥを用いることにより、指定された初期ビームの第２初期ビームインデックス情報をユーザ機器へ送信してよい。
【０５１３】
加えて、ビームインデックス情報は、先述の第１方法および第２方法を用いることにより共同で決定されてもよいことに留意すべきである。詳細については、図３に示される実施形態における第１応用シナリオの説明を参照されたい。これはここでは説明しない。
【０５１４】
ＲＲＭ測定報告に含まれる各初期ビームインデックス情報に対応する参照信号情報から、参照信号情報が第１閾値より大きい第１初期ビームインデックス情報が決定され、第１初期ビームインデックス情報に対応する初期ビームを用いることにより、制御情報が制御チャネル上でユーザ機器へ送信される。これにより、制御情報が、ＲＲＭ測定報告に含まれる比較的良好な信号品質の初期ビームを用いることにより伝送されることができ、それにより通信効率が改善する。
【０５１５】
第２応用シナリオでは、説明のために、基地局がＴＡシナリオに適用される例を用いる。本応用シナリオは、図３に示される実施形態における第２応用シナリオに対応する。
【０５１６】
ユーザ機器と基地局との間の障害は、初期ビームの通信品質を低下させる。したがって、基地局は、障害を回避することにより通信品質を改善するべく、ユーザ機器に対して代替ビームを予め構成してよい。したがって、具体的には、本実施形態において提供されるビーム構成方法はさらに、ユーザ機器に割り当てられたミリ波帯の代替ビームの代替ビームインデックス情報を基地局がユーザ機器へ送信する段階と、各代替ビームインデックス情報から選択され、ユーザ機器により送信された第１代替ビームインデックス情報であって、初期ビームの参照信号情報が第２閾値より小さく、各代替ビームインデックス情報により示される代替ビームに対してＲＲＭ測定が実行された後に決定される参照信号情報が第３閾値より大きく、参照信号情報がＲＳＲＰおよびＲＳＲＱのうち少なくとも１つを含む代替ビームインデックス情報である第１代替ビームインデックス情報を基地局が受信する段階と、受信された第１代替ビームインデックス情報に対応する代替ビームに従って基地局がユーザ機器と通信する段階とを備える。
【０５１７】
基地局によりユーザ機器に対して代替ビームを構成するプロセスの詳細については、図３に示される実施形態における第２応用シナリオの説明を参照されたい。これはここでは説明しない。基地局は、少なくとも１つの受信された代替ビームインデックス情報に対応する代替ビームに従って、ユーザ機器と通信する。
【０５１８】
さらに、ユーザ機器が、初期ビームに対してＲＲＭ測定を能動的に実行し、参照信号情報を用いることにより代替ビームを通信に用いるか否かを決定することに加え、基地局は、ビームトラッキング技術を用いてユーザ機器が障害エリアに入ろうとしているか否かを検出してよい。ユーザ機器が障害エリアに入ろうとしていることを基地局が検出したとき、ユーザ機器は、代替ビームに対してＲＲＭ測定を実行するようトリガされる。
【０５１９】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０５２０】
ユーザ機器がランダムアクセス手順を能動的にトリガするとき、ユーザ機器は第１ランダムアクセス要求を基地局へ能動的に送信する。この場合、受信された第１代替ビームインデックス情報に対応する代替ビームに従って基地局がユーザ機器と通信する段階は、基地局が、ユーザ機器により送信された第１ランダムアクセス要求を受信し、第１ランダムアクセス要求に従ってアップリンクタイミングアドバンスＴＡを生成する段階と、アップリンクＴＡと、受信された第１代替ビームインデックス情報に対応する代替ビームとに従って基地局がユーザ機器と通信する段階とを有する。
【０５２１】
ユーザ機器が、ランダムアクセス命令により命令された通りにランダムアクセス手順をトリガするとき、ユーザ機器は、第２ランダムアクセス要求を基地局へ送信する。この場合、方法はさらに、ユーザ機器に割り当てられた代替ビームを用いてユーザ機器と通信することを、ビームトラッキングを用いることにより基地局が決定する段階と、基地局がランダムアクセス命令を制御チャネル上でユーザ機器へ送信する段階と、基地局が、ランダムアクセス命令に従ってユーザ機器により送信された第２ランダムアクセス要求を受信し、第２ランダムアクセス要求に従ってアップリンクＴＡを生成する段階と、アップリンクＴＡと、割り当てられた第２代替ビームインデックス情報に対応する代替ビームとに従って基地局がユーザ機器と通信する段階とを備える。
【０５２２】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０５２３】
オプションで、方法はさらに、同じアップリンクＴＡを有し、ユーザ機器との通信のためのビームに含まれるビームであって、初期ビームおよび代替ビームのうち少なくとも１つを含むビームを基地局がグループとして決定する段階と、ＴＡセット識別子と、グループに含まれる各ビームのビームインデックス情報と、グループに含まれる各ビームに対応するセル識別子および時間アライメントタイマーＴＡＴとを含む１つのＴＡセットを、各グループに従って基地局が生成する段階と、生成されたＴＡセットを、基地局がユーザ機器へ送信する段階とを備える。
【０５２４】
加えて、ユーザ機器が動いたためにアップリンクＴＡが変化したとき、基地局は、新たなアップリンクＴＡに従ってＴＡセットをユーザ機器に対して再構成し、ＴＡセットに含まれるビームインデックス情報およびビームインデックス情報と関連付けられたセルを割り当ててよいことに留意すべきである。基地局は、ＴＡ  ｃｍｄを用いることによりアップリンクＴＡおよびＴＡセットを調整してよい。
【０５２５】
第３応用シナリオでは、説明のために、基地局が電力制御シナリオに適用される例を用いる。本応用シナリオは、図３に示される実施形態における第３応用シナリオに対応する。
【０５２６】
基地局はビームフォーミング技術を用い、異なるビーム方向での伝播損失は異なってよい。したがって、伝播損失が最小である初期ビームを、割り当てられた初期ビームから選択する必要があり、選択された初期ビームで通信が実行される。
【０５２７】
オプションで、ユーザ機器との通信に用いられる初期ビームインデックス情報を基地局がＲＲＭ測定報告に従って決定する段階の後に、方法はさらに、各初期ビームのＲＳＲＰを測定することにより伝播損失が取得された後に最小の伝播損失情報に従って生成される電力ヘッドルームＰＨを含む電力ヘッドルーム報告ＰＨＲを、基地局がユーザ機器から受信する段階と、ＰＨとＰＨに対応する初期ビームとに従って基地局がユーザ機器にアップリンクリソースを割り当てる段階と、ＰＨに対応する初期ビームを用いることにより対応するアップリンクリソース上で基地局がユーザ機器と通信する段階とを備える。
【０５２８】
基地局により送信されたビームインデックス情報は、ＲＲＭ測定報告に対応するビーム範囲外のビームに対応してよく、ＲＲＭ測定報告に対応するビーム範囲内の初期ビームに対応してよく、または適応的に決定されたビームであってよい。このことは、本実施形態に限定されない。
【０５２９】
ＰＨＲを受信した後に、基地局は、ビームインデックス情報とＰＨＲに含まれるＰＨとに従って、ユーザ機器にアップリンクリソースを割り当てる。これにより、ユーザ機器は、ユーザ機器の最大許容伝送電力より大きくない適切な電力を用いることにより、対応する初期ビームでアップリンク情報を送信する。
【０５３０】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、その伝播損失が最小であるビームのＰＨを報告する。
【０５３１】
オプションで、電力ヘッドルーム報告ＰＨＲを基地局がユーザ機器から受信する段階の前に、方法はさらに、単一の初期ビームのビーム範囲内の第１ビームの第１ビームインデックス情報を搬送する第１インジケーションであって、第１ビームのＲＳＲＰを測定するようユーザ機器に命令するのに用いられる第１インジケーションを基地局がユーザ機器へ送信する段階を備える。
【０５３２】
加えて、基地局がユーザ機器のアップリンク伝送電力を制限しないとき、無線インターフェース効率を改善するべく、ユーザ機器がアップリンクに関して複数のビームをサポートしてよいことに留意すべきである。ユーザ機器が複数のビームを同時にサポートし、電力が一定程度に制限されている場合、少なくとも１つのビームの伝送電力をさらに低下させる必要がある。具体的な低下方法の詳細については、図３に示される実施形態における第３応用シナリオの説明を参照されたい。これはここでは説明しない。
【０５３３】
各初期ビームのＲＳＲＰを測定することにより伝播損失情報が取得された後に最小の伝播損失情報に従って生成されるＰＨを含むＰＨＲがユーザ機器から受信され、ＰＨとＰＨに対応する初期ビームとに従ってアップリンクリソースがユーザ機器に割り当てられ、ＰＨに対応する初期ビームを用いることにより対応するアップリンクリソース上でユーザ機器との通信が実行される。これにより、伝播損失が最小である初期ビームに対応するアップリンクリソースをユーザ機器との通信に選択することができ、それにより伝送電力が低減する。
【０５３４】
第４応用シナリオでは、説明のために、基地局がＣＳＩ測定シナリオに適用される例を用いる。本応用シナリオは、図３に示される実施形態における第４応用シナリオに対応する。
【０５３５】
本実施形態において、ユーザ機器はさらに、ＣＳＩ情報に従って初期ビームの品質を決定するべく、初期ビームに対してＣＳＩ測定を実行してＣＳＩ情報を取得する必要がある。ユーザ機器により測定されるビームは、ＲＲＭ測定報告の範囲内の初期ビームであってよく、このとき、ユーザ機器は最初に、ＲＲＭ測定報告に対応する初期ビームを入手する必要がある。具体的な入手方法の詳細については、図３に示される実施形態における第４応用シナリオの説明を参照されたい。これはここでは説明しない。
【０５３６】
オプションで、ユーザ機器との通信に用いられる初期ビームインデックス情報を基地局がＲＲＭ測定報告に従って決定する段階の後に、方法はさらに、各初期ビームに対してチャネル状態情報ＣＳＩ測定を実行することによりチャネル品質インジケータＣＱＩが取得された後に最大のＣＱＩに従って生成されるＣＳＩ情報を含むＣＳＩ測定報告を、基地局がユーザ機器から受信する段階と、ＣＳＩ情報とＣＳＩ情報に対応する初期ビームとに従って基地局がユーザ機器と通信する段階とを備える。
【０５３７】
基地局が、より良好な指向性利得を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、そのＣＱＩが最大であるＣＳＩ情報を報告する。具体的には、チャネル状態情報ＣＳＩ測定報告を基地局がユーザ機器から受信する段階の前に、方法はさらに、単一の初期ビームのビーム範囲内の第２ビームの第２ビームインデックス情報を搬送する第２インジケーションであって、第２ビームに対してＣＳＩ測定を実行するようユーザ機器に命令するのに用いられる第２インジケーションを、基地局がユーザ機器へ送信する段階を備える。
【０５３８】
各初期ビームに対してＣＳＩ測定を実行することによりＣＱＩが取得された後に最大のＣＱＩに従って生成されるＣＳＩ情報を含むＣＳＩ測定報告がユーザ機器から受信され、ＣＳＩ情報とＣＳＩ情報に対応する初期ビームとに従ってユーザ機器との通信が実行され、ＣＱＩが最大である初期ビームをユーザ機器との通信に選択することができ、それにより通信効率が改善する。
【０５３９】
第５応用シナリオでは、説明のために、基地局がセル帯域幅調整シナリオに適用される例を用いる。本応用シナリオは、図３に示される実施形態における第５応用シナリオに対応する。
【０５４０】
本実施形態において、セルにアクセスする各ユーザ機器のトラフィックボリュームが変化し、結果として、セルの負荷が変化したとき、基地局は、セルのセル帯域幅を調整する必要がある。具体的な調整方法の詳細については、図３に示される実施形態における第５応用シナリオの説明を参照されたい。これはここでは説明しない。
【０５４１】
オプションで、ユーザ機器との通信に用いられる初期ビームインデックス情報を基地局がＲＲＭ測定報告に従って決定する段階の後に、方法はさらに、ユーザ機器のトラフィックボリュームに従って、トラフィックボリュームと正の相関を有するセル帯域幅を基地局が調整する段階と、基地局が、調整されたセル帯域幅についての情報と中心周波数についての情報とを各ユーザ機器へブロードキャストする段階、または、調整されたセル帯域幅についての情報と中心周波数についての情報とを、ＲＲＣシグナリングを用いることにより各ユーザ機器へ送信する段階であって、中心周波数は、調整されたセル帯域幅に対応する周波数範囲内の中心周波数である、または周波数範囲内の指定された周波数である、段階とを備える。
【０５４２】
調整されたセルは、複数のチャネルを、それら複数のチャネルが同じＨＡＲＱエンティティを共有するように用いてよい。この場合、セル全体が複数の同一帯域幅チャネルを含んでよく、基地局は、中心周波数に位置するチャネル上で共通の情報を送信してよい、または、基地局は、各チャネルの中心の周波数で共通の情報を送信してよい。つまり、調整されたセルが同一帯域幅チャネルを含む場合、方法はさらに、基地局が、中心周波数に位置するチャネル上で各ユーザ機器へ共通の情報を送信する段階、または、各チャネルの中心の周波数で各ユーザ機器へ共通の情報を送信する段階を備える。
【０５４３】
少なくとも１つのユーザ機器のトラフィックボリュームに従って、トラフィックボリュームと正の相関を有するセル帯域幅が調整され、調整されたセル帯域幅についての情報と中心周波数についての情報とが各ユーザ機器へブロードキャストされる、または、調整されたセル帯域幅についての情報と中心周波数についての情報とが、ＲＲＣシグナリングを用いることにより各ユーザ機器へブロードキャストされる。これにより、セル帯域幅のみを調整することができ、他の無線リソース構成パラメータを構成する必要がなく、それによりセル帯域幅構成プロセスの間の通信オーバーヘッドが低減する。
【０５４４】
第６応用シナリオでは、説明のために、基地局がユーザ帯域幅調整シナリオに適用される例を用いる。本応用シナリオは、図３に示される実施形態における第６応用シナリオに対応する。
【０５４５】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０５４６】
オプションで、ユーザ機器との通信に用いられる初期ビームインデックス情報を基地局がＲＲＭ測定報告に従って決定する段階の後に、方法はさらに、ユーザ機器のトラフィックボリュームに従って、トラフィックボリュームと正の相関を有するユーザ機器のユーザ帯域幅を基地局が調整する段階と、調整されたユーザ帯域幅についての情報を、ＲＲＣシグナリング、ＭＡＣ  ＣＥ、および制御チャネルのうち少なくとも１つを用いることにより基地局がユーザ機器へ送信する段階とを備える。
【０５４７】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。具体的には、ユーザ機器のトラフィックボリュームに従って、ユーザ機器のユーザ帯域幅を基地局が調整する段階は、基地局が、ユーザ機器に割り当てられたチャネルをユーザ機器のトラフィックボリュームに従って調整して、ユーザ帯域幅を取得する段階を有する。
【０５４８】
具体的には、詳細については、図３に示される実施形態における第６応用シナリオの説明を参照されたい。これはここでは説明しない。
【０５４９】
ユーザ機器のトラフィックボリュームに従って、トラフィックボリュームと正の相関を有するユーザ機器のユーザ帯域幅が調整され、調整されたユーザ帯域幅についての情報がＲＲＣシグナリング、ＭＡＣ  ＣＥ、および制御チャネルのうち少なくとも１つに従ってユーザ機器へ送信される。これにより、ユーザ帯域幅をユーザ機器のトラフィックボリュームに従ってリアルタイムで調整することができ、それによりユーザ機器の正常な動作が確実になる。
【０５５０】
第７応用シナリオでは、説明のために、基地局がＳＰＳシナリオに適用される例を用いる。本応用シナリオは、図３に示される実施形態における第７応用シナリオに対応する。
【０５５１】
送信機６０１は、基地局によりユーザ機器に割り当てられるリソース情報およびビームインデックス情報を示すのに用いられるＳＰＳリソース情報をユーザ機器へ送信するよう構成される。
【０５５２】
ＳＰＳリソース情報がビームインデックス情報を含むとき、ユーザ機器はビームインデックス情報に従ってビームを決定してよい。ＳＰＳリソース情報がビームインデックス情報を含まないとき、ユーザ機器は、ＲＲＭ測定報告に搬送されるビームインデックス情報に従ってビームを決定してよい。ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、ビームインデックス情報を示してよい。
【０５５３】
プロセッサ６０３は、ＳＰＳ情報により示されるビームインデックス情報に対応するビームに従って、ユーザ機器と通信するよう構成される。
【０５５４】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０５５５】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０５５６】
加えて、基地局が、測定結果に従って、またはユーザ機器により推奨されるビームインデックス情報に従って、ビームインデックス情報を再び示すとき、ＳＰＳリソース情報に含まれるビームインデックス情報のみを変更する必要があり、リソース情報を変更する必要はないことに留意すべきである。この場合、基地局は、ＲＲＣシグナリング、ＭＡＣ  ＣＥ、または制御チャネルを用いることによりビームインデックス情報をユーザ機器へ再び示してよい。
【０５５７】
基地局によりユーザ機器に割り当てられるリソース情報およびビームインデックス情報を示すのに用いられるＳＰＳリソース情報がユーザ機器へ送信され、ＳＰＳ情報により示されるビームインデックス情報に対応するビームに従って、ユーザ機器との通信が実行される。これにより、ＳＰＳリソース情報を送信する方式でリソースおよびビームをユーザ機器に対して構成することができ、リソースおよびビームをユーザ機器に対して動的に構成することにより生じる、通信オーバーヘッドの浪費の問題を解決することができ、それにより通信オーバーヘッドが低減するという効果が実現する。
【０５５８】
第８応用シナリオでは、説明のために、基地局がＤ２Ｄシナリオに適用される例を用いる。本応用シナリオは、図３に示される実施形態における第８応用シナリオに対応する。
【０５５９】
Ｄ２Ｄ通信の相互干渉、またはセル内の他のユーザ機器の通常通信に対するＤ２Ｄ通信干渉を回避するべく、基地局は、Ｄ２Ｄ通信用のビームの初期ビームインデックス情報をユーザ機器に割り当てる。
【０５６０】
送信機６０１は、Ｄ２Ｄ通信の間に用いられるリソースインジケーション情報であって、Ｄ２Ｄリソース情報と初期ビームインデックス情報とを含み、Ｄ２Ｄ通信の間に用いられるリソースおよび初期ビームを用いるようユーザ機器および他のユーザ機器に命令するのに用いられるリソースインジケーション情報を、ユーザ機器へ送信するよう構成される。
【０５６１】
基地局により割り当てられるビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられたビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０５６２】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０５６３】
Ｄ２Ｄリソース情報とビームインデックス情報とを含む、基地局により送信されたリソースインジケーション情報が受信され、他のユーザ機器とのＤ２Ｄ通信が用いられるときに用いられるリソースおよびビームがリソースインジケーション情報に従って決定される。これにより、他のユーザ機器との通信を、基地局により割り当てられた初期ビームに従って実行することができ、それによりＤ２Ｄ通信における相互干渉の問題が解決され、通信品質が改善するという効果が実現する。
【０５６４】
結論として、本発明の本実施形態において提供されるビーム構成方法によると、ユーザ機器に割り当てられたミリ波帯の初期ビームの初期ビームインデックス情報がＵＥへ送信され、初期ビームインデックス情報により示される初期ビームに対してユーザ機器がＲＲＭ測定を実行した後に取得される、ユーザ機器からのＲＲＭ測定報告が受信され、ユーザ機器との通信に用いられる初期ビームインデックス情報がＲＲＭ測定報告に従って決定される。ＲＲＭ測定報告に従って、初期ビームの信号品質が決定されることができ、次に比較的良好な信号品質の初期ビームがユーザ機器との通信に選択され、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０５６５】
図１０を参照すると、図１０は、本発明の一実施形態に係るビーム構成方法の方法フローチャートを示す。ビーム構成方法は、以下の段階を備えてよい。
【０５６６】
段階１００１：ユーザ機器は、基地局によりユーザ機器に割り当てられたミリ波帯の初期ビームを示すのに用いられる、基地局により送信された初期ビームインデックス情報を受信する。
【０５６７】
初期ビームインデックス情報の詳細については、図２に示される実施形態における説明を参照されたい。これはここでは説明しない。
【０５６８】
段階１００２：ユーザ機器は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信する。
【０５６９】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。
【０５７０】
ユーザ機器は、ＲＲＭ測定報告をｍｉｌｌｉｍｅｔｅｒ  ｗａｖｅ  ｅＮＢへ転送するＬＴＥ  ｅＮＢへＲＲＭ測定報告を送信してよい、または、ＲＲＭ測定報告をｍｉｌｌｉｍｅｔｅｒ  ｗａｖｅ  ｅＮＢへ送信してよい。本実施形態は、ユーザ機器によりＲＲＭ測定報告を送信する方式を限定するものではない。以下の本発明の実施形態における、ユーザ機器によりＲＲＭ測定報告を送信するための方法については、本実施形態における説明を参照されたい。これは以下では説明しない。
【０５７１】
本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０５７２】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０５７３】
結論として、本発明の本実施形態において提供されるビーム構成方法によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０５７４】
本発明の他の実施形態はビーム構成方法を提供し、ビーム構成方法は以下の段階を備えてよい。
【０５７５】
段階１００１：ユーザ機器は、基地局によりユーザ機器に割り当てられたミリ波帯の初期ビームを示すのに用いられる、基地局により送信された初期ビームインデックス情報を受信する。
【０５７６】
初期ビームインデックス情報の詳細については、図２に示される実施形態における説明を参照されたい。これはここでは説明しない。
【０５７７】
段階１００２：ユーザ機器は、初期ビームインデックス情報により示される初期ビームに対してユーザ機器がＲＲＭ測定を実行した後に取得されるＲＲＭ測定報告であって、ユーザ機器との通信に用いられる初期ビームインデックス情報を決定するよう基地局に命令するのに用いられるＲＲＭ測定報告を送信する。
【０５７８】
基地局により割り当てられる初期ビームから比較的良好な信号品質の初期ビームを通信に選択することで通信品質を改善するべく、ユーザ機器はさらに、基地局により割り当てられた、決定された初期ビームに対してＲＲＭ測定を実行し、測定結果に従ってＲＲＭ測定報告を生成してよい。
【０５７９】
ユーザ機器は、ＲＲＭ測定報告をｍｉｌｌｉｍｅｔｅｒ  ｗａｖｅ  ｅＮＢへ転送するＬＴＥ  ｅＮＢへＲＲＭ測定報告を送信してよい、または、ＲＲＭ測定報告をｍｉｌｌｉｍｅｔｅｒ  ｗａｖｅ  ｅＮＢへ送信してよい。本実施形態は、ユーザ機器によりＲＲＭ測定報告を送信する方式を限定するものではない。以下の本発明の実施形態における、ユーザ機器によりＲＲＭ測定報告を送信するための方法については、本実施形態における説明を参照されたい。これは以下では説明しない。
【０５８０】
本明細書においてＲＲＭ測定とは、通常の意味ではモビリティ管理に用いられる測定を指してよく、ＲＲＣ層を介してフィルタリングされる測定方法であり、またはビームトレーニング方式で実行される測定を指してよい。詳細については、図２に示される実施形態における説明を参照されたい。これはここでは説明しない。
【０５８１】
基地局は、ＲＲＭ測定報告に従って初期ビームの信号品質を決定し、次に比較的良好な信号品質の初期ビームをＵＥとの通信に選択し、ビームフォーミング技術が用いられることで、ミリ波帯の比較的短い伝送距離、およびセルラー通信環境におけるユーザ機器のデータ通信要件の不満足という既存の問題が解決され、それによりミリ波帯の伝送距離が増大する。
【０５８２】
以下では、ビーム構成方法を説明するための例として異なる応用シナリオを用いる。詳細は以下の通りである。
【０５８３】
第１応用シナリオでは、説明のために、ユーザ機器が非連続的受信シナリオに適用される例を用いる。本応用シナリオは、図５に示される実施形態における第１応用シナリオに対応する。
【０５８４】
ユーザ機器には休止状態およびアクティブ状態があり、アクティブ状態のユーザ機器は、ビームフォーミング技術を用いることにより基地局により送信される制御情報を制御チャネル上で受信するべく、基地局により割り当てられるビームを用いることにより制御チャネルをリッスンする必要がある。制御情報は、基地局によりユーザ機器に割り当てられるアップリンク／ダウンリンクリソースを示すのに用いられるリソース割り当て制御命令を含む。ユーザ機器が休止状態からアクティブ状態に切り替わると、ユーザ機器がアクティブ状態にあるときにリソース割り当て制御シグナリングが以前に受信されたビームは、それ以降適用されない。したがって、ユーザ機器はさらに、今回リッスンされる必要がある制御チャネルのビームを決定する必要がある。本実施形態は、リッスンされる必要がある制御チャネルのビームを決定するための２つの方法を提供する。以下では、２つの方法の詳細を別個に説明する。
【０５８５】
第１方法において、ＲＲＭ測定報告が、各初期ビームインデックス情報に対応する参照信号情報を含み、参照信号情報が、ＲＳＲＰおよびＲＳＲＱのうち少なくとも１つを含む場合、ユーザ機器がＲＲＭ測定報告を送信する段階の後に、方法はさらに、ユーザ機器が休止状態からアクティブ状態に切り替わった後の参照信号情報が第１閾値より大きい第１初期ビームインデックス情報をユーザ機器が決定する段階と、第１初期ビームインデックス情報に対応する初期ビームを用いることにより、ユーザ機器が制御チャネル上で制御情報をリッスンする段階とを備える。
【０５８６】
ビームを決定するための第１方法において、基地局とユーザ機器とは、ＲＲＭ測定報告に含まれる比較的良好な信号品質の初期ビームを用いることに同意してよい。具体的なプロセスの詳細については、図３に示される実施形態における第１応用シナリオの説明を参照されたい。これはここでは説明しない。
【０５８７】
ユーザ機器が休止状態からアクティブ状態に切り替わった場合、ユーザ機器は、先述の方法に従ってＲＲＭ測定報告から少なくとも１つの初期ビームを決定することができ、決定された少なくとも１つの初期ビームを用いることにより制御チャネル上で制御情報をリッスンすることができる。
【０５８８】
第２方法において、方法はさらに、無線リソース制御ＲＲＣシグナリングおよび媒体アクセス制御の制御要素ＭＡＣ  ＣＥのうち少なくとも１つを用いることにより、ＲＲＭ測定報告に含まれる各初期ビームインデックス情報から基地局により指定された第２初期ビームインデックス情報をユーザ機器が受信する段階と、第２初期ビームインデックス情報に対応する初期ビームを用いることにより、ユーザ機器が制御チャネル上で制御情報をリッスンする段階とを備える。
【０５８９】
ビームを決定するための第２方法において、基地局は、割り当てられた初期ビームから、制御チャネル上でリソース割り当て制御シグナリングを送信するのに用いられる初期ビームを指定し、次にＲＲＣシグナリングまたはＭＡＣ  ＣＥを用いることにより、指定された初期ビームの第２初期ビームインデックス情報をユーザ機器へ送信してよい。
【０５９０】
加えて、ビームインデックス情報は、先述の第１方法および第２方法を用いることにより共同で決定されてもよいことに留意すべきである。詳細については、図３に示される実施形態における第１応用シナリオの説明を参照されたい。これはここでは説明しない。
【０５９１】
制御チャネルのビームを決定した後に、ユーザ機器はさらに、以下の方式のうち少なくとも１つで制御チャネルをリッスンしてよい。第１初期ビームインデックス情報に対応する初期ビームを用いることにより、ユーザ機器が制御チャネル上で制御情報をリッスンする段階は、ユーザ機器が、無指向性方式で制御情報を受信する段階、または、第１初期ビームインデックス情報に対応する初期ビームのビーム範囲より大きいまたはそれと等しいビーム範囲を用いることにより制御情報を受信する段階、または、第１初期ビームインデックス情報に対応する初期ビームのビーム範囲より小さいビーム範囲を用いることにより制御情報を受信する段階を有する。
【０５９２】
第２初期ビームインデックス情報に対応する初期ビームを用いることにより、ユーザ機器が制御チャネル上で制御情報をリッスンする段階は、ユーザ機器が、無指向性方式で制御情報を受信する段階、または、第２初期ビームインデックス情報に対応する初期ビームのビーム範囲より大きいまたはそれと等しいビーム範囲を用いることにより制御情報を受信する段階、または、第２初期ビームインデックス情報に対応する初期ビームのビーム範囲より小さいビーム範囲を用いることにより制御情報を受信する段階を有する。
【０５９３】
本実施形態において、ユーザ機器により制御情報をリッスンするプロセスの詳細については、図３に示される実施形態における第１応用シナリオの説明を参照されたい。これはここでは説明しない。
【０５９４】
ＲＲＭ測定報告が、各初期ビームインデックス情報に対応する参照信号情報を含み、参照信号情報が、参照信号受信電力ＲＳＲＰおよび参照信号受信品質ＲＳＲＱのうち少なくとも１つを含む場合、ユーザ機器が休止状態からアクティブ状態に切り替わった後に、ユーザ機器は、参照信号情報が第１閾値より大きい第１初期ビームインデックス情報を決定し、第１初期ビームインデックス情報に対応する初期ビームを用いることにより制御チャネル上で制御情報をリッスンする。これにより、制御情報を、ＲＲＭ測定報告に含まれる比較的良好な信号品質の初期ビームを用いることにより受信することができ、それにより通信効率が改善する。
【０５９５】
第２応用シナリオでは、説明のために、ユーザ機器がＴＡシナリオに適用される例を用いる。本応用シナリオは、図５に示される実施形態における第２応用シナリオに対応する。
【０５９６】
ユーザ機器と基地局との間の障害は、ビームの通信品質を低下させる。したがって、基地局は、障害を回避することにより通信品質を改善するべく、ユーザ機器に対して代替ビームを予め構成してよい。したがって、オプションで、方法はさらに、基地局によりユーザ機器に割り当てられたミリ波帯の代替ビームを示すのに用いられる、基地局により送信された代替ビームインデックス情報をユーザ機器が受信する段階と、ＲＳＲＰおよびＲＳＲＱのうち少なくとも１つを含む、初期ビームの参照信号情報が第２閾値より小さい場合、各代替ビームインデックス情報により示される代替ビームに対してユーザ機器がＲＲＭ測定を実行する段階と、ＲＲＭ測定に従って、参照信号情報が第３閾値より大きい第１代替ビームインデックス情報をユーザ機器が決定する段階と、決定された第１代替ビームインデックス情報を、第１代替ビームインデックス情報に対応する代替ビームに従ってユーザ機器と通信するよう構成された基地局へユーザ機器が送信する段階とを備える。
【０５９７】
基地局によりユーザ機器に対して代替ビームを構成するプロセスの詳細については、図３に示される実施形態における第２応用シナリオの説明を参照されたい。これはここでは説明しない。
【０５９８】
本実施形態において、異なるユーザ機器は、基地局との距離が異なる。したがって、異なるユーザ機器の信号伝送遅延は異なる。異なるユーザ機器により送信されるアップリンク情報が基地局に同時に到達する必要がある場合、基地局は、ユーザ機器と基地局との間の距離に従って、異なるユーザ機器に対して異なるＴＡを構成する必要がある。一般に、基地局により割り当てられる初期ビームと比較して、代替ビームは比較的長い伝播経路を有し、これは比較的大きい伝播遅延をもたらす。この場合、結果として、アップリンクＴＡが突然に変化する。この場合、ユーザ機器はアップリンクＴＡを再決定する必要がある。アップリンクＴＡの決定は、ランダムアクセス手順を用いることにより実施される必要がある。
【０５９９】
本実施形態において、方法はさらに、アップリンクタイミングアドバンスＴＡを生成するよう、およびアップリンクＴＡと、割り当てられた第２代替ビームインデックス情報に対応する代替ビームとに従ってユーザ機器と通信するよう基地局に命令するのに用いられる第１ランダムアクセス要求を、ユーザ機器が基地局へ自動的に送信する段階、または、ユーザ機器に割り当てられた代替ビームを用いてユーザ機器と通信することを、ビームトラッキングを用いることにより基地局が決定した後に送信される、基地局により送信されたランダムアクセス命令をユーザ機器が制御チャネル上で受信する段階と、アップリンクＴＡを生成するよう、およびアップリンクＴＡと、受信された第１代替ビームインデックス情報に対応する代替ビームとに従ってユーザ機器と通信するよう基地局に命令するのに用いられる第２ランダムアクセス要求を、ランダムアクセス命令に従って基地局へ送信する段階とを備える。
【０６００】
ユーザ機器がランダムアクセス手順を能動的にトリガするとき、ユーザ機器は第１ランダムアクセス要求を基地局へ能動的に送信する。ユーザ機器が、ランダムアクセス命令により命令された通りにランダムアクセス手順をトリガするとき、ユーザ機器は、第２ランダムアクセス要求を基地局へ送信する。具体的なプロセスの詳細については、図３に示される実施形態における第２応用シナリオの説明を参照されたい。これはここでは説明しない。
【０６０１】
したがって、各代替ビームの参照信号情報が第３閾値より小さいこと、および少なくとも１つの初期ビームの参照信号情報が第２閾値より大きいことをユーザ機器が検出したとき、初期ビームの品質が比較的良好であると決定され、その少なくとも１つの初期ビームの初期ビームインデックス情報が基地局へ送信される。基地局は、その少なくとも１つの初期ビームを用いて基地局と通信する。代替的に、基地局は、ビームフォーミング技術を用いてユーザ機器が障害エリアから出ようとしていると決定し、少なくとも１つの初期ビームの参照信号情報が第２閾値より大きいことを検出すると、その少なくとも１つの初期ビームを用いて基地局と通信することを決定する。この場合、ユーザ機器は、アップリンクＴＡを再決定してもよく、アップリンクＴＡを決定しなくてもよい。
【０６０２】
本実施形態において、ユーザ機器により用いられるビームに対して異なるＴＡがあってよく、ＴＡは同じミリ波基地局に対するものであってもよく、異なるミリ波基地局に対するものであってもよい。したがって、基地局はさらに、各ユーザ機器に対して少なくとも１つのＴＡセットを構成してよく、各ＴＡセットは少なくとも１つのビームインデックス情報を含み、各ビームインデックス情報に対応するアップリンクＴＡは同じである。ビームインデックス情報は、初期ビームの初期ビームインデックス情報であってもよく、代替ビームの代替ビームインデックス情報であってもよい。１つのＴＡセットに含まれるビームインデックス情報により示されるビームは、同じセルに属してもよく、異なるセルに属してもよい。したがって、各ビームと関連付けられたセルのセル識別子は、ＴＡセットの中でさらに識別されてよい。
【０６０３】
本実施形態において、方法はさらに、同じアップリンクＴＡを有し、ユーザ機器との通信のためのビームに含まれるビームであって、初期ビームおよび代替ビームのうち少なくとも１つを含むビームをグループとして基地局が決定した後に各グループに従って生成されるＴＡセットであって、ＴＡセット識別子と、グループに含まれる各ビームのビームインデックス情報と、グループに含まれる各ビームに対応するセル識別子および時間アライメントタイマーＴＡＴとを含む、基地局により送信されたＴＡセットをユーザ機器が受信する段階と、ＴＡセットに含まれるＴＡＴが満了した場合、ＴＡセットに含まれるセル識別子が他のＴＡセットに含まれるビームインデックス情報に対応するか否か、および他のＴＡセットに含まれるＴＡＴが満了していないか否かをユーザ機器が検出する段階と、ＴＡセットに含まれるセル識別子が他のＴＡセットに含まれるビームインデックス情報に対応すること、および他のＴＡセットに含まれるＴＡＴが満了していないことが検出された場合、ユーザ機器が、ビームインデックス情報に対応するセルを決定し、セルに対応するハイブリッド自動再送要求ＨＡＲＱバッファエリアおよびサウンディング参照シンボルＳＲＳリソースを確保する段階、または、ＴＡセットに含まれるセル識別子が他のＴＡセットに含まれるビームインデックス情報に対応すること、および他のＴＡセットに含まれるＴＡＴが満了したことが検出された場合、ユーザ機器が、ビームインデックス情報に対応するセルを決定し、セルに対応するＨＡＲＱバッファエリアおよびＳＲＳリソースをリリースする段階とを備える。
【０６０４】
基地局によりユーザ機器に割り当てられるミリ波帯の代替ビームを示すのに用いられる、基地局により送信された代替ビームインデックス情報が受信され、初期ビームの参照信号情報が第２閾値より小さい場合、各代替ビームインデックス情報により示される代替ビームに対してＲＲＭ測定が実行され、参照信号情報が第３閾値より大きい第１代替ビームインデックス情報がＲＲＭ測定に従って決定され、決定された第１代替ビームインデックス情報が基地局へ送信される。割り当てられた初期ビームの品質が比較的低いとき、比較的良好な品質の代替ビームを基地局との通信に用いることができ、通信効率が改善するという効果が実現する。
【０６０５】
第３応用シナリオでは、説明のために、ユーザ機器が電力制御シナリオに適用される例を用いる。本応用シナリオは、図５に示される実施形態における第３応用シナリオに対応する。
【０６０６】
基地局はビームフォーミング技術を用い、異なるビーム方向での伝播損失は異なってよい。したがって、伝播損失が最小である初期ビームを、割り当てられた初期ビームから選択する必要があり、選択された初期ビームで通信が実行される。
【０６０７】
オプションで、ユーザ機器が無線リソース管理ＲＲＭ測定報告を送信する段階の後に、方法はさらに、ユーザ機器が、各初期ビームインデックス情報に対応する初期ビームのＲＳＲＰを測定して、各初期ビームの伝播損失情報を取得する段階と、ユーザ機器が、最小の伝播損失情報に従って電力ヘッドルームＰＨを生成して、電力ヘッドルーム報告ＰＨＲを取得する段階と、ＰＨとＰＨに対応する初期ビームとに従ってユーザ機器にアップリンクリソースを割り当てるよう、およびＰＨに対応する初期ビームを用いることにより対応するアップリンクリソース上でユーザ機器と通信するよう基地局に命令するのに用いられるＰＨＲをユーザ機器が送信する段階とを備える。
【０６０８】
基地局により送信されたビームインデックス情報は、ＲＲＭ測定報告に対応するビーム範囲外のビームに対応してよく、ＲＲＭ測定報告に対応するビーム範囲内の初期ビームに対応してよく、または適応的に決定されたビームであってよい。このことは、本実施形態に限定されない。
【０６０９】
基地局が、より良好な指向性利得およびより正確な電力制御を得るべく、より小さいビーム範囲内のユーザ機器に対してアップリンクスケジューリングを実行することを見込む場合、ＭＡＣ  ＣＥを用いることにより初期ビームインデックス情報が動的に示されることができ、これにより、ユーザ機器は、その伝播損失が最小であるビームのＰＨを報告する。
【０６１０】
オプションで、ユーザ機器が、各初期ビームインデックス情報に対応する初期ビームのＲＳＲＰを測定して、各初期ビームの伝播損失情報を取得する段階は、基地局により送信され、単一の初期ビームのビーム範囲内の第１ビームの第１ビームインデックス情報を搬送する第１インジケーションをユーザ機器が受信する段階と、ユーザ機器が、第１インジケーションにより示される各第１ビームのＲＳＲＰを測定して、各第１ビームの伝播損失情報を取得する段階とを有する。
【０６１１】
加えて、基地局がユーザ機器のアップリンク伝送電力を制限しないとき、無線インターフェース効率を改善するべく、ユーザ機器がアップリンクに関して複数のビームをサポートしてよいことに留意すべきである。ユーザ機器が複数のビームを同時にサポートし、電力が一定程度に制限されている場合、少なくとも１つのビームの伝送電力をさらに低下させる必要がある。具体的な低下方法の詳細については、図３に示される実施形態における第３応用シナリオの説明を参照されたい。これはここでは説明しない。
【０６１２】
各初期ビームの伝播損失情報を取得するべく、各初期ビームインデックス情報に対応する初期ビームのＲＳＲＰが実行され、ＰＨＲを取得するべく、ＰＨが最小の伝播損失情報に従って生成され、ＰＨとＰＨに対応する初期ビームとに従ってアップリンクリソースをユーザ機器に割り当てるよう基地局に命令するのに用いられるＰＨＲが送信され、ＰＨに対応する初期ビームを用いることにより対応するアップリンクリソース上でユーザ機器との通信が実行される。これにより、伝播損失が最小である初期ビームに対応するアップリンクリソースを基地局との通信に選択することができ、それにより伝送電力が低減する。
【０６１３】
第４応用シナリオでは、説明のために、ユーザ機器がＣＳＩ測定シナリオに適用される例を用いる。本応用シナリオは、図５に示される実施形態における第４応用シナリオに対応する。
【０６１４】
本実施形態において、ユーザ機器はさらに、ＣＳＩ情報に従って初期ビームの品質を決定するべく、初期ビームに対してＣＳＩ測定を実行してＣＳＩ情報を取得する必要がある。
【０６１５】
オプションで、ユーザ機器が無線リソース管理ＲＲＭ測定報告を送信する段階の後に、方法はさらに、ユーザ機器が、各初期ビームインデックス情報に対応する初期ビームに対してチャネル状態情報ＣＳＩ測定を実行して、各初期ビームのチャネル品質インジケータＣＱＩを取得する段階と、ユーザ機器が、最大のＣＱＩに従ってチャネル状態情報ＣＳＩ情報を生成して、ＣＳＩ測定報告を取得する段階と、ＣＳＩ情報とＣＳＩ情報に対応する初期ビームとに従ってユーザ機器と通信するよう基地局に命令するのに用いられるＣＳＩ測定報告を、ユーザ機器が送信する段階とを備える。
【０６１６】
ユーザ機器により測定されるビームは、ＲＲＭ測定報告の範囲内の初期ビームであってよく、このとき、ユーザ機器は最初に、ＲＲＭ測定報告に対応する初期ビームを入手する必要がある。具体的な入手方法の詳細については、図３に示される実施形態における第４応用シナリオの説明を参照されたい。これはここでは説明しない。
【０６１７】
各初期ビームのＣＳＩ情報を測定した後に、ユーザ機器は、各ＣＳＩ情報から最大のＣＱＩを含むＣＳＩ情報を選別し、選別された少なくとも１つのＣＳＩ情報に従ってＣＳＩ測定報告を生成してよい。ＣＳＩ情報は、ＣＱＩ、ＰＭＩ、およびＲＩのうち少なくとも１つを含み、ユーザ機器は、ＣＱＩ、ＰＭＩ、およびＲＩのうち少なくとも１つを同時にまたは異なる瞬間に基地局へ送信してよい。
【０６１８】
基地局が、より良好な指向性利得を得るべく、より小さいビーム範囲内のユーザ機器に対してアップリンクスケジューリングを実行することを見込む場合、ＭＡＣ  ＣＥを用いることによりビームインデックス情報が動的に示されることができ、これにより、ユーザ機器は、そのＣＱＩが最大であるＣＳＩ情報を報告する。
【０６１９】
オプションで、ユーザ機器が、各初期ビームインデックス情報に対応する初期ビームに対してチャネル状態情報ＣＳＩ測定を実行して、各初期ビームのチャネル品質インジケータＣＱＩを取得する段階は、基地局により送信され、単一の初期ビームのビーム範囲内の第２ビームの第２ビームインデックス情報を搬送する第２インジケーションをユーザ機器が受信する段階と、ユーザ機器が、第２インジケーションにより示される各第２ビームに対してＣＳＩ測定を実行して、各第２ビームのＣＱＩを取得する段階とを有する。
【０６２０】
各初期ビームのＣＱＩを取得するべく、各初期ビームインデックス情報に対応する初期ビームに対してチャネル状態情報ＣＳＩ測定が実行され、ＣＳＩ測定報告を取得するべく、ＣＳＩ情報が最大のＣＱＩに従って生成され、ＣＳＩ情報とＣＳＩ情報に対応する初期ビームとに従ってユーザ機器と通信するよう基地局に命令するのに用いられるＣＳＩ測定報告が送信される。これにより、ＣＱＩが最大である初期ビームを基地局との通信に選択することができ、それにより通信効率が改善する。
【０６２１】
第５応用シナリオでは、説明のために、ユーザ機器がセル帯域幅調整シナリオに適用される例を用いる。本応用シナリオは、図５に示される実施形態における第５応用シナリオに対応する。
【０６２２】
本実施形態において、セルにアクセスする各ユーザ機器のトラフィックボリュームが変化し、結果として、セルの負荷が変化したとき、基地局は、セルのセル帯域幅を調整する必要がある。具体的な調整方法の詳細については、図３に示される実施形態における第５応用シナリオの説明を参照されたい。これはここでは説明しない。
【０６２３】
調整されたセルは、複数のチャネルを、それら複数のチャネルが同じＨＡＲＱエンティティを共有するように用いてよい。この場合、セル全体が複数の同一帯域幅チャネルを含んでよく、基地局は、中心周波数に位置するチャネル上で共通の情報を送信してよい、または、基地局は、各チャネルの中心の周波数で共通の情報を送信してよい。
【０６２４】
したがって、方法はさらに、ユーザ機器が、基地局により送信された、調整されたセル帯域幅についての情報と中心周波数についての情報とをブロードキャストにより受信する段階、または、調整されたセル帯域幅についての情報と中心周波数についての情報とを搬送する、基地局により送信されたＲＲＣシグナリングを受信する段階であって、調整されたセル帯域幅は、ユーザ機器のトラフィックボリュームに従って基地局により調整され、セル帯域幅はトラフィックボリュームと正の相関を有し、中心周波数は、調整されたセル帯域幅に対応する周波数範囲内の中心の周波数である、または周波数範囲内の指定された周波数である、段階と、調整されたセルが同一帯域幅チャネルを含む場合、ユーザ機器が、基地局により送信された共通の情報を、中心周波数に位置するチャネル上で受信する段階、または、基地局により送信された共通の情報を、各チャネルの中心の周波数で受信する段階とを備える。
【０６２５】
ユーザ機器は、調整されたセル帯域幅についての情報と中心周波数についての情報とを、基地局が調整されたセル帯域幅についての情報と中心周波数についての情報とを送信する方式に対応する方式で受信してよい。ユーザ機器は、中心周波数についての情報に従って、中心周波数に位置するチャネル上で共通の情報を受信する、または各チャネルの中心の周波数で共通の情報を受信する。
【０６２６】
基地局により送信された、調整されたセル帯域幅についての情報と中心周波数についての情報とがブロードキャストにより受信され、または、調整されたセル帯域幅についての情報と中心周波数についての情報とを搬送する、基地局により送信されたＲＲＣシグナリングが受信され、調整されたセル帯域幅は、ユーザ機器のトラフィックボリュームに従って基地局により調整され、セル帯域幅はトラフィックボリュームと正の相関を有し、中心周波数は、調整されたセル帯域幅に対応する周波数範囲内の中心の周波数である、または周波数範囲内の指定された周波数である。これにより、セル帯域幅のみを調整することができ、他の無線リソース構成パラメータを構成する必要はなく、それによりセル帯域幅構成プロセスの間の通信オーバーヘッドが低減する。
【０６２７】
第６応用シナリオでは、説明のために、ユーザ機器がユーザ帯域幅調整シナリオに適用される例を用いる。本応用シナリオは、図５に示される実施形態における第６応用シナリオに対応する。
【０６２８】
場合により、セルの全体的な負荷状態は著しく変化しないが、一部のユーザ機器のトラフィックボリュームは大きく変化し、結果として、セル帯域幅に対するこれらのユーザ機器の要件が変化する。この場合、これらのユーザ機器のセル帯域幅のみを調整する必要がある。ユーザ機器の観点からは、ユーザ機器のユーザ帯域幅が適応的に低減または増大されてよい。しかし、基地局の観点からは、基地局は引き続き、元々用いられていたセル帯域幅を用いることにより情報を送信するが、異なるユーザ機器により用いられる周波数範囲は異なることがある。
【０６２９】
ユーザ帯域幅は、チャネルを含む。したがって、基地局は、ユーザ帯域幅を調整するとき、ユーザ機器に割り当てられたチャネルを用いることにより、トラフィックボリュームに従ってユーザ帯域幅を調整してよい。
【０６３０】
したがって、方法はさらに、ユーザ機器のトラフィックボリュームに従って基地局により調整された、トラフィックボリュームと正の相関を有する調整されたユーザ帯域幅についての、基地局により送信された情報を、ＲＲＣシグナリング、ＭＡＣ  ＣＥ、および制御チャネルのうち少なくとも１つを用いることによりユーザ機器が受信する段階と、ユーザ帯域幅に含まれるチャネルの制御チャネルをユーザ機器がリッスンする段階とを備える。
【０６３１】
ユーザ機器は、調整されたユーザ帯域幅についての情報を、基地局が調整されたセル帯域幅についての情報を送信する方式に対応する方式で受信し、ユーザ帯域幅に含まれるチャネルをリッスンしてよい。ユーザ帯域幅が調整された後に残る帯域幅は、周波数領域において連続的または非連続的であってよい。
【０６３２】
具体的には、詳細については、図３に示される実施形態における第６応用シナリオの説明を参照されたい。これはここでは説明しない。
【０６３３】
ユーザ機器のトラフィックボリュームに従って基地局により調整された、トラフィックボリュームと正の相関を有する調整されたユーザ帯域幅についての、基地局により送信された情報が、ＲＲＣシグナリング、ＭＡＣ  ＣＥ、および制御チャネルのうち少なくとも１つを用いることにより受信される。これにより、ユーザ帯域幅をユーザ機器のトラフィックボリュームに従ってリアルタイムで調整することができ、それによりユーザ機器の正常な動作が確実になる。
【０６３４】
第７応用シナリオでは、説明のために、ユーザ機器がＳＰＳシナリオに適用される例を用いる。本応用シナリオは、図５に示される実施形態における第７応用シナリオに対応する。
【０６３５】
受信機８０１は、基地局により送信されたＳＰＳリソース情報を受信するよう構成される。
【０６３６】
ＳＰＳリソース情報がビームインデックス情報を含むとき、ユーザ機器はビームインデックス情報に従ってビームを決定してよい。ＳＰＳリソース情報がビームインデックス情報を含まないとき、ユーザ機器は、ＲＲＭ測定報告に搬送されるビームインデックス情報に従ってビームを決定してよい。ビームは、送信ビームであってもよく、受信ビームであってもよい。基地局は、ＲＲＣシグナリングを用いることによりユーザ機器を構成するときに、または制御チャネルを用いてＳＰＳリソースをアクティブ化するときに、ビームインデックス情報を示してよい。
【０６３７】
ユーザ機器はさらに、ＳＰＳリソース情報に従って、基地局によりユーザ機器に割り当てられるリソース情報およびビームインデックス情報を決定するよう構成されたプロセッサ８０３を備える。
【０６３８】
ＳＰＳリソース情報が少なくとも２つのビームインデックス情報を示すとき、基地局とユーザ機器とは、測定結果に従って、比較的良好な品質のビームを用いること、または予め設定されたビームを用いることに同意してよい。この場合、ユーザ機器は、比較的良好な品質のビームで情報を送信／受信してよく、それに対応して、基地局はそのビームで情報を受信／送信する。代替的に、ユーザ機器は少なくとも１つの予め設定されたビームで同時に情報を送信／受信し、それに対応して、基地局はその少なくとも１つのビームで情報を受信／送信する。
【０６３９】
ユーザ機器は、ＳＰＳ方式で情報を送信／受信するとき、信号状態が比較的良好なビームを選択する、または、１または複数の予め決定されたビームで同時に情報を送信および／または受信する。それに対応して、基地局は、ＳＰＳ方式でその１または複数の予め決定されたビームで情報を受信／送信してよい。基地局およびユーザ機器は、測定結果に従って、複数の予め決定されたビーム範囲から信号状態が良好な１または複数のビームを優先的に選択してよい。
【０６４０】
加えて、基地局が、測定結果に従って、またはユーザ機器により推奨されるビームインデックス情報に従って、ビームインデックス情報を再び示すとき、ＳＰＳリソース情報に含まれるビームインデックス情報のみを変更する必要があり、リソース情報を変更する必要はないことに留意すべきである。この場合、基地局は、ＲＲＣシグナリング、ＭＡＣ  ＣＥ、または制御チャネルを用いることによりビームインデックス情報をユーザ機器へ再び示してよい。
【０６４１】
基地局により送信されたＳＰＳリソース情報が受信され、基地局によりユーザ機器に割り当てられるリソース情報およびビームインデックス情報がＳＰＳリソース情報に従って決定される。これにより、ＳＰＳリソース情報を送信する方式でリソースおよびビームを構成することができ、リソースおよびビームをユーザ機器に対して動的に構成することにより生じる、通信オーバーヘッドの浪費の問題を解決することができ、それにより通信オーバーヘッドが低減するという効果が実現する。
【０６４２】
第８応用シナリオでは、説明のために、ユーザ機器がＤ２Ｄシナリオに適用される例を用いる。本応用シナリオは、図５に示される実施形態における第８応用シナリオに対応する。
【０６４３】
Ｄ２Ｄ通信の相互干渉、またはセル内の他のユーザ機器の通常通信に対するＤ２Ｄ通信干渉を回避するべく、基地局は、Ｄ２Ｄ通信用のビームの初期ビームインデックス情報をユーザ機器に割り当てる。
【０６４４】
受信機８０１は、Ｄ２Ｄリソース情報と初期ビームインデックス情報とを含む、基地局により送信されたリソースインジケーション情報を受信する。
【０６４５】
ユーザ機器はさらに、受信機８０１により受信されたリソースインジケーション情報に従って、他のユーザ機器とのＤ２Ｄ通信が用いられるときに用いられるリソースおよび初期ビームを決定するよう構成されたプロセッサ８０３を備える。
【０６４６】
基地局により割り当てられるビームインデックス情報は、基地局により設定されてよい、または、測定結果に従って比較的良好な品質のビームのビームインデックス情報を決定した後に、ユーザ機器が基地局に割り当てるよう要求する初期ビームインデックス情報であってよい。基地局により割り当てられたビームインデックス情報は、ユーザ機器と他のユーザ機器との間のＤ２Ｄ通信に用いられる。Ｄ２Ｄリソース情報は、時間領域リソース情報および周波数領域リソース情報を含む。
【０６４７】
加えて、基地局とユーザ機器との間で用いられるセルラー通信、およびユーザ機器と他のユーザ機器との間で用いられるＤ２Ｄ通信が、異なる初期ビームで時間領域リソースおよび周波数領域リソースを再使用してよいことに留意すべきである。
【０６４８】
Ｄ２Ｄリソース情報とビームインデックス情報とを含む、基地局により送信されたリソースインジケーション情報が受信され、他のユーザ機器とのＤ２Ｄ通信が用いられるときに用いられるリソースおよびビームがリソースインジケーション情報に従って決定される。これにより、他のユーザ機器との通信を、基地局により割り当てられた初期ビームに従って実行することができ、それによりＤ２Ｄ通信における相互干渉の問題が解決され、通信品質が改善するという効果が実現する。
【０６４９】
結論として、本発明の本実施形態において提供されるビーム構成方法によると、基地局によりユーザ機器に割り当てられたミリ波帯の初期ビームを示すのに用いられる、基地局により送信された初期ビームインデックス情報が受信され、初期ビームインデックス情報により示される初期ビームに対してユーザ機器がＲＲＭ測定を実行した後に取得される無線リソース管理ＲＲＭ測定報告であって、ユーザ機器との通信に用いられる初期ビームインデックス情報を決定するよう基地局に命令するのに用いられるＲＲＭ測定報告が送信される。ＲＲＭ測定報告に従って、初期ビームの信号品質が基地局へ報告されることができ、これにより基地局が比較的良好な信号品質のビームをユーザ機器との通信に選択し、ビームフォーミング技術が用いられることで、ミリ波帯の比較的短い伝送距離、およびセルラー通信環境におけるユーザ機器のデータ通信要件の不満足という既存の問題が解決され、これによりミリ波帯の伝送距離が増大するという効果が実現する。
【０６５０】
先述の実施形態において提供される基地局およびユーザ機器がビーム構成を実行するとき、先述の機能モジュールの区分けは単に一例として用いられており、実際の適用の間は、先述の機能割り当てが要件に従って異なる機能モジュールにより履行され得る、つまり、基地局およびユーザ機器の内部構造は、先述の機能の全部または一部を実行する異なる機能モジュールに区分けされることに留意されるべきである。加えて、先述の実施形態により提供される基地局およびユーザ機器とビーム構成方法の実施形態とは、同じ着想に属する。具体的な実装プロセスの詳細については、方法の実施形態を参照されたい。これはここでは説明しない。
【０６５１】
先述の本発明の実施形態の順番は、単に例示を目的とするものであり、実施形態の優先度を示すことを意図するものではない。
【０６５２】
当業者には認識され得るように、本明細書に開示の実施形態において説明される例と組み合わせて、ユニットおよびアルゴリズム段階が、電子ハードウェアまたはコンピュータソフトウェアと電子ハードウェアとの組み合わせにより実装されてよい。機能がハードウェアにより実行されるか、ソフトウェアにより実行されるかは、技術的解決手段の特定の用途および設計制約条件に依存する。当業者は、異なる方法を用いて、説明された機能を特定の用途ごとに実装し得るが、その実装が本発明の範囲を越えるものとみなされるべきではない。
【０６５３】
当業者には明瞭に理解され得るように、説明を簡便かつ簡単にする目的で、先述のシステム、装置、およびユニットの詳細な動作プロセスについては、先述の方法の実施形態における対応するプロセスが参照されるものとしてよく、詳細は説明しない。
【０６５４】
本出願において提供されるいくつかの実施形態において、開示のシステム、装置、および方法は、他の方式で実装されてよいことが理解されるべきである。例えば、説明される装置の実施形態は、単に例示的なものである。例えば、ユニットの区分けは、単にロジック機能の区分けであってよく、実際の実装においては他の区分けであってよい。例えば、複数のユニットまたはコンポーネントが組み合わされてよく、もしくは他のシステムに統合されてよく、または、一部の特徴が無視されてよい、もしくは実行されなくてよい。加えて、表示または議論された、相互結合もしくは直接的結合または通信接続は、何らかのインターフェースを用いることにより実装されてよい。装置間またはユニット間の間接的結合または通信接続は、電子的、機械的、または他の形態で実装されてよい。
【０６５５】
別個の部分として説明されるユニットは、物理的に別個であってもなくてもよい。ユニットとして表示される部分は、物理的なユニットであってもなくてもよく、１つの位置に位置してよく、または複数のネットワークユニットに分散されてよい。ユニットの一部または全部が、実施形態の解決手段の目的を実現するよう、実際の必要性に従って選択されてよい。
【０６５６】
加えて、本発明の実施形態における機能ユニットが１つの処理ユニットに統合されてよい、または、ユニットの各々が物理的に独立して存在してよい、または、２つまたはそれより多くのユニットが１つのユニットに統合されてよい。
【０６５７】
機能がソフトウェア機能ユニットの形態で実装され、単独の製品として販売されるまたは用いられるとき、機能はコンピュータ可読記憶媒体に記憶されてよい。そのような理解に基づき、本発明の技術的解決手段は本質的に、または従来技術に寄与する部分、もしくは技術的解決手段の一部が、ソフトウェア製品の形態で実装されてよい。ソフトウェア製品は、記憶媒体に記憶され、コンピュータデバイス（これはパーソナルコンピュータ、サーバ、またはネットワークデバイスであってよい）に、本発明の実施形態において説明される方法の段階の全部または一部を実行するよう命令するためのいくつかの命令を含む。先述の記憶媒体としては、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどの、プログラムコードを記憶し得る任意の媒体が挙げられる。
【０６５８】
先述の説明は、単に本発明の具体的な実装方式であり、本発明の保護範囲を限定することを意図するものではない。本発明において開示された技術的範囲内の、当業者により容易に想到される任意の変形形態または代替形態は、本発明の保護範囲内にあるものとする。したがって、本発明の保護範囲は、特許請求の範囲の保護範囲に従うものとする。
【図１】
0006406777.tif 000002
【図２】
0006406777.tif 000003
【図３】
0006406777.tif 000004
【図４】
0006406777.tif 000005
【図５】
0006406777.tif 000006
【図６】
0006406777.tif 000007
【図７】
0006406777.tif 000008
【図８】
0006406777.tif 000009
【図９】
0006406777.tif 000010
【図１０】
0006406777.tif 000011